(57)【要約】女性用ケア吸収性物品は、女性着用者から排出された体液を吸収すべく前記着用者の膣領域の近傍に配置されるように構成された吸収性構造体、前記吸収性構造体を支持するためのシェルとを含む。前記シェルは、身体対向面及び衣服対向面を有する。前記身体対向面は、前記シェルを前記着用者に直接貼着するための接着剤をその表面上に有する。前記シェルは、縦方向中心軸、横方向中心軸、前側領域、後側領域、及び前記前側領域と前記後側領域との間に縦方向に延在して両領域を相互接続する中央領域を有する。前記シェルの前記前側領域は、前記横方向中心軸から、或る縦方向延在範囲を有する縦方向縁部を含む。前記縦方向延在範囲は、前記縦方向縁部が前記シェルの前記縦方向中心軸から横方向外側に行くにつれて増大する。【選択図】図１１
2010535540.tif 000002
【特許請求の範囲】
【請求項１】
女性用ケア吸収性物品であって、
女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有し、かつ、縦方向中心軸、横方向中心軸、前側領域、後側領域、及び前記前側領域と前記後側領域との間に縦方向に延在して両領域を相互接続する中央領域を有するシェルとを含み、
前記シェルの前記前側領域は、前記横方向中心軸から、或る縦方向延在範囲を有する縦方向縁部を含み、前記縦方向延在範囲は、前記縦方向縁部が前記シェルの前記縦方向中心軸から横方向外側に行くにつれて増大することを特徴とする吸収性物品。
【請求項２】
請求項１に記載の女性用ケア吸収性物品であって、
前記前側領域の前記前側縦方向縁部の形状が、前記着用者の下腹部の輪郭と概ね一致するような形状であることを特徴とする吸収性物品。
【請求項３】
請求項１に記載の女性用ケア吸収性物品であって、
前記前側領域の前記前側縦方向縁部の形状が、概ね弓状であることを特徴とする吸収性物品。
【請求項４】
請求項１に記載の女性用ケア吸収性物品であって、
前記シェルの前記前側領域の前記前側縦方向縁部が、前記シェルの前記縦方向中心軸の位置での中心軸縦方向延在範囲と、前記シェルの前記縦方向中心軸から横方向に離間した位置での前側最大縦方向延在範囲とを有し、
前記中心軸縦方向延在範囲と前記前側最大縦方向延在範囲との間の縦方向距離が、約５ｍｍないし約３５ｍｍの範囲であることを特徴とする吸収性物品。
【請求項５】
請求項４に記載の女性用ケア吸収性物品であって、
前記縦方向距離が約１５ｍｍであることを特徴とする吸収性物品。
【請求項６】
請求項１に記載の女性用ケア吸収性物品であって、
前記吸収性構造体が前記シェルに貼着されることを特徴とする吸収性物品。
【請求項７】
請求項１に記載の女性用ケア吸収性物品であって、
前記吸収性物品が、パンティライナ、生理用ナプキン及び失禁用物品から成る群より選択されることを特徴とする吸収性物品。
【請求項８】
請求項１に記載の女性用ケア吸収性物品であって、
前記シェルの前記前側領域の前記前側縦方向縁部が、前記シェルの前記縦方向中心軸の位置での中心軸縦方向延在範囲と、前記シェルの前記縦方向中心軸から横方向に離間した位置での前側最大縦方向延在範囲とを有し、
前記中心軸縦方向延在範囲と前記前側最大縦方向延在範囲との間の縦方向距離によって前記シェルの前記前側領域の奥まった部分が画定され、
前記シェルの前記後側領域が、後側最大縦方向延在範囲を有する後側縦方向縁部を含み、
前記後側領域の前記後側縦方向縁部の前記後側最大縦方向延在範囲と、前記前側領域の前記前側縦方向縁部の前記前側最大縦方向延在範囲との間の距離によって前記シェルの全長が画定され、
前記シェルの前記前側領域の前記奥まった部分の長さの前記シェルの全長に対する比が、約０．０３ないし約０．２の範囲であることを特徴とする吸収性物品。
【請求項９】
請求項８に記載の女性用ケア吸収性物品であって、
前記比が、約０．０６ないし約０．０９の範囲であることを特徴とする吸収性物品。
【請求項１０】
請求項８に記載の女性用ケア吸収性物品であって、
前記シェルが、その横方向両側に互いに離間して配設され前記後側領域から前記中央領域を通って前記前側領域へ延在する横方向縁部をさらに有し、
横方向に互いに離間した前記横方向縁部間の横方向距離によって前記シェルの幅が画定され、
前記シェルの幅が、前記横方向縁部が前記中央領域から前記シェルの前記前側領域及び前記後側領域の少なくとも一方に向かって縦方向に行くにつれて増大することを特徴とする吸収性物品。
【請求項１１】
請求項１０に記載の女性用ケア吸収性物品であって、
前記シェルが最小幅を有し、
前記シェルの前記全長の前記シェルの前記最小幅に対する比が、約３ないし約１の範囲であることを特徴とする吸収性物品。
【請求項１２】
女性用ケア吸収性物品であって、
周縁部を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有し、かつ、縦方向中心軸、横方向中心軸、前側領域、後側領域、及び前記前側領域と前記後側領域との間に縦方向に延在して両領域を相互接続する中央領域を有するシェルとを含み、
前記吸収性構造体が、前記シェルの少なくとも一部を覆うようにして前記シェルに固定され、
前記シェルが、前記シェルの少なくとも一部が前記吸収性構造体の前記周縁部の少なくとも一部に沿って前記吸収性構造体を越えて外側に延出するように、前記吸収性物品に対する形状及びサイズを決められ、かつ
前記シェルが前記吸収性構造体を越えて外側に延出する幅が、約３ｍｍないし約１５ｍｍであることを特徴とする吸収性物品。
【請求項１３】
請求項１２に記載の女性用ケア吸収性物品であって、
前記シェルにおける前記吸収性構造体を越えて外側に延出する部分全体の前記身体対向面に、前記シェルを前記着用者に直接貼着するための接着剤が配設されていることを特徴とする吸収性物品。
【請求項１４】
請求項１２に記載の女性用ケア吸収性物品であって、
前記シェルが、少なくとも前記シェルの前記前側領域及び前記中央領域において、前記吸収性構造体の前記周縁部に沿って前記吸収性物品を超えて外側に延出することを特徴とする吸収性物品。
【請求項１５】
請求項１４に記載の女性用ケア吸収性物品であって、
前記シェルが前記吸収性構造体を超えて外側に延出する距離が、前記吸収性構造体の前記周縁部に沿って不均一であることを特徴とする吸収性物品。
【請求項１６】
請求項１４に記載の女性用ケア吸収性物品であって、
前記吸収性物品が、前記シェルの前記前側領域内に配設された縦方向縁部と、その横方向両側に互いに離間して配設された横方向縁部とを有し、
前記シェルが、前記シェルの前記中央領域内では前記吸収性構造体の前記横方向縁部を越えて外側に第１の距離で延出し、前記シェルの前記前側領域内では前記吸収性構造体の前記縦方向縁部を越えて外側に前記第１の距離よりも大きい第２の距離で延出することを特徴とする吸収性物品。
【請求項１７】
請求項１４に記載の女性用ケア吸収性物品であって、
前記シェルが前記中央領域において最小幅を有し、
前記シェルの前記最小幅が約４５ｍｍないし約８５ｍｍの範囲であることを特徴とする吸収性物品。
【請求項１８】
請求項１７に記載の女性用ケア吸収性物品であって、
前記吸収性構造体が前記シェルの前記中央領域において最小幅を有し、
前記吸収性構造体の前記最小幅が、約１０ｍｍないし約８０ｍｍの範囲であることを特徴とする吸収性物品。
【請求項１９】
請求項１２に記載の女性用ケア吸収性物品であって、
前記吸収性構造体が前記シェルの前記身体対向面に固定され、
前記シェルの前記身体対向面が全表面積を有し、
前記シェルにおける前記吸収性構造体を越えて外側に延出する部分の前記身体対向面が、前記吸収性構造体で覆われていない部分を有し、
前記覆われていない部分の面積が約１０、０００ｍｍ２ないし約４５、０００ｍｍ２の範囲であることを特徴とする吸収性物品。
【請求項２０】
請求項１９に記載の女性用ケア吸収性物品であって、
前記シェルの前記身体対向面の前記覆われていない部分の面積が、約１８、０００ｍｍ２ないし約２２、０００ｍｍ２の範囲であることを特徴とする吸収性物品。
【請求項２１】
請求項１９に記載の女性用ケア吸収性物品であって、
前記シェルの前記身体対向面の全表面積の少なくとも約６０％の面積に接着剤が配設されていることを特徴とする吸収性物品。
【請求項２２】
女性用ケア吸収性物品であって、
周縁部を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有し、かつ、縦方向中心軸、横方向中心軸、前側領域、後側領域、及び前記前側領域と前記後側領域との間に縦方向に延在して両領域を相互接続する中央領域を有するシェルとを含み、
前記シェルが、前記シェルの前記前側領域において横方向両側に互いに離間して配設された一対のタブをさらに有し、
前記各ダブが、部分的には前記シェルの横方向両外側にかつ部分的には前記シェルの縦方向外側に延出する中心軸を有し、
前記各タブには、前記タブを着用者に直接貼着するための接着剤が配設されていることを特徴とする吸収性物品。
【請求項２３】
請求項２２に記載の女性用ケア吸収性物品であって、
前記シェルが、前記前側領域に配設された縦方向縁部と、前記シェルの横方向両側に互いに離間して配設され少なくとも前記中央領域から前記縦方向縁部の近傍まで延在する横方向縁部とを有し、
前記縦方向縁部と前記横方向縁部とによって、前記前側領域において横方向両側に互いに離間して配設される前記一対のタブが画定されることを特徴とする吸収性物品。
【請求項２４】
請求項２２に記載の女性用ケア吸収性物品であって、
前記吸収性構造体が前記シェルの前記身体対向面に固定され、
前記各タブが、前記タブの前記中心軸に沿って、前記吸収性構造体の前記周縁部から外側に離れる方向に約２０ｍｍないし約９０ｍｍの距離で延出していることを特徴とする吸収性物品。
【請求項２５】
請求項２２に記載の女性用ケア吸収性物品であって、
前記吸収性構造体が、その横方向両側に互いに離間して配設される横方向縁部を有し、
前記吸収性構造体の前記横方向縁部が、前記シェルの前記中央領域において最小幅を有し、
前記シェルの前記縦方向中心軸から前記最小幅の位置での前記吸収性構造体の前記各横方向縁部までの距離により第１の距離が画定され、
前記各タブが横方向最外延在範囲を有し、
前記シェルの前記縦方向中心軸から前記タブの前記横方向最外延在範囲まで距離により第２の距離が画定され、
前記第２の距離の前記第１の距離に対する比が、約２ないし約５の範囲であることを特徴とする吸収性物品。
【請求項２６】
請求項２２に記載の女性用ケア吸収性物品であって、
前記各タブが縦方向最外延在範囲を有し、
前記シェルの前記横方向中心軸から前記タブの前記縦方向最外延在範囲までの距離が、約５０ｍｍないし約１２０ｍｍの範囲であることを特徴とする吸収性物品。
【請求項２７】
請求項２６に記載の女性用ケア吸収性物品であって、
前記シェルの前記横方向中心軸から前記タブの前記縦方向最外延在範囲までの距離により第１の長さが画定され、
前記吸収性構造体が前記シェルの前記前側領域において縦方向最外延在範囲を有し、
前記シェルの前記横方向中心軸から前記吸収性構造体の前記縦方向最外距離までの長さにより第２の長さが画定され、
前記第１の長さの前記第２の長さに対する比が、約３ないし約１の範囲であることを特徴とする吸収性物品。
【請求項２８】
女性用ケア吸収性物品であって、
女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有し、かつ、縦方向中心軸、横方向中心軸、前側領域、後側領域、前記前側領域と前記後側領域との間に縦方向に延在して両領域を相互接続する中央領域、及び前記後側領域において横方向両側に互いに離間して配設された一対のタブを有するシェルとを含み、
前記各タブにおける前記シェルの前記身体対向面に、前記タブを前記着用者に貼着するための接着剤が配設されていることを特徴とする吸収性物品。
【請求項２９】
請求項２８に記載の女性用ケア吸収性物品であって、
前記シェルが前記後側領域において後側縦方向縁部を有し、
前記後側縦方向縁部が、前記後側領域内において前記シェルの縦方向内側に延びる切込部を有し、
前記切込部によって、前記横方向両側に互いに離間して配設された前記タブが画定されることを特徴とする吸収性物品。
【請求項３０】
請求項２９に記載の女性用ケア吸収性物品であって、
前記吸収性構造体が前記シェルを覆うようにして前記シェルに結合され、
前記吸収性構造体が前記切込部の少なくとも一部を覆うことを特徴とする吸収性物品。
【請求項３１】
請求項２９に記載の女性用ケア吸収性物品であって、
前記切込部の長さが、前記横方向中心軸から前記後側領域の前記縦方向縁部の縦方向最外延在範囲までの長さの約５％ないし約１００％の範囲であることを特徴とする吸収性物品。
【請求項３２】
請求項２９に記載の女性用ケア吸収性物品であって、
前記切込部の長さが、前記シェルの全長の約１０％ないし約５０％の範囲であることを特徴とする吸収性物品。
【請求項３３】
請求項２９に記載の女性用ケア吸収性物品であって、
前記切込部の最大幅が、前記シェルの最大幅の約１０％ないし約５０％の範囲であることを特徴とする吸収性物品。
【請求項３４】
女性用ケア吸収性物品であって、
身体対向面及び衣服対向面を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有し、かつ、縦方向中心軸、横方向中心軸、前側領域、後側領域、及び前記前側領域と前記後側領域との間に縦方向に延在して両領域を相互接続する中央領域を有するシェルとを含み、
前記吸収性構造体及び前記シェルの少なくとも一方に配設された位置決め補助手段とを含み、
前記位置決め補助手段が、前記吸収性構造体が前記着用者の前記膣領域の近傍に位置するように前記着用者の標的配置領域内で前記吸収性物品を能動的に位置合わせすることを容易にするために、前記物品を前記着用者に配置するときに前記物品の前記着用者が知覚できるよう構成されていることを特徴とする吸収性物品。
【請求項３５】
請求項３４に記載の女性用ケア吸収性物品であって、
前記位置決め補助手段が、前記着用者の皮膚で知覚可能な触知部材を含み、
前記触知部材が、前記吸収性構造体及び前記シェルの少なくとも一方に、前記標的配置領域において前記着用者が知覚することができるように配設されたことを特徴とする吸収性物品。
【請求項３６】
請求項３５に記載の女性用ケア吸収性物品であって、
前記触知部材が、前記吸収性構造体及び前記シェルの少なくとも一方に、前記着用者の会陰領域において前記着用者が知覚することができるように配設されたことを特徴とする吸収性物品。
【請求項３７】
請求項３５に記載の女性用ケア吸収性物品であって、
前記触知部材が、加熱剤及び冷却剤の少なくとも一方を含むことを特徴とする吸収性物品。
【請求項３８】
請求項３５に記載の女性用ケア吸収性物品であって、
前記触知部材が少なくとも１つの突起部を含み、前記吸収性構造体及び前記シェルの少なくとも一方の前記身体対向面に、前記標的配置領域において前記着用者と接触するように配設されたことを特徴とする吸収性物品。
【請求項３９】
請求項３８に記載の女性用ケア吸収性物品であって、
前記少なくとも１つの突起部が、前記吸収性構造体及び前記シェルの少なくとも一方の前記身体対向面に、前記着用者の会陰領域において前記着用者と接触するように配設されたことを特徴とする吸収性物品。
【請求項４０】
請求項３４に記載の女性用ケア吸収性物品であって、
前記吸収性構造体が、前記シェルの前記後側領域に配設された縦方向縁部を有し、
前記位置決め補助手段が、前記物品の前記着用者の少なくとも一本の指を受容するためのポケットを含み、
前記少なくとも一本の指を前記ポケットに入れたときに前記着用者が前記吸収性構造体の前記縦方向縁部を知覚できるように、前記ポケットが、前記シェルの前記後側領域に、前記吸収性構造体の前記縦方向縁部の少なくとも一部と少なくとも部分的に互いに重なるような関係で配設されたことを特徴とする吸収性物品。
【請求項４１】
請求項３４に記載の女性用ケア吸収性物品であって、
前記位置決め補助手段が、前記シェルの前記後側領域に配設されたことを特徴とする吸収性物品。
【請求項４２】
請求項３４に記載の女性用ケア吸収性物品であって、
前記位置決め補助手段が細長い形状を有し、前記位置決め補助手段が前記吸収性構造体及び前記シェルの少なくとも一方の前記衣服対向面上に前記物品の縦方向に少なくとも部分的に延在していることを特徴とする吸収性物品。
【請求項４３】
請求項４２に記載の女性用ケア吸収性物品であって、
前記位置決め補助手段が、前記物品の縦方向に少なくとも部分的に延在する少なくとも１つの細長いリッジ、前記物品の縦方向に少なくとも部分的に延在する細長い溝部、前記物品の縦方向に少なくとも部分的に延在する線に沿って連続的に配設された複数の突起部、または、前記物品の縦方向に少なくとも部分的に延在する線に沿って連続的に配設された複数の溝部を含むことを特徴とする吸収性物品。
【請求項４４】
請求項３４に記載の女性用ケア吸収性物品であって、
前記吸収性構造体が、前記シェルの前記身体対向面に固定されたことを特徴とする吸収性物品。
【請求項４５】
縦方向中心軸、横方向中心軸、前側領域、後側領域、及び前記前側領域と前記後側領域との間に縦方向に延在して両領域を相互接続する中央領域を有する女性用ケア吸収性物品であって、
身体対向面及び衣服対向面を有し、女性着用者から排出された体液を吸収すべく前記着用者の膣領域の近傍に配置されるように構成された吸収性構造体と、
衣服対向面及びそれ自身を前記着用者に直接に貼着するための接着剤が配設された身体対向面を有する、前記膣領域において前記吸収性構造体を支持するためのシェルと、
前記吸収性構造体及び前記シェルの少なくとも一方に前記吸収性構造体の少なくとも一部と互いに重なるような関係で配設された、前記物品の前記着用者の少なくとも一本の指を受容するためのポケットとを含む吸収性物品。
【請求項４６】
請求項４５に記載の女性用ケア吸収性物品であって、
前記ポケットが、前記物品の前記中央領域内に少なくとも部分的に位置するようにして、前記吸収性構造体及び前記シェルの少なくとも一方に配設されたことを特徴とする吸収性物品。
【請求項４７】
請求項４５に記載の女性用ケア吸収性物品であって、
前記吸収性構造体が、前記物品の前記後側領域内に概ね配設された縦方向縁部を有し、
前記ポケットが、前記吸収性構造体及び前記シェルの少なくとも一方に、前記物品の前記後側領域内で前記吸収性構造体の前記縦方向縁部の少なくとも一部と少なくとも部分的に互いに重なるような関係で配設されたことを特徴とする吸収性物品。
【請求項４８】
請求項４５に記載の女性用ケア吸収性物品であって、
前記吸収性構造体が、前記シェルの前記身体対向面に固定されたことを特徴とする吸収性物品。
【請求項４９】
女性用ケア吸収性物品を着用者に貼着するための方法であって、
その表面上に接着剤が配設された前記物品の身体対向面が着用者の方を向き、かつ、前記物品の吸収性構造体が少なくとも部分的には前記着用者の前記膣領域と概ね整合するように、前記物品を前記着用者の前記膣領域に対して位置合わせするステップと、
前記物品上に配設された位置決め補助手段を用いて前記物品の前記着用者の前記標的領域に対する位置の触知手掛かりを得るために、前記物品の一部を前記着用者の所定の標的領域またはその略近傍に接触させるステップと、
前記触知手掛かりに基づいて前記物品の前記一部が前記所定の標的領域に位置しているかどうかを判断するステップと、
前記物品の前記一部が前記所定の標的領域に位置していない場合、前記物品の前記一部が前記所定の標的領域に概ね位置するまで、前記物品の前記着用者に対する向き及び位置の少なくとも１つを調節するステップと、
前記物品の前記一部が前記所定の標的領域に位置するようにして、前記物品を前記着用者に貼着するステップとを含むことを特徴とする方法。
【請求項５０】
請求項４９に記載の方法であって、
前記所定の標的領域が、前記着用者の会陰領域を含むことを特徴とする方法。
【請求項５１】
請求項５０に記載の方法であって、
前記触知手掛かりが前記着用者の肌の温度との温度差の触知を含むように、前記位置決め補助手段が加熱剤及び冷却剤のうちの少なくとも一方を含み、
前記判断するステップでは、前記温度差の触知に基づいて前記物品の前記一部が前記所定の標的領域に位置しているかどうかを判断することを特徴とする方法。
【請求項５２】
請求項５０に記載の方法であって、
前記触知手掛かりが前記着用者の皮膚に加えられる圧力の触知を含むように、前記位置決め補助手段が前記物品上に配設された少なくとも１つの凸部を含み、
前記判断するステップでは、前記圧力の触知に基づいて前記物品の前記一部が前記所定の標的領域に位置しているかどうかを判断することを特徴とする方法。
【請求項５３】
請求項４９に記載の方法であって、
前記位置決め補助手段が前記物品の前記一部に配設され、
前記接触させるステップでは、前記所定の標的領域またはその略近傍において、前記位置決め補助手段を前記着用者に接触させることを特徴とする方法。
【請求項５４】
パッケージ化された女性用ケア吸収性物品であって、
女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有するシェルとを含み、
前記吸収性物品が、前記吸収性物品の少なくとも一部分が前記吸収性物品の他の部分と互いに重なる関係にあるパッケージ化形態と、前記両部分が互いに重ならない関係にある使用形態とを有することを特徴とする吸収性物品。
【請求項５５】
請求項５４に記載のパッケージ化された女性用ケア吸収性物品であって、
前記パッケージ化形態では、前記吸収性物品が巻かれた状態にあることを特徴とする吸収性物品。
【請求項５６】
請求項５５に記載のパッケージ化された女性用ケア吸収性物品であって、
円筒状部材をさらに含み、前記パッケージ化形態では前記吸収性物品が前記円筒状部材の周りに巻かれた状態にあり、前記使用形態では前記吸収性物品が前記円筒状部材に巻かれた状態から解かれた状態にあることを特徴とする吸収性物品。
【請求項５７】
請求項５６に記載のパッケージ化された女性用ケア吸収性物品であって、
前記円筒状部材が、タンポンとタンポン挿入具とのアセンブリであることを特徴とする吸収性物品。
【請求項５８】
請求項５６に記載のパッケージ化された女性用ケア吸収性物品であって、
前記円筒状部材が、球根状の両端部と前記両端部間に配設された凹状の中央部分とを有するチューブであることを特徴とする吸収性物品。
【請求項５９】
請求項５４に記載のパッケージ化された女性用ケア吸収性物品であって、
前記パッケージ化形態では前記吸収性物品が折り畳まれた状態にあり、前記使用形態では前記吸収性物品が前記折り畳まれた状態から広げられた状態にあることを特徴とする吸収性物品。
【請求項６０】
請求項５９に記載のパッケージ化された女性用ケア吸収性物品であって、
前記パッケージ化形態では、前記吸収性物品が略半分に折り畳まれていることを特徴とする吸収性物品。
【請求項６１】
請求項６０に記載のパッケージ化された女性用ケア吸収性物品であって、
前記吸収性物品が縦方向中心軸及び横方向中心軸を有し、前記パッケージ化形態では前記横方向中心軸を中心にして略半分に折り畳まれていることを特徴とする吸収性物品。
【請求項６２】
請求項５９に記載のパッケージ化された女性用ケア吸収性物品であって、
前記パッケージ化形態では、Ｚ状に折り畳まれていることを特徴とする吸収性物品。
【請求項６３】
請求項５４に記載のパッケージ化された女性用ケア吸収性物品であって、
前記シェルの前記身体対向面に配設された前記接着剤が、前記吸収性物品を前記パッケージ化形態に保つために使用されることを特徴とする吸収性物品。
【請求項６４】
請求項６３に記載のパッケージ化された女性用ケア吸収性物品であって、
前記吸収性物品の形態を前記パッケージ化形態から前記使用形態に変更する際に、前記吸収性物品を手で掴むための把持部をさらに含むことを特徴とする吸収性物品。
【請求項６５】
請求項５４に記載のパッケージ化された女性用ケア吸収性物品であって、
前記シェルの前記身体対向面に配設された前記接着剤を被覆するための剥離可能な剥離シートをさらに含むことを特徴とする吸収性物品。
【請求項６６】
請求項５４に記載のパッケージ化された女性用ケア吸収性物品であって、
前記パッケージ化形態の前記吸収性物品を包装するための包装材をさらに含むことを特徴とする吸収性物品。
【請求項６７】
パッケージ化された女性用ケア吸収性物品であって、
女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有するシェルと、
前記シェルの前記身体対向面上に配設された接着剤を被覆するカバーとを含むことを特徴とする吸収性物品。
【請求項６８】
請求項６７に記載のパッケージ化された女性用ケア吸収性物品であって、
前記カバーが、剥離可能な剥離シートであることを特徴とする吸収性物品。
【請求項６９】
請求項６７に記載のパッケージ化された女性用ケア吸収性物品であって、
少なくとも１つの付属製品をさらに含み、
前記カバーが、前記少なくとも１つの付属製品を保持するためのポケットを有することを特徴とする吸収性物品。
【請求項７０】
請求項６９に記載のパッケージ化された女性用ケア吸収性物品であって、
前記少なくとも１つの付属製品がワイプを含むことを特徴とする吸収性物品。
【請求項７１】
請求項６９に記載のパッケージ化された女性用ケア吸収性物品であって、
前記ポケットが、前記カバーの一部分が前記カバーの他の部分と互い重なる関係となるように前記カバーを折り畳むことにより形成されることを特徴とする吸収性物品。
【請求項７２】
請求項６７に記載のパッケージ化された女性用ケア吸収性物品であって、
前記カバーが、前記吸収性物品及び前記シェルを完全に取り囲むことを特徴とする吸収性物品。
【請求項７３】
請求項６７に記載のパッケージ化された女性用ケア吸収性物品であって、
前記カバーが、前記シェルの前記身体対向面の全体を被覆することを特徴とする吸収性物品。
【請求項７４】
女性着用者から排出された体液を吸収すべく前記着用者の膣領域の近傍に配置されるように構成された吸収性構造体と、前記吸収性構造体を支持するためのシェルであって、衣服対向面及び当該シェルを前記着用者に直接貼着するための接着剤が配設された身体対向面を有するシェルとを含む女性用ケア吸収性物品を着用者に貼着するための方法であって、
前記シェルの前記接着剤によって、前記吸収性物品の少なくとも一部分が前記吸収性物品の他の部分と互いに重なる関係にあるパッケージ化形態にある吸収性物品の後側領域を前記着用者の臀部に貼着するステップと、
前記吸収性物品の形態を前記パッケージ化形態から前記吸収性物品の前記少なくとも一部分が前記吸収性物品の前記他の部分と互いに重ならない関係にある使用形態へ変更するステップと、
前記吸収性物品の前記中央領域を前記着用者の膣領域の近傍に貼着するステップとを含むことを特徴とする方法。
【請求項７５】
請求項７４に記載の方法であって、
前記吸収性物品の形態を前記パッケージ化形態から前記使用形態へ変更するステップは、巻かれた状態にある前記吸収性物品を解くことを含むことを特徴とする方法。
【請求項７６】
請求項７５に記載の方法であって、
前記巻かれた状態にある前記吸収性物品を解くことは、チューブに巻かれた状態にある前記吸収性物品を解くことを含むことを特徴とする方法。
【請求項７７】
請求項７５に記載の方法であって、
前記巻かれた状態にある前記吸収性物品を解くことは、タンポン、ワイプ、手袋、洗浄用ローション、汚物処理袋、及び洗浄用クッションの少なくとも１つに巻かれた状態にある前記吸収性物品を解くこと含むことを特徴とする方法。
【請求項７８】
請求項７４に記載の方法であって、
前記吸収性物品の形態を前記パッケージ化形態から前記使用形態へ変更するステップは、折り畳まれた状態にある前記吸収性物品を広げることを含むことを特徴とする方法。
【請求項７９】
請求項７４に記載の方法であって、
前記吸収性物品を密封した包装材から前記吸収性物品を取出すステップをさらに含むことを特徴とする方法。
【請求項８０】
請求項７４に記載の方法であって、
前記シェルの前記身体対向面に配設された接着剤を覆っている剥離シートを剥がすステップをさらに含むことを特徴とする方法。
【請求項８１】
女性用ケア吸収性物品であって、
身体対向面及び衣服対向面を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有するシェルとを含み、
前記吸収性物品が、縦方向中心軸、横方向中心軸、前側領域、後側領域、前記前側領域と前記後側領域との間に縦方向に延在して両領域を相互接続する中央領域、及び前記シェルにより少なくとも部分的に画定される周縁部を有し、
前記吸収性構造体が前記シェルに取付けられ、かつ
前記吸収性物品が、前記吸収性構造体及び前記シェルの少なくとも一方に取付けられ前記物品の前記周縁部を越えて外側に延出する少なくとも１つの着脱自在なタブをさらに含むことを特徴とする吸収性物品。
【請求項８２】
請求項８１に記載の女性用ケア吸収性物品であって、
前記少なくとも１つの着脱自在なタブが、前記物品の前記前側領域及び前記後側領域の一方に配設されることを特徴とする吸収性物品。
【請求項８３】
請求項８１に記載の女性用ケア吸収性物品であって、
前記シェルが、前記前側領域内に縦方向縁部を有し、
前記縦方向縁部の少なくとも一部が前記物品の前記周縁部を画定し、
前記少なくとも１つの着脱自在なタブは、前記物品の前記前側領域において前記物品に取付けられ、前記前側領域において前記シェルの前記縦方向縁部を越えて縦方向外側に延出することを特徴とする吸収性物品。
【請求項８４】
請求項８１に記載の女性用ケア吸収性物品であって、
前記少なくとも１つの着脱自在なタブが、前記シェルに取付けられることを特徴とする吸収性物品。
【請求項８５】
請求項８１に記載の女性用ケア吸収性物品であって、
前記少なくとも１つの着脱自在なタブが、身体対向面及び衣服対向面を有し、
前記タブの前記衣服対向面の少なくとも一部に接着剤が配設されたことを特徴とする吸収性物品。
【請求項８６】
請求項８１に記載の女性用ケア吸収性物品であって、
前記吸収性構造体が、前記シェルの前記身体対向面に取付けられることを特徴とする吸収性物品。
【請求項８７】
請求項８１に記載の女性用ケア吸収性物品であって、
前記物品が、身体対向面及び衣服対向面を有し、
前記物品の前記衣服対向面の少なくとも一部に接着剤が配設されたことを特徴とする吸収性物品。
【請求項８８】
請求項８７に記載の女性用ケア吸収性物品であって、
前記物品の前記衣服対向面に剥離可能に貼着され、前記物品の前記衣服対向面上に配設された接着剤を被覆する剥離シートをさらに含むことを特徴とする吸収性物品。
【請求項８９】
請求項８１に記載の女性用ケア吸収性物品であって、
前記少なくとも１つの着脱自在なタブから離間して配設され、前記物品の横方向両外側へ各々延出する一対の衣服取付けウイングをさらに含み、
前記各ウイングが、身体対向面及びその少なくとも一部に接着剤が配設された衣服対向面を有することを特徴とする吸収性物品。
【請求項９０】
女性用ケア吸収性物品であって、
身体対向面及び衣服対向面を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有するシェルとを含み、
前記吸収性物品が、縦方向中心軸、横方向中心軸、前側領域、後側領域、及び、前記前側領域と前記後側領域との間に縦方向に延在して両領域を相互接続する中央領域を有し、
前記吸収性構造体が、前記シェルに着脱自在に取付け可能な着脱可能部分を有し、かつ
前記吸収性構造体が、前記吸収性構造体の前記着脱可能部分が前記シェルに取付けられた使用時形態と、前記吸収性構造体の前記着脱可能部分が前記シェルから取り外された不使用時形態とを取ることができることを特徴とする吸収性物品。
【請求項９１】
請求項９０に記載の女性用ケア吸収性物品であって、
前記吸収性構造体の形態を不使用時形態から使用時形態へ変更する際に前記吸収性構造体の前記着脱可能部分に取付けられる少なくとも１つの着脱自在なタブをさらに含むことを特徴とする吸収性物品。
【請求項９２】
請求項９０に記載の女性用ケア吸収性物品であって、
前記吸収性構造体の前記着脱可能部分が、前記シェルの前記身体対向面に着脱自在に取付け可能であることを特徴とする吸収性物品。
【請求項９３】
請求項９２に記載の女性用ケア吸収性物品であって、
前記吸収性構造体の前記着脱可能部分が、前記シェルの前記衣服対向面に着脱自在に取付け可能であることを特徴とする吸収性物品。
【請求項９４】
請求項９０に記載の女性用ケア吸収性物品であって、
前記吸収性構造体が前記不使用時形態にあるときに前記吸収性構造体が前記シェルに結合された状態に保たれるように、前記吸収性構造体が前記シェルにヒンジ結合されたことを特徴とする吸収性物品。
【請求項９５】
請求項９４に記載の女性用ケア吸収性物品であって、
前記吸収性物品の形態を使用時形態と不使用時形態との間で変更する際に、前記吸収性構造体が前記吸収性物品の縦方向に移動可能であることを特徴とする吸収性物品。
【請求項９６】
請求項９０に記載の女性用ケア吸収性物品であって、
前記吸収性構造体が、前記吸収性構造体が前記不使用時形態にあるときに前記吸収性構造体が前記シェルに結合された状態に保つための略固定部分を有することを特徴とする吸収性物品。
【請求項９７】
請求項９６に記載の女性用ケア吸収性物品であって、
前記吸収性構造体の前記着脱可能部分は、前記吸収性構造体が不使用時形態にあるときに前記吸収性構造体の前記略固定部上に折り畳まれることを特徴とする吸収性物品。
【請求項９８】
女性用ケア吸収性物品であって、
身体対向面及び衣服対向面を有し、女性着用者から排出された体液を吸収すべく前記着用者の膣領域の近傍に配置されるように構成された吸収性構造体と、
前記吸収性構造体を支持するためのシェルであって、衣服対向面及び当該シェルを前記着用者に直接貼着するための接着剤が配設された身体対向面を有するシェルとを含み、
前記吸収性物品が、縦方向中心軸、横方向中心軸、身体対向面、接着剤が配設された衣服対向面、前側領域、後側領域、及び、前記前側領域と前記後側領域との間に縦方向に延在して両領域を相互接続する中央領域を有することを特徴とする吸収性物品。
【請求項９９】
請求項９８に記載の女性用ケア吸収性物品であって、
前記吸収性物品の前記衣服対向面上に配設された接着剤を被覆するように、前記吸収性物品に剥離可能に貼着された剥離シートをさらに含むことを特徴とする吸収性物品。
【請求項１００】
請求項９８に記載の女性用ケア吸収性物品であって、
前記シェルに取付けられ、前記シェルの横方向両外側に各々延出する一対の取付けウイングをさらに含み、
前記各ウイング部が前記物品の前記衣服対向面を部分的に画定する衣服対向面を有し、
前記ウイング部の前記衣服対向面上に接着剤が配設されていることを特徴とする吸収性物品。
【請求項１０１】
身体対向面及び衣服対向面を有する身体貼着型の女性用ケア吸収性物品の着用方法であって、
前記物品の前記衣服対向面上に配設された接着剤によって前記物品を下着に貼着するステップと、
前記物品の前記身体対向面が前記着用者に接触して前記物品の前記身体対向面上に配設された接着剤によって前記着用者に接着されるように、前記下着を前記着用者の腰周りの通常の着用位置に着用するステップとを含むことを特徴とする方法。
【請求項１０２】
請求項１０１に記載の方法であって、
前記下着を着用する前記ステップの後に、前記物品を前記着用者に貼着するために前記物品を前記下着から取り外すステップをさらに含むことを特徴とする方法。
【請求項１０３】
請求項１０２に記載の方法であって、
前記物品を前記下着から取り外す前記ステップの後に、前記物品が前記下着に再貼着されるのを防ぐために前記物品の前記衣服対向面上に配設された前記接着剤を被覆するステップをさらに含むことを特徴とする方法。
【請求項１０４】
請求項１０１に記載の方法であって、
前記物品の前記衣服対向面上に配設された接着剤を露出させるために前記接着剤を被覆している剥離シートを剥がすステップをさらに含み、
前記物品を下着に貼着する前記ステップは、前記剥離シートを剥がすステップの後に行われることを特徴とする方法。
【請求項１０５】
請求項１０４に記載の方法であって、
前記物品を前記下着から取り外す前記ステップの後に、前記物品が前記下着に再貼着されるのを防ぐために前記物品の前記衣服対向面上に配設された前記接着剤の上に前記剥離シートを再び貼着するステップをさらに含むことを特徴とする方法。
【発明の詳細な説明】
【技術分野】
【０００１】
本発明は、一般に、体液を吸収するための吸収性物品に関する。
【背景技術】
【０００２】
身体から排出された体液を吸収することを目的とした吸収性パーソナルケア物品は、当該技術分野では周知である。そのような吸収性物品は、体液を吸収して保持することができる繊維集合体またはその他の吸収性コアを概して含む。同様に、尿及び／または月経などの液体の吸収及び保持に利用されている女性用ケア物品が周知である。吸収性物品の典型的な構造は、液体不透過性のバックシート、液体透過性のトップシート、及び、バックシートとトップシートとの間に配置される吸収性コアを含む。従来の吸収性物品はまた、吸水層、分配層、保持層などの、流体操作を向上させるための様々な他の要素も含む。これらの吸収性パーソナルケア物品では、トップシートは吸収性物品における身体対向面であり、バックシートは吸収性物品における衣服対向面である。
【０００３】
一般的に、おむつやトレーニングパンツ（トイレ訓練用パンツ）などのパンツ状衣服の場合は吸収性物品のウエスト部分に配設された弾性部材によって前記吸収性物品を着用者の腰周りに取付けることにより、或いは、パッドやライナーの場合は前記吸収性物品を下着や肌着に付着させることにより、吸収性物品は使用中に一定位置に維持される。吸収性物品を着用者の下着または肌着に付着させる現在の方法には、バックシートの衣服対向面に接着剤を配設すること、吸収性物品の長手方向両側から延出して着用者の下着または肌着の股部分を包み込む任意選択のフラップ（羽）を設けること、及び、前記接着剤と前記フラップの組み合わせが含まれる。
【０００４】
また、接着剤を使用して、吸収性物品を着用者の肌に貼着することが提案されている。しかし、着用者の肌に貼着させるタイプの吸収性物品のデザインは、着用者の下着または肌着に付着させるタイプの吸収性物品と実質的に同一である。すなわち、接着剤は、トップシートの身体対向面に配設される。或いは、別のデザインでは、バックシートの一部がトップシートを包み込むようにして覆う。バックシートにおけるトップシートを包み込むようにして覆う部分は、身体対向面となる。接着剤は、バックシートにおける、トップシートを覆う部分に配設される。これらのデザインは、吸収性物品を着用者の皮膚に貼着することについては効果的であるが、着用者の肌に貼着させるタイプの吸収性物品の形状及びサイズは、着用者の下着または肌着に付着させるタイプの吸収性物品の形状及びサイズと同一なので、これらのデザインの吸収性物品の着用は着用者にとって快適でない。
【０００５】
同様に、着用者の下着または肌着に付着させるタイプの吸収性物品も、着用者にとって快適ではない。これは、通常の身体動作時に、身体の一部が下着に対して対向力を加え、下着を寄せ集めたりねじれさせたりするためである。このことが発生すると、下着または肌着に付着させられた吸収性物品は、寄せ集められたりねじれたりし、吸収性物品の着用者に不快さをもたらす。例えば、着用者の動いたときに吸収性物品から大腿内側に加わる圧力（着用者からは「おむつのような」感触としばしば呼ばれる）の有無は、ライナー、超薄型吸収性パッド及び生理パッドなどの従来の吸収性物品の着用者が着用快適性について妥協する原因のひとつである。加えて、着用者の動きまたは着用時の下着の変形は、着用者の身体への吸収性物品のフィットを損なわせ、吸収性物品からの漏れをもたらす。
【０００６】
従来の吸収性物品の別の欠点は、吸収性物品のシルエットまたは輪郭が、着用者の衣服の上から他人に分かってしまうことである。現在入手可能な超薄吸収性物品でさえも、着用者が体にぴったりとした服を着た場合は衣服の上から分かってしまう。そのため、従来の吸収性物品は、着用者の行動の自由を常に提供するものではなかった。
【０００７】
したがって、当分野では、吸収性物品の着用者に、従来のパッドのように使用が容易であり、着用が快適であり、かつ吸収性物品からの早まった漏れを効率的に防止または減少させることができる、従来とは異なる吸収性製品を提供することが求められている。
【先行技術文献】
【特許文献】
【０００８】
【特許文献１】米国特許第６、０４５、９００号明細書
【発明の概要】
【課題を解決するための手段】
【０００９】
一態様では、女性用ケア吸収性物品は、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、身体対向面及び衣服対向面を有する。前記身体対向面は、前記シェルを前記着用者に直接貼着するための接着剤をその表面上に有する。前記シェルは、縦方向中心軸、横方向中心軸、前側領域、後側領域、及び前記前側領域と前記後側領域との間に縦方向に延在して両領域を相互接続する中央領域を有する。前記シェルの前記前側領域は、前記横方向中心軸から、或る縦方向延在範囲を有する縦方向縁部を含む。前記縦方向延在範囲は、前記縦方向縁部が前記シェルの前記縦方向中心軸から横方向外側に行くにつれて増大する。
【００１０】
他の態様では、女性用ケア吸収性物品は、周縁部を有し、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、縦方向中心軸、横方向中心軸、前側領域、後側領域、及び前記前側領域と前記後側領域との間に縦方向に延在して両領域を相互接続する中央領域を有する。前記吸収性構造体は、前記シェルの少なくとも一部を覆うようにして前記シェルに固定される。前記シェルは、前記シェルの少なくとも一部が前記吸収性構造体の前記周縁部の少なくとも一部に沿って前記吸収性構造体を越えて外側に延出するような形状及び前記吸収性物品に対する大きさを有する。前記シェルが前記吸収性構造体を越えて外側に延出する幅は、約３ｍｍないし約１５ｍｍである。
【００１１】
さらに他の態様では、女性用ケア吸収性物品は、周縁部を有し、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、身体対向面及び衣服対向面を有する。前記身体対向面は、前記シェルを前記着用者に直接貼着するための接着剤をその表面上に有する。前記シェルは、縦方向中心軸、横方向中心軸、前側領域、後側領域、及び前記前側領域と前記後側領域との間に縦方向に延在して両領域を相互接続する中央領域を有する。前記シェルは、部分的には前記シェルの横方向両外側に、かつ部分的には前記シェルの縦方向外側に延出する中心軸を有する。前記タブは、前記タブを前記着用者に直接貼着するための接着剤をその表面上に有する。
【００１２】
さらなる別の態様では、女性用ケア吸収性物品は、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、身体対向面及び衣服対向面を有する。前記身体対向面は、前記シェルを前記着用者に直接貼着するための接着剤をその表面上に有する。前記シェルは、縦方向中心軸、横方向中心軸、前側領域、後側領域、前記前側領域と前記後側領域との間に縦方向に延在して両領域を相互接続する中央領域、及び前記後側領域において横方向両側に互いに離間して配設された一対のタブを有する。前記各タブにおける前記シェルの前記身体対向面は、前記タブを前記着用者に固定するための接着剤をその表面上に有する。
【００１３】
さらなる態様では、女性用ケア吸収性物品は、女性着用者から排出された体液を吸収すべく前記着用者の膣領域の近傍に配置されるように構成された吸収性構造体を概して含む。前記吸収性構造体は、身体対向面及び衣服対向面を有する。シェルが、前記吸収性構造体を前記膣領域において支持する。前記シェルは、身体対向面及び衣服対向面を有する。前記シェルの前記身体対向面は、前記シェルを前記着用者に直接貼着するための接着剤をその表面上に有する。前記シェルは、縦方向中心軸、横方向中心軸、前側領域、後側領域、及び前記前側領域と前記後側領域との間に縦方向に延在して両領域を相互接続する中央領域を有する。位置決め補助手段が、前記吸収性構造体及び前記シェルの少なくとも一方に配設される。前記位置決め補助手段は、前記吸収性構造体が前記着用者の前記膣領域の近傍に位置するように前記着用者の標的配置領域内で前記吸収性物品を能動的に位置合わせすることを容易にするために、前記物品を前記着用者に配置するときに前記物品の前記着用者が知覚できるよう構成されている。
【００１４】
別の態様では、女性用ケア吸収性物品は、縦方向中心軸、横方向中心軸、前側領域、後側領域、及び前記前側領域と前記後側領域との間に縦方向に延在して両領域を相互接続する中央領域を有するとともに、女性着用者から排出された体液を吸収すべく前記着用者の膣領域の近傍に配置されるように構成された吸収性構造体を概して含む。前記吸収性構造体は、身体対向面及び衣服対向面を有する。シェルが、前記吸収性構造体を前記膣領域において支持する。前記シェルの前記身体対向面は、前記シェルを前記着用者に直接貼着するための接着剤をその表面上に有する。前記物品の着用者の少なくとも一本の指を受容するためのポケットが、前記吸収性構造体の少なくとも一部と互いに重なるような関係で、前記吸収性構造体及び前記シェルのうちの少なくとも１つに配設される。
【００１５】
さらなる別の態様では、女性用ケア吸収性物品を着用者に貼着するための方法は、その表面上に接着剤が配設された前記物品の身体対向面が着用者の方を向き、かつ、前記物品の吸収性構造体が少なくとも部分的には前記着用者の前記膣領域と概ね整合するように、前記物品を前記着用者の前記膣領域に対して位置合わせさせる。続いて、前記物品上に配設された位置決め補助手段を用いて前記物品の前記着用者の前記標的領域に対する位置の触知手掛かりを得るために、前記物品の一部を前記着用者の所定の標的領域またはその略近傍に接触させる。次に、前記触知手掛かりに基づいて前記物品の前記一部が前記所定の標的領域に位置しているかどうかを判断する。そして、前記物品の前記一部が前記所定の標的領域に位置していない場合、前記物品の前記一部が前記所定の標的領域に概ね位置するまで、前記物品の前記着用者に対する向き及び位置の少なくとも１つを調節する。最後に、前記物品の前記一部が前記所定の標的領域に位置するようにして、前記物品を前記着用者に貼着する。
【００１６】
さらなる態様では、パッケージ化された女性用ケア吸収性物品は、女性着用者から排出された体液を吸収すべく前記着用者の膣領域の近傍に配置されるように構成された吸収性構造体と、前記膣領域において前記吸収性構造体を支持するためのシェルとを有する吸収性物品を概して含む。前記シェルは、身体対向面及び衣服対向面を有する。前記シェルの前記身体対向面は、前記シェルを前記着用者に直接貼着するための接着剤をその表面上に有する。前記吸収性物品は、前記吸収性物品の少なくとも一部分が前記吸収性物品の他の部分と互いに重なる関係にあるパッケージ化形態と、前記両部分が互いに重ならない関係にある使用形態とを有する。
【００１７】
別の態様では、パッケージ化された女性用ケア吸収性物品は、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、身体対向面及び衣服対向面を有する。前記シェルの前記身体対向面は、前記シェルを前記着用者に直接貼着するための接着剤をその表面上に有する。前記吸収性物品は、前記シェルの前記身体対向面上に配設された前記接着剤を被覆するカバーをさらに含む。
【００１８】
さらなる別の態様では、女性用ケア吸収性物品をその着用者に貼着するための方法は、前記物品の前記シェルに配設された接着剤を使用して、パッケージ化された吸収性物品の後側領域を着用者の臀部に貼着する。次に、前記吸収性物品を、前記吸収性物品の少なくとも一部分が前記吸収性物品の他の部分と互いに重なる関係にある前記パッケージ化形態から、前記両部分が互いに重ならない関係にある前記使用形態へ変更させる。そして、前記物品の前記中央領域を、前記着用者の膣領域の近傍に貼着する。
【００１９】
さらなる別の態様では、女性用ケア吸収性物品は、女性着用者から排出された体液を吸収すべく前記着用者の膣領域の近傍に配置されるように構成された吸収性構造体と、前記膣領域において前記吸収性構造体を支持するためのシェルとを概して含む。前記シェルは、身体対向面及び衣服対向面を有する。前記シェルの前記身体対向面は、前記シェルを前記着用者に直接貼着するための接着剤をその表面上に有する。前記物品は、縦方向中心軸、横方向中心軸、前側領域、後側領域、及び、前記前側領域と前記後側領域との間に縦方向に延在して両領域を相互接続する中央領域を有する。また、前記物品は、前記シェルにより少なくとも部分的に画定される周辺縁部を有する。前記吸収性構造体は、前記シェルに取付けられる。少なくとも１つのタブが、前記吸収性構造体及び前記シェルのうちの少なくとも一方に取付けられ、前記物品の前記周辺縁部から外側に延出する。
【００２０】
別の態様では、女性用ケア吸収性物品は、身体対向面及び衣服対向面を有し、女性着用者から排出された体液を吸収すべく前記着用者の膣領域の近傍に配置されるように構成された吸収性構造体を概して含む。身体対向面及び衣服対向面を有するシェルが、前記吸収性構造体を前記膣領域において支持する。前記シェルの前記身体対向面は、前記シェルを前記着用者に直接貼着するための接着剤をその表面上に有する。前記物品は、縦方向中心軸、横方向中心軸、前側領域、後側領域、及び、前記前側領域と前記後側領域との間に縦方向に延在して両領域を相互接続する中央領域を有する。前記吸収性構造体は、前記シェルに着脱自在に取付け可能な着脱可能部分を有する。前記吸収性構造体は、前記吸収性構造体の前記着脱可能部分が前記シェルに取付けられた使用時形態と、前記吸収性構造体の前記着脱可能部分が前記シェルから取り外された不使用時形態とを取ることができる。
【００２１】
さらなる別の態様では、女性用ケア吸収性物品は、身体対向面及び衣服対向面を有し、女性着用者から排出された体液を吸収すべく前記着用者の膣領域の近傍に配置されるように構成された吸収性構造体を概して含む。身体対向面及び衣服対向面を有するシェルが、前記吸収性構造体を前記膣領域において支持する。前記シェルの前記身体対向面は、前記シェルを前記着用者に直接貼着するための接着剤をその表面上に有する。前記物品は、縦方向中心軸、横方向中心軸、前側領域、後側領域、及び、前記前側領域と前記後側領域との間に縦方向に延在して両領域を相互接続する中央領域を有する。また、前記物品は、その衣服対向面上に接着剤を有する。
【００２２】
さらに別の態様では、身体対向面及び衣服対向面を有する身体貼着型の女性用ケア吸収性物品の装着方法は、前記物品の前記衣服対向面上に配設された接着剤によって前記物品を下着に貼着するステップと、前記物品の前記身体対向面が前記着用者に接触して前記物品の前記身体対向面上に配設された接着剤によって前記着用者に接着されるように、前記下着を前記着用者の腰周りの通常の着用位置に着用するステップとを含む。
【図面の簡単な説明】
【００２３】
【図１】本発明の吸収性物品の一実施形態の上面図を示す。
【図２】本発明の吸収性物品の一実施形態の上面図を示す。
【図３】図１に示した本発明の吸収性物品の一実施形態の底面図を示す。
【図４】図２に示した本発明の吸収性物品の一実施形態の底面図を示す。
【図５】図２に示した本発明の吸収性物品の一実施形態の５−５線に沿った側断面図を示す。
【図６】図２に示した二層シェルを有する本発明の吸収性物品の一実施形態の５−５線に沿った側断面図を示す。
【図７】ヒンジ結合された吸収性構造体を有する本発明の吸収性物品の一実施形態の断面図を示す。
【図８Ａ】剥離シートが貼着された本発明の吸収性物品を示す。
【図８Ｂ】剥離シートが貼着された本発明の吸収性物品を示す。
【図９Ａ】身体の特定の領域に貼着されるようにデザインされた別の本発明の吸収性物品の上面図を示す。
【図９Ｂ】図９Ａの９−９線に沿った断面図を示す。
【図１０Ａ】配置ガイドを有する本発明の実施形態を示す。
【図１０Ｂ】配置ガイドを有する本発明の実施形態を示す。
【図１１】本発明の吸収性物品の別の実施形態の斜視図を示す。
【図１２】吸収性物品の分解斜視図を示す。
【図１３】吸収性物品の上面図を示す。
【図１４】吸収性物品の底面図を示す。
【図１５】吸収性物品の側面図を示す。
【図１６】図１３の６−６線に沿って切った側断面図を示す。
【図１７】吸収性物品のシェルの上面図を示す。
【図１８】吸収性物品の吸収性構造体の上面図を示す。
【図１９Ａ】本発明の吸収性物品の別の実施形態の上面図を示す。
【図１９Ｂ】本発明の吸収性物品の別の実施形態の上面図を示す。
【図２０】本発明の吸収性物品のさらに別の実施形態の側断面図を示す。
【図２０Ａ】本発明の吸収性物品のさらに別の実施形態の側断面図を示す。
【図２１】凹形状のシェルを有する本発明の吸収性物品の別の実施形態の側面図を示す。
【図２２】シェルに埋め込まれた吸収性コアを有する本発明の吸収性物品の側断面図を示す。
【図２３】本発明の吸収性物品の一実施形態の上面図である。図２３、図２３Ａ及び図２３Ｂの吸収性物品は、互いに異なる形状のシェルを有している。
【図２３Ａ】本発明の吸収性物品の一実施形態の上面図である。図２３、図２３Ａ及び図２３Ｂの吸収性物品は、互いに異なる形状のシェルを有している。
【図２３Ｂ】本発明の吸収性物品の一実施形態の上面図である。図２３、図２３Ａ及び図２３Ｂの吸収性物品は、互いに異なる形状のシェルを有している。
【図２４Ａ】吸収性構造体の一部だけがシェル上に位置する本発明の吸収性物品の一実施形態の底面図である。
【図２４Ｂ】吸収性構造体の一部だけがシェル上に位置する本発明の吸収性物品の一実施形態の上面図である。
【図２４Ｃ】図２４Ｂの２４Ｃ−２４Ｃ線に沿って切った断面図を示す。
【図２５】本発明の吸収性物品の一実施形態の上面図であり、身体接着剤が開パターンで塗布されている様子を示す。
【図２６Ａ】剥離シートが貼着された本発明の吸収性物品を示す。
【図２６Ｂ】剥離シートが貼着された本発明の吸収性物品を示す。
【図２６Ｃ】剥離シートが貼着された本発明の吸収性物品を示す。
【図２７】身体の特定領域に貼着されるようにデザインされた本発明の別の吸収性物品の上面図を示す。
【図２８】図２７の２８−２８線に沿って切った断面図を示す。
【図２９Ａ】配置ガイドを有する本発明の実施形態を示す。
【図２９Ｂ】配置ガイドを有する本発明の実施形態を示す。
【図３０】本発明の身体貼着型女性ケア吸収性物品の別の実施形態の平面図である。より詳細には、吸収性物品の身体対向面が示されており、身体対向面上には位置決め補助手段が設けられている。
【図３１】本発明の身体貼着型女性ケア吸収性物品の別の実施形態の平面図である。より詳細には、吸収性物品の身体対向面が示されており、身体対向面上には位置決め補助手段が設けられている。
【図３２Ａ】本発明の身体貼着型女性ケア吸収性物品の別の実施形態の平面図である。より詳細には、吸収性物品の身体対向面が示されており、身体対向面上には突起形態の位置決め補助手段が設けられている。
【図３２Ｂ】図３２Ａの３２Ｂ−３２Ｂ線に沿って切った断面図を示す。
【図３３】本発明の身体貼着型女性ケア吸収性物品の別の実施形態の平面図である。より詳細には、吸収性物品の身体対向面が示されており、身体対向面上にはリッジ形態の位置決め補助手段が設けられている。
【図３４Ａ】本発明の身体貼着型女性ケア吸収性物品の別の実施形態の平面図である。より詳細には、吸収性物品の衣服対向面が示されており、衣服対向面上にはポケット形態の位置決め補助手段が設けられている。ポケットは、吸収性物品の後側領域に設けられる。
【図３４Ｂ】図３４Ａの３４Ｂ−３４Ｂ線に沿って切った断面図を示す。
【図３５Ａ】本発明の身体貼着型女性ケア吸収性物品の別の実施形態の平面図である。より詳細には、吸収性物品の衣服対向面が示されており、衣服対向面上にはポケット形態の位置決め補助手段が設けられている。ポケットは、吸収性物品の中央領域に設けられる。
【図３５Ｂ】図３５Ａの３５Ｂ−３５Ｂ線に沿って切った断面図を示す。
【図３６Ａ】本発明の身体貼着型女性ケア吸収性物品の別の実施形態の平面図である。より詳細には、吸収性物品の衣服対向面が示されており、衣服対向面上にはポケット形態の位置決め補助手段が設けられている。ポケットは、吸収性物品の後側領域及び前側領域にそれぞれ設けられる。
【図３６Ｂ】図３６Ａの３６Ｂ−３６Ｂ線に沿って切った断面図を示す。
【図３７】丸めてパッケージ化形態にされた図１１の吸収性物品の側面図を示す。
【図３８】パッケージ化形態にされた吸収性物品の端面図を示す。
【図３９】図３７の３９−３９線に沿って切った断面図を示す。
【図４０】パッケージ化形態にある吸収性物品の全体を覆っている包装材の正面図を示す。
【図４１】チューブの周りに丸めてパッケージ形態にされた図１１の吸収性物品の斜視図を示す。
【図４２】チューブの周りに丸めてパッケージ形態にされた図１１の吸収性物品の斜視図を示す。
【図４３Ａ】図４２と同様の斜視図であるが、ここでは、チューブの内側チャンバ内に挿入されるように構成されたタンポン及びアプリケータアセンブリを示す。
【図４３Ｂ】図４３Ａと同様の斜視図であるが、ここでは、タンポン及びアプリケータアセンブリがチューブの内側チャンバ内に配置された状態を示す。
【図４４】タンポン及びアプリケータアセンブリの周りに丸めてパッケージ形態にされた図１１の吸収性物品の斜視図を示す。
【図４５】パッケージ化形態に折り畳まれた図１１の吸収性物品の正面図を示す。
【図４６】パッケージ化形態に折り畳まれた吸収性物品の側面図を示す。
【図４７】図３５の４７−４７線に沿って切った断面図を示す。
【図４８】パッケージ化形態にある吸収性物品の全体を覆っている包装材の正面図を示す。
【図４９】パッケージ化形態にＺ状に折り畳まれた吸収性物品の側面図を示す。
【図５０】剥離シートを有し、パッケージ化形態に折り畳まれた吸収性物品の側面図を示す。
【図５１】概ね平坦な形態にある吸収性物品の全体を覆っている包装材の側面図を示す。
【図５２】パッケージ化形態から使用形態に展開された吸収性物品の斜視図を示す。
【図５３】パッケージ化形態から使用形態に展開された吸収性物品の斜視図を示す。
【図５４】パッケージ化形態から使用形態に展開された吸収性物品の斜視図を示す。
【図５５】身体貼着型女性ケア吸収性物品の別の実施形態の平面図である。より詳細には、吸収性物品の衣服対向面が示されており、衣服対向面上には取り外し可能なタブが設けられている。
【図５６Ａ】本発明の身体貼着型女性ケア吸収性物品の別の実施形態の平面図である。より詳細には、吸収性物品の衣服対向面が示されており、衣服対向面上には取り外し可能なタブが設けられている。吸収性物品の閉鎖形態にある吸収性構造体が示されている。
【図５６Ｂ】図５６Ａと同様の平面図であり、閉じられた形態にある吸収性構造体が示されている。
【図５７】本発明の身体貼着型女性ケア吸収性物品の別の実施形態の平面図である。より詳細には、吸収性物品の衣服対向面が示されており、衣服対向面上には取り外し可能なタブが設けられている。広げられた形態にある吸収性構造体が示されている。
【図５８】本発明の身体貼着型女性ケア吸収性物品の別の実施形態の平面図である。より詳細には、吸収性物品の衣服対向面が示されており、衣服対向面上には取り外し可能なタブ、粘着性ストリップ及び一対の粘着性ウイングが設けられている。
【発明を実施するための形態】
【００２４】
定義
【００２５】
本開示に使用される場合、「含む」という用語及び「含む」という語根からの他の派生語は、任意の言及された特徴、要素、整数、工程、部品の存在を明示する、限定の意味を伴わない用語を意図しており、１つまたは複数の特徴、要素、整数、工程、部品又はそれらのグループの存在或いは追加を排除するものではないことに留意すべきである。
【００２６】
本明細書で使用される用語「吸収性製品」または「吸収性物品」は、尿、血液、月経及びその他の身体排出物（例えば血液や性的活動の結果として生じる膣分泌物）などの身体滲出｛しんしゅつ｝液を吸収し保持するように構成された、身体流体を制御するのに使用される任意の物品を指す。加えて、この用語は、臭気吸収物品を含むことを意図する。
【００２７】
本明細書で使用される用語「ポリマー」は、通常、以下に限定しないが、ホモポリマー、コポリマー（例えば、ブロック、グラフト、ランダム、及び交互コポリマー）、ターポリマー等、及びこれらの混合物や改変物を含む。さらに、特に限定しない限り、用語「ポリマー」は、その分子の全ての可能な立体構造を含むものとする。これらの構造としては、以下に限定しないが、アイソタクチック、シンジオタクチック、及びランダムシンメトリ等の構造が挙げられる。
【００２８】
本明細書で使用される用語「身体対向面」は、吸収性物品における、通常の使用時に着用者の身体に対向して配置されるまたは身体の近傍に位置される面を意味する。「衣服対向面」は、吸収性物品における、前記身体対向面の反対側の面を意味する。衣服対向面は、吸収性物品の外面であり、通常の使用時に着用者の身体から離れる方向を向くように配設された面のことを意図する。衣服対向面は、通常は、吸収性物品の着用時に着用者の下着に対向するまたは下着の近傍に位置するように配置される。
【００２９】
本明細書で使用される用語「接続（する）」は、直接的にまたは間接的に接続することを意味する。直接的に接続されたとは、接続される複数の要素が互いに接触するまたは互いに付着されることを意味する。間接的に接続されたとは、互いに固定または「接続」される２つの要素の間に１または複数の介在または中間要素が存在することを意味する。前記介在要素は付着され得る。
【００３０】
本明細書で使用される用語「吸収性構造体」は、体液を吸収可能な吸収性材料から成る構造体を意味する。
【００３１】
詳細な説明
【００３２】
本発明の吸収性製品は、体液の吸収を必要としている着用者の体の領域において着用者の体に接着するように設計された吸収性物品を提供するものである。吸収性物品の特定の用途では、当該吸収性物品は、女性着用者の体の外陰部に、またはその周辺に付着される。「外陰部に、またはその周辺に」という表現によって、恥骨領域及び会陰領域を含む女性の体の隣接領域を意味するものとする。女性の体の外陰部に、またはその周辺に付着されたとき、当該吸収性物品は、パンティライナー（おりものシート）、生理用ナプキン、または失禁用物品として使用され得る。加えて、本発明の吸収性物品は、当該吸収性物品を所定位置に保持するために下着の着用を必要としないので、下着の代用品として着用することもできる。下着の代用品としての当該吸収性物品は、着用者の外陰部と外側の衣類との間のバリアを形成することによって外陰部に対する保護を提供する。下着の代用品として着用されたとき、本吸収性物品は、着用者の体の外陰部からの分泌物から着用者の衣類を保護する役目を果たす。加えて、吸収性物品が下着の代用品として着用されたとき、この吸収性物品は、着用者の衣類の荒さから外陰部領域の敏感な皮膚や人体の部分を保護し、もって外陰部領域の敏感な皮膚や人体の部分に対する刺激を防止または緩和する役目も果たす。
【００３３】
本発明をより理解するために、本発明の図面に注目されたい。各図面、特に図１及び図２に示されているように、本発明の吸収性物品１００は、縦方向１と横方向２とを有する。吸収性物品１００の１つの部品はシェル１１４である。このシェル１１４は、図１及び図２に示されている第１の側１１５と、図３及び図４に示されている第２の側１１７とを有する。シェル１１４は、本発明の吸収性物品の全体の外形またはシルエットを与える役目を果たす。加えて、シェル１１４は、着用者の体へ吸収性物品１００を付着または貼着するための面も提供する。
【００３４】
シェル１１４の第１の側１１５は、吸収性物品１００の人体に対向する側であり、シェル１１４の第２の側１１７は吸収性物品の衣服に対向する側である。吸収性物品１００のシェルは第１の領域１０１を有する。この第１の領域１０１は、その領域から延出する１対の横方向サイド領域１０２、１０２’を有する。この１対の横方向サイド領域は、それぞれ、第１の領域１０１に隣接する近位端１０３、１０３’と、遠位端１０４、１０４’とを有する。１対の横方向サイド領域１０２、１０２’と第１の領域１０１とは協働してシェル１１４における開口１０５を画成する。この開口１０５は、図１に示すように横方向サイド領域１０２、１０２’の遠位端１０４、１０４’の近傍に開口してもよいが、図２に示すように、横方向サイド領域１０２、１０２’が遠位端１０４、１０４’のところで一体にされて第２の領域１０７を形成してもよい。横方向サイド領域１０２、１０２’及び第１の領域１０１の開口１０５に隣接する部分は、開口１０５の周囲の外周部または縁部１０６を形成する。外周部または縁部１０６は、シェルの厚さに概ね等しいＺ軸方向の厚さを有する。しかし、縁部の厚さは、着用者の快適さまたは吸収性物品の能力を改善するために、厚くしたり薄くしたりしてもよい。
【００３５】
吸収性物品１００は、図１〜図６に示すように、シェル１１４の第２の側１１７に付着された吸収性構造体１２１をさらに有する。吸収性構造体１２１の少なくとも一部は、図１及び図２に示すようにシェルの開口１０５の大部分が吸収性構造体１２１をその内部に有するように、吸収性物品に配置される。ある特定の実施形態では、開口の全領域がその内部に吸収性構造体１２１を有する。通常、吸収性構造体を所定の位置に保持するために、吸収性構造体１２１の一部を、シェル１１４の第２の側１１７に結合してもよい。吸収性構造体１１２をシェル１１４の第２の側１１７に結合するための適切な方法としては、接着や、後に詳述する超音波、熱、及び圧力ボンディング等のボンディング手段を用いた吸収性構造体１１２の第２の側１１７への機械的ボンディング等が挙げられる。
【００３６】
本発明の或る実施形態では、シェルの開口１０５は材料の存在しない孔であり、本発明の別の実施形態では、開口１０５は体液に対して透過性の領域であり得る。開口が透過性の領域である場合には、開口は体液を透過させ得るヒドロゲルまたは類似の材料のような材料を有し得る。
【００３７】
或る実施形態では、シェル１１４の第１の側１１５は、吸収性物品の人体接触側となるように構成される。シェル１１４の第１の側１１５の第１の領域１０１、横方向サイド領域１０２、１０２’、または存在する場合には第２の領域１０７は、着用者の皮膚に接触、付着、または接着するように設計または構成される。或る特定の実施形態では、シェル１１４の第１の領域１０１は、吸収性物品１００が着用者に付着されているとき女性着用者の胴体の外陰部周囲の皮膚に接触するように設計または構成される。「女性着用者の胴体の外陰部周囲の皮膚に接触するように設計または構成される」という表現により、第１領域、横方向サイド領域、または存在する場合には第２の領域を備えるシェル１１４は、そのシェル１１４が女性の胴体の外陰部領域、及び場合によってはその周囲をなす恥骨領域及び会陰領域にフィットするようなサイズと形状とされる。通常、シェル１１４は、シェル１１４の第１の側１１５の範囲のみが女性着用者の外陰部領域、及び場合によってはその周囲をなす恥骨領域及び会陰領域に接触及び付着または貼着するようなサイズ及び形状にされる。着用者の外陰部領域、恥骨領域、及び会陰領域に接触することに加えて、シェル１１４の第１の側１１５は、存在し得る着用者外陰部の体毛にも接触及び付着または貼着し得る。シェル１１４の第１の側１１５は、着用者の体の所定位置に吸収性物品を保持する役目を果たす。
【００３８】
女性着用者の外陰部領域及びその周辺領域についてよく理解するためには、Henry GrayのThe Illustrated Running Press Edition of the American Classic Gray's Anatomy （1974）、及びStanley W. Jacob, M. D., F. A. C. S.のStructure and Function of Man（1974）に記載されている解剖学的構造の概要を参照されたい。これらの引用文献の関連部分は、ここで引用したことにより本明細書の一部とする。一般的な形態は、Eliot GoldfingerのAnatomy for an Artist: Elements of Formに記載されており、この文献の関連部分は、ここで引用したことにより本明細書の一部とする。これらの領域における陰毛の一般的説明は、Woman' s Body: A Manual for Lifeに記載されており、この文献の関連部分は、ここで引用したことにより本明細書の一部とする。
【００３９】
以下に説明する女性の解剖学的構造には、下肢及び胴体下部が含まれる。下半身の外部解剖学的構造には、臀部領域及び会陰領域が含まれる。臀部領域には、臀部と肛門が含まれる。下肢に関連する解剖学的構造は、大腿部の内側面である。
【００４０】
臀部領域は、通常臀部及び肛門が含まれ、一般的には前部で臀部のラインと殿溝によって、後部で仙骨三角によって、側部で大転子（大腿骨上部の突起）を通して伸びるラインによって外囲されている。臀部領域の形状は、概ね半球形状で凸形状をなし、大臀筋を含む一連の筋肉と後臀部脂肪体を含む一連の脂肪体とによって決定される。臀部のラインは臀部領域と会陰領域を分けている。
【００４１】
大腿部には通常左右の大腿部が含まれ、一般的には、上部で大腿のラインによって、側部で下肢の前部と後部によって外囲されている。大腿のラインは、陰唇間隙の何れか一方の側にある２本のラインであり、各ラインは鼠径靭帯のラインに沿って殿溝まで延び、上部大腿部が胴体下部に出会う位置をえがいている。この領域の形状は、概ね先細の円筒形で凸形状の部分であり、薄筋、恥骨筋、長内転筋、内転筋、及び大内転筋を含む一連の筋肉の群と、大腿内側の脂肪体を含む一連の脂肪体によってその形状をなしている。
【００４２】
骨盤下口から尾骨の骨構造まで延びる会陰領域は、二つの部分、即ち泌尿生殖器の三角形部分及び肛門部分または産科会陰縫線から構成される。この領域には、外部生殖器官（外部器官恥丘、大陰唇及び小陰唇、クリトリス、尿道口、及び膣口）が含まれる。この領域は、通常、前部で下腹部のラインにより、側部で大腿のラインにより、後部で臀部のラインによって外囲されている。下腹部のラインとは、恥骨の最上部において横方向に延びるラインである。臀部のラインとは、大腿部のラインを殿裂に結合する２本のラインである。会陰領域の形態及びそこに形成される空間についての説明の便宜のため、この領域を３つの領域、即ち恥丘を含む会陰領域前部、小陰唇と大陰唇を含む会陰領域中央部、及び会陰領域後部に分割する。会陰領域前部は、前部で下腹部のラインにより、後部で前交連により、側部で陰唇のラインによって外囲されている。会陰領域中央部は、前部で前交連により、後部で後交連により、側部で陰唇のラインによって外囲されている。会陰領域後部は、前部で陰唇のラインにより、後部で臀部のラインにより、及び側部で大腿部のラインによって外囲されている。
【００４３】
外陰部領域は女性の外性器を含み、通常は会陰領域前部と会陰領域中央部を含む。恥丘は、通常は恥骨結合の前にある丸い丘状部で、外皮の下の恥骨脂肪体を含む脂肪組織の集合体によって形成され、通常は、陰毛によって覆われている。大陰唇は、２本の突出した縦方向の皮膚のひだであって恥丘から下方向に会陰領域全部の境界まで延び、通常は尿道口と膣口をともに包囲している。２本のひだの間の空間は、陰唇裂である。各陰唇は通常２つの面、即ち色素沈着し硬く縮れた陰毛で覆われた外部面と、陰唇裂の内部にあって、滑らかで、大きい脂腺腺小胞が分布し泌尿生殖器管粘膜につらなる内部面を有し、２つの面の間には、かなり大量の疎性結合組織と、陰唇脂肪体を含む脂肪と、前交連に接続する導管以外の組織とが存在する。後側においては、陰唇は結合していないが、通常は近傍の外皮の中に消えているように見え、互いに接近しているが概ね並行な末端部を有する。陰唇は、両者の間を結合する皮膚とともに、後交連即ち外陰部開口の後側の境界部を形成する。後交連と肛門の間は、会陰領域を構成する。陰唇小帯は会陰の前端であり、陰唇小帯と処女膜の間にあるのは凹部、即ち舟状窩である。陰唇のラインは、陰唇と会陰領域とを分割するラインである。
【００４４】
小陰唇は、２つの小さい皮膚のひだであり、概ね大陰唇の内部に位置し、クリトリスから斜め下外側に延び、膣口の両側を後側に向かって延びている。
【００４５】
会陰、臀部、及び大腿上方領域の形は相互に結合して入り組んだ皮膚の形状及び空間を形成している。臀部の概ね２つの半球形状、大腿上方の概ね先細の円筒形状、外陰部の分裂した涙滴形状が、一連の凹部を形成する交差部分を備えた複雑で概ね凸形状を形成している。概ね凸形状の臀部、外陰部領域、大腿上方は結合して、２本の大腿のラインに沿った２つの内側大腿溝、会陰領域後部の凹部、及び陰唇と殿裂を通って延びる列部を含む空間を形成する。溝部、凹部、及び裂部は、幾何学的形状において類似の相互に結合された凹形状部である。会陰領域中央部は、陰裂によって形成された遠位面によって分割された両側部を有し、また陰裂を含む。
【００４６】
陰毛は、これらの領域の一部を覆い、これらの凹形状部、特に陰裂と、引裂に平行な大腿の溝部の一部とを覆って、毛で形成された表面の幾何学的形状を形成している。この毛で形成された表面の幾何学的形状は、毛によって形成される仮想的な遠位側の面の表面形状である。会陰の凹部、陰裂に平行な大腿の溝部、及び陰裂には、陰毛はほとんど存在しない。皮膚の幾何学的形状は毛で形成された表面の幾何学的形状と結合して、全体的な体の形状を形成する。
【００４７】
人体のこの領域の複雑な体の形によって形成されるこの複雑な空間は、サイズや形が女性によって異なっており、また女性の姿勢や動きによっても異なってくる。これらの違いの一部が、Julian Lloyd他によるFemale genital appearance: 'normality' unfolds, BJOG: An International Journal of Obstetrics and Gynecology, May 2005, Vol. 112, pp. 643-646に記載されており、この文献は引用により本明細書に含めるものとする。
【００４８】
女性の加齢とともに、外陰部領域には多くの変化が生ずる。皮膚はその弾力性を失い、人体からゆるく垂れ下がるようになる。さらに、脂肪体はその量が減る傾向があり、これによって外陰部領域の幾何学的形状に変化がもたらされる。従って、このような変化する条件に適合し得る製品が必要である。
【００４９】
本発明の吸収性物品は、使用のために着用者の上に配置されると、第１の領域１０１、横方向サイド領域１０２、１０２’、及び（存在するならば）第２の領域１０７を含むシェルの第１の側は、着用者の大陰唇の外側に位置することになる。これによって、着用者の外陰膣領域から滲出された体液が、シェル１１４に存在する開口１０５を通過し、その体液が吸収性構造体１２１に流入し得るようになる。この開口１０５は、シェル材料が存在しないか、他の材料からなる領域であり得る。或いは、開口は、透過性の材料を含み体液に対して透過性を有する透過性領域であり得る。一般的には、吸収性構造体１２１は、吸収性物品に吸収性を付与する吸収性物品の部分である。別の実施形態では、シェル１１４の第１の側１１５も吸収性物品にある程度の吸収性を付与し得る。例えば、シェル１１４の第１の側１１５は、シェル１１４の第１の側がある程度の吸収性を有するようにシェル１１４に一体化された吸収性材料を含み得る。シェル１１４の第１の側１１５は、シェル材料でコーティングまたはシェル材料に含浸された吸収性材料を有し得る。
【００５０】
図２に示すように、第２の領域１０７が存在する場合には、開口１０５の全体はシェル１１４によって外囲される。図１に示すように、第２の領域が存在しない場合には、開口１０５は外囲されていない末端を有し、横方向サイド領域１０２、１０２’の遠位端１０４、１０４’は相互に結合されないことになる。図１及び図２に示す吸収性物品のそれぞれの形態は有利な点を有する。例えば、吸収性物品１００において第２の領域１０７が存在しない図１に示す形状では、吸収性物品１００は、着用された際に着用者により快適さを与え得る。即ち、吸収性物品１００の使用に際して、第１の領域１０１は、着用者の外陰部領域の前側領域に向かって配置されるように設計される。第２の領域を有していないことによって、吸収性物品１００は、着用者の会陰領域に位置しないことになり、これにより着用者に向上した快適さをもたらし得るのである。或いは、第２の領域１０７が存在することにより、吸収性物品は、着用者の大陰唇を完全に外囲するシールを形成することによって着用者に対して漏れ防止を提供し得る。この結果、膣腔から出る全ての体液は、吸収性物品に閉じ込められることになる。
【００５１】
吸収性物品１００のシェル１１４は、さまざまな材料から形成され得る。シェルは液体を透過しないように機能する任意の材料から構築された層を含み得る。シェル１１４は、例えば、ポリマーフィルム、織布、不織布等、及びそれらの組合せまたは複合体等を含み得る。例えば、シェル１１４は、織布または不織布にラミネートされたポリマーフィルムを含み得る。ラミネートシェル１１４の構造は図６に示されており、シェル１１４の身体対向側の上側層１４１と、シェル１４１の衣服対向側の下側層１４２とを有する。特定の実施形態では、ポリマーフィルムはポリエチレン、ポリプロピレン、ポリエステル、シリコン等及びそれらの組合せからなり得る。加えて、ポリマーフィルムはマイクロエンボス加工をされていても、デザインが印刷されていても、消費者向けのメッセージが印刷されていても、かつ／または少なくとも部分的に着色されていてもよい。好ましくは、シェル１１４は、体液や体液に関連することが多い臭気をブロックしつつ、吸収性物品１００、特に吸収性構造体１２１から空気や水蒸気を十分に通過させるべく機能する。適切なシェル材料の例としては、Haffnerらに付与された米国特許第６，０４５，９００号明細書（特許文献１）に記載されているもののような、通気性、微小孔フィルムが挙げられる。当該文献は、ここで引用したことにより本明細書の一部とする。例えば発泡材料のような、伸長可能な他のシェル材料を本発明で用いてもよい。好ましい発泡材料の一例として、負のポアソン比を有するポリウレタン発泡材料が挙げられる。伸長可能なバックシート材料の例は、１９９７年３月１８日にOsborn, IIIらに付与された米国特許第５６１１７９０号明細書に記載されているものが挙げられ、当該文献は、ここで引用したことにより本明細書の一部とする。ポリウレタンのような元々通気性である他の材料を、シェル１１４の形成に用いてもよい。
【００５２】
本発明の特定の実施形態では、シェル１１４は、織布または不織布と、粘着特性を有するシリコンポリマーとのラミネートであり得る。この場合、シェルの第２の側１１７は織布または不織布であり、シェルの第１の側１１５はシリコンポリマーである。市販のラミネート材料としては、バイオ・メッド・サイエンシーズ社（Bio Med Sciences, Inc.；7584 Morris Court, Suite 218 Allentown, PA 18106）から市販されているオリーバ・ファブリック（Oleeva Fabric）（登録商標）がある。オリーバ・ファブリック（登録商標）は、織布の裏地に粘着特性を有するシリコンがラミネートされている。シリコンのシートは、シェル材料の人体に対向する第１の側１１５を形成する。この特徴的な構造を図面に関連付けると、図６において、シリコンポリマーはシェル１１４の上側層１４１であり、不織布または織布層はシェルの下側層１４２である。
【００５３】
二成分フィルムまたは他の多成分フィルムをシェル１１４の材料に用いることもできる。さらに、織布及び／または不織布で、液体不透化性を付与する処理を施したものも、有効なシェル１１４用の材料として用いることができる。他の好ましいシェル材料に発泡剤を含み得る。発泡材料の例としては、独立気泡ポリオレフィン発泡材、負のポアソン比を有する発泡材、及び他の類似の発泡材料が挙げられる。他の好ましいポリマー材料としては、ポリウレタンポリマー材料、シリコンポリマー、または他の類似の材料が挙げられる。自然発生の粘着特性を有するシリコンポリマー、またはシリコンの粘着層を付着したシリコンポリマーは、シェル材料用として特に有益である。そのようなシリコンポリマーによって、シェル１１４の第１の側１１５が、追加の接着剤を用いることなく着用者の体に貼着し得ることになる。これらの材料は、吸収性物品１００の衣服対向側であるシェル１１４の第２の側が他の材料にラミネートされてシリコンポリマーの粘着性が着用者の下着に貼着しないように、他の材料にラミネートされ得る。本発明の他の実施形態では、シェル材料は、相互貫入ポリマーネットワークまたは２以上のポリマーから作成され得る。一般的に、相互貫入ポリマーネットワークのポリマーの１つは、シリコン材料であり得る。相互貫入ポリマーネットワークの例は、Dillionに付与された米国特許第５７５９５６０号明細書に記載されており、当該文献の内容は、この引用により本発明の一部とする。
【００５４】
シェル材料は、シェルの全体の特性によって、通常の使用中及び通常の使用における着用者による通常の動きの間に、シェル材料が着用者の皮膚とともに動くことを可能にするように選択されるべきである。「着用者による通常の動き」という言葉は、吸収性物品の使用中に通常発生するあらゆる動作を意味し、例えば、歩行、駆け足、着座、直立、立てひざ、自転車に乗る、運動、スポーツ、自動車への乗車及び降車、及び着用者が吸収性物品を着用中に行いうる他の類似の動作が挙げられる。シェルは、使用中に着用者の皮膚から離れるような硬質すぎるものであってはならず、またシャルは使用中にねじれたり、一箇所に集束してしまうほど柔軟であったりしてはならない。シェルは、着用者の皮膚に適合し、着用者の第２の皮膚に近いものとなくような十分な柔軟性を有していなければならない。また、シェルは水分の多い湿った条件下で着用者の体に付着した状態を維持する能力も有していなければならない。
【００５５】
通常、シェル材料は、シェル１１４が着用者の体にぴったりと付くことができるための十分な厚さを有するべきであるが、シェル１１４は着用時に着用者が不快さを感じるほど厚すぎてはならない。さらに、シェル１１４は、着用者につけられたときに着用者の皮膚とともにシールを十分には形成できないほど、または使用中若しくは使用時の着用者による通常の動きによって皮膚から離れてしまうほど、または着用者に着用した点における着用者の体の形状及び皮膚に十分適合しないほど薄すぎてはならない。シェルに使用される材料に応じて、シェルの典型的な厚さは、０．０３ｍｍ〜約５．０ｍｍ、より詳細には、０．１ｍｍ〜３．０ｍｍである。ある特定の実施形態では、シェルの厚さは０．２５ｍｍ〜約３．０ｍｍである。同様に、使用される実際の厚さはいくつかの要因によって変わってくるが、そのような要因としては、材料の剛性、材料の柔軟性、材料が使用位置（典型的には着用者の外陰部）における着用者の皮膚の形状に適合する能力等が挙げられる。
【００５６】
シェル１１４の第２の側１１７は、着用者に着用されたときの吸収性物品１００の衣服対向側の一部を形成し得る。そのシェル材料は、シェルの第２の側１１７が着用者の下着または衣服に対して自由に動くように選択されるべきである。この結果を達成する１つの方法は、シェル１１４の第２の側１１７を、かなり低い摩擦係数を有するように構成することである。これによって、シェル１１４の第２の側１１７が、着用者が着る下着や他の衣服に対して自由に動くことができるようになる。シェル１１４の第２の側１１７が、着用者が着る下着や他の衣服に対して自由に動かない場合には、吸収性物品が下着や衣服に引っかかり、その結果吸収性物品が着用者から短時間で望ましくない形で剥がれてしまったり、吸収性物品が着用者の体の望ましい位置からずれてしまったりすることになり得る。
【００５７】
シェル１１４の第２の側１１７に対する望ましい摩擦係数を達成するために、シェルを形成するために使用される材料は、シェル材料の第２の側１１７がはじめから望ましい摩擦係数をもっているように選択することができる。或いは、シェル１１４の第２の側を、ポリテトラフルオロエチレン含有コーティング、シリコン含有コーティング、または他の類似の低摩擦係数特性を有するコーティング等のコーティング組成物で処理してもよい。或いは、シェル１１４を２以上の材料のラミネートから形成し、シェル１１４の第１の側１１５が第１の側１１５が必要とする特性を満たす材料から形成され、シェル１１４の第２の側１１７のために選択された材料は、その第２の側１１７が着用者の着ている下着や衣服に対して自由に動けるような望ましい摩擦係数を満たすようにすることもできる。
【００５８】
吸収性物品１００のシェル１１４は平坦であるか、または３次元形状を有し得る。図５（吸収性物品の側断面図）に示すように、シェル１１４は３次元凹形状を有する。或いは、図６の側断面図に示すように、シェル１１４は概ね平坦な形状を有し得る。図５に示すような、３次元凹形状を有する吸収性物品１００を提供することによって、着用者が物品を配置するのが一層容易になる。通常、この３次元形状は、ほとんどの女性の外陰部領域、及び選択に応じて恥丘及び会陰領域の全体に概ね湾曲した形状に近接適合するようなものであり得る。この３次元形状を備えたシェルを形成するために、シェルは例えば熱成形のような当業者に周知のあらゆる方法で成形され得る。シェル１１４に３次元形状を付与する方法は、本発明においては重要ではない。
【００５９】
シェル１１４が、例えば図６に示すように概ね平坦な形状を有していて、即ちシェルが厚さ以外に３次元の特徴を有していない場合、シェル１１４は、その付着する点で着用者の体に適合し得るだけの十分な柔軟性を有するように形成されなければならない。平坦であることに加えて、シェル１１４の全体の形状は、図１に示すような外形を有し得る。或る実施形態では、外形は、図１に示すように、外陰部に最も近いシェル１１４の股領域においてその最も狭くなる点を有するような形である。図１に示す外形は、シェル１１４と吸収性物品が形成される多くの可能な形状の１つである。本発明の範囲を逸脱することなく、他の形状も用いることができる。通常、選択される形状は、シェル１１４と吸収性物品１００は、着用者に対して漏れ防止を提供しながら、着用が快適であるようなものとすべきである。ある外形が、３次元シェルとともに使用されてもよいことに注意されたい。吸収性物品の全体の形状についてのさらなる説明が後述されている。
【００６０】
シェルは、所望の色を有するか半透明であり得る。加えて、シェルは、つや消し仕上げ、サテン仕上げ、または滑らかな仕上げをされていてもよい。特定の仕上げの色をどうするか、つや消しにするかは、本発明の吸収性物品の製造における選択事項であり得る。しかし、半透明のシェルを提供すると、使用者が物品を性器に対する位置を確認することが可能となるため、使用前に着用者が吸収性物品１００を位置づけるのが助けられることになる。
【００６１】
吸収性構造体１２１は、月経液、血液、尿、及び他の体液（汗、膣分泌物等）等の人体の滲出液を吸収するように設計されている。吸収性構造体１２１は、図１〜図４に示される縦方向１と横方向２を有し、かつ図５及び図６に示すＺ軸方向３の厚さを有している。この吸収性構造体１２１は、単層構造または多層構造であり得る。一般的には、吸収性構造体１２１は、吸収性コア１２２と概ね液体不透過性のバックシート１２３とを有する。吸収性コア１２２は、１以上の吸収性材料を含み得る。即ち、吸収性コア１２２は、複数の吸収性材料からなる単層構造であるか、多層構造であり得る。吸収性コア１２２の各層は、類似した材料か、または異なる材料を含み得る。本発明の吸収性物品１００において、吸収性コア１２２を形成するために使用され得る材料は、吸収性物品において従来より使用されている材料を含み、例えば、セルロース、木材パルプフラフ、レーヨン、面、及びメルトブローポリマー（例えばポリエステル、ポリプロピレン、またはコフォーム）等が挙げられる。コフォームは、ポリプロピレン等のメルトブローポリマーと、セルロースのような吸収性ステープルファイバー（短繊維）とを、メルトブローエアフォームで組み合わせたものである。望ましい材料は、コストが低く、比較的容易に形成でき、かつ良好な吸収性を有することから木材パルプフラフである。
【００６２】
吸収性コア１２２は、親水性材料からなる複合体からも形成することができ、前記親水性材料は、種々の天然または合成繊維、木材パルプ繊維、再生セルロースまたは綿繊維、またはパルプと他の繊維のブレンドである。吸収性コアとして使用され得る材料の特定の例は、エアレイド材料である。吸収性コア１２２は、吸収性コアが伸長して特定の着用者に適合できるようにする伸張性等の他の特性を有していてもよい。伸張性吸収性コアの一例は、Osborn, III他に１９９７年３月１８日に付与された米国特許第５６１１７９０号明細書に記載されており、当該文献はこの引用によりその全体を本明細書の一部とする。
【００６３】
一実施形態では、吸収性コア１２２は、親水性素材に加えてまたは親水性素材の代わりに、吸収性コアのそれ自身の重量に対して大量の流体を吸収する性能を向上する超吸収性素材も含むことができる。概説すれば、超吸収性素材は、水膨潤性で、ほぼ水に不溶で、ヒドロゲル生成高分子吸収素材であり、自重の少なくとも約１５倍、適切には約３０倍、場合によっては約６０倍以上の生理的食塩水（例えば、０．９重量％のＮａＣｌを含む生理的食塩水）を吸収することができる。超吸収性素材を複数の粒子でまたはシート形状で挿入することができる。超吸収性素材は、生分解性または両極性であってよい。ヒドロゲル生成高分子吸収素材を、寒天、ペクチン、グアガム等の天然素材、カルボキシルメチルセルロース、カルボキシエチルセルロース、ヒドロキシプロピルセルロース等の改質天然素材、及び合成ヒドロゲル生成ポリマーを含みうる有機ヒドロゲル生成高分子素材から形成することができる。合成ヒドロゲル生成ポリマーには、例えば、ポリアクリル酸のアルカリ金属塩、ポリアクリルアミド、ポリビニルアルコール、エチレンマレイン酸無水物コポリマー、ポリビニルエーテル、ポリビニルモルフォリノン、ビニルスルホン酸のポリマー及びコポリマー、ポリアクリル酸塩、ポリアクリルアミド、ポリビニルピリジン等が含まれる。他の適当なヒドロゲル生成ポリマーには、加水分解されたアクリロニトリルグラフト澱粉、アクリル酸グラフト澱粉、イソブチレンマレイン酸無水物コポリマー及びそれらの混合物が含まれる。ヒドロゲル生成ポリマーは、素材を実質的に水に不溶性とするように軽度に架橋されていてよい。架橋は、例えば、放射によっても、共有結合、イオン結合、ファンデルワールス結合または水素結合によってもよい。ヒドロキシ官能性高分子が、生理用ナプキンにとって良好な超吸収体であることが見出されてきた。このような超吸収体は、とりわけダウケミカル社、ヘキスト・セラニーズ社（Hoechst-Celanese）及びストックハウゼン社（Stockhausen, Incorporated）から商業的に入手可能であり、吸収性素材１グラム当たり吸収される液体が２５グラム（ｇ／ｇ）を超える加圧下吸収量値を有するポリアクリル酸及びポリビニルアルコールの架橋されたコポリマーの部分的に中和された塩である。当業者に既知の他のタイプの超吸収性素材も用いることができる。
【００６４】
吸収性コア１２２のために用いられる実際の素材の選択は、当業者の技術範囲である。吸収性コアのために用いられる実際の素材は、本発明にとって重要ではない。
【００６５】
ほぼ液体不透過性のバックシート１２３が吸収構造体１２１内にあり、吸収性コア１２２に入る流体が吸収性コア１２２を通って着用者により着用される衣服もしくは下着に流れるのを防止する。適当な液体不透過性のバッキングシートは、例として、ポリマーフィルム、織布、不織布等、ならびにそれらの組合せまたは複合材料を含む。概して、上述のシェル素材として用いることができる任意の素材を吸収構造体１２１のバックシート１２３として用いることができる。液体不透過性のバックシート１２３は、ポリマーフィルム、織布、不織布等、ならびにそれらの組合せまたは複合材料であってよい。例えば、液体不透過性のバックシート１２３は、織布または不織布に積層されたポリマーフィルムを含んでよい。特別の態様において、ポリマーフィルムは、ポリエチレン、ポリプロピレン、ポリエステル、シリコン等、ならびにそれらの組合せから成りうる。加えて、ポリマーフィルムは、マイクロエンボス加工されていてもよく、プリントデザインを有していてもよく、消費者へのプリントメッセージを有していてもよく、及び／または少なくとも部分的に着色されていてもよい。液体不透過性のバックシート１２３は、吸収性物品１００からの特に吸収構造体１２１からの空気及び水蒸気を十分に通過させることができる作用があって、身体流体及び多くは身体流体に伴う臭気が通過するのを阻止できるのが好ましい。液体不透過性のバックシート１２３に適した素材の例は、例えば、Haffnerらに付与された米国特許６，０４５，９００号に記載されたもののような通気性の微小多孔質フィルムを含みうる。同特許の開示は、本明細書で参照することにより本明細書に組込まれ本明細書の一部となす。
【００６６】
着用者の下着または衣服に面するバックシート１２３の側面は、シェルの第２の側１１７の摩擦係数が小さくあるべきであるのと同じ理由で摩擦係数は小さくあるべきである。この結果、バックシート１２３の衣服側面が着用者の下着或いは衣服に対して自由に動くことができる。もし、バックシート１２３の衣服側面が、着用者により着用された下着或いはその他の衣服に対して自由に動くことができないと、吸収性物品が下着或いは衣服に引っ掛かる可能性があり、その結果、吸収性物品または吸収構造体が早いうちにかつ望まないのに着用者から外れ、吸収性物品が着用者の身体に接する望ましい位置からずれてしまいうる。加えて、バックシート１２３の衣服側面、及びシェルの第２の側１１７を着用者の下着或いは衣服に対して自由に動かすことにより、下着或いは衣服が吸収性物品を使用中にずらしてしまうことがなくなるであろうから、身体に取付けられた吸収性物品は、着用者が着用するのに快適であろうし、保護が向上するであろう。
【００６７】
概して、吸収構造体は、図１から図６に明確に見て取れるように、シェル１１４の第２の側１１７に隣接して位置するであろう。「シェルに隣接して」とは、吸収構造体１２１がシェル１１４の第２の側１１７と直接に接触しているか、もしくは１または２の追加的な層または構造、または感圧式接着剤により隔てられうることを意味する。吸収構造体は、開口１０５を通って流れる任意の流体が吸収性コア１２２と接触するように吸収性コア１２２が開口１０５の下方にあるように位置すべきである。
【００６８】
吸収性コア１２２に加えて、吸収構造体１２１は、吸収性コア１２２が身体流体を吸収性コア１２２内へと補足し保持する際に補助する他の追加の層を有してよい。これらの他の層は、存在して吸収性コア１２２と組み合わせられた場合、吸収性物品１００の吸収構造体１２１を形成する。吸収構造体１２１内の吸収性コア１２２に加えて単一の層または複数の層があってよい。
【００６９】
吸収構造体１２１内の吸収性コア１２２に加えて用いられうる追加の層の詳細な一例は、トップシート１２４であり、このトップシートは、トップシートを通して吸収性コア内へと身体流体を通過させることが可能なほぼ液体透過性の素材である。トップシート１２４は、吸収性コア１２２を着用者の身体から隔てることにより着用者に乾いた感触を与えることもできる。すなわち、トップシート１２４は、吸収性コア１２２及び着用者の身体の間に位置し、吸収性コア１２２がトップシート１２４及びシェル１１４の間にあるように位置している。
【００７０】
場合に応じて、トップシート１２４は、１または複数の素材から形成することができる。トップシート１２４は、製品のタイプに応じて異なる身体排出物に対処可能であるべきである。女性用ケア製品では、トップシート１２４は、月経及び尿に対処できなければならないことが多い。加えて、トップシート１２４は、着用者の皮膚にとって快適、柔軟で皮膚に合っていてよい。本発明では、トップシート１２４は、任意の有効な素材からなる層を含んでいてよく、複合素材であってよい。例えば、トップシートは、織布、不織布、ポリマーフィルム、フィルム及び不織布のラミネート等ならびにそれらの組合せであってよい。トップシート１２４に使用可能な不織布の例には、例えば、エアレイド不織ウェブ、スパンボンド不織ウェブ、メルトブローン不織ウェブ、ボンデッドカーデッドウェブ、ハイドロエンタングルド不織ウェブ、スパンレースウェブ等ならびにそれらの組合せが含まれる。トップシート１２４を構成するために適当な素材の他の例には、レーヨン、ポリエステル、ポロプロピレン、ポリエチレン、ナイロンまたは他の熱結合可能な繊維のボンデッドカーデッドウェブ、細孔が穿たれたフィルムェブ、ネット状素材等ならびにそれらの組合せを含みうる。これらのウェブは、例えばポリオレフィン等、ポリプロピレン、ポリエチレン及びそれらのコポリマー等、ポリ乳酸等の脂肪族エステルを一般に含むポリエステル、ナイロンまたは他の任意の熱結合可能な素材から調製することができる。トップシートがフィルムまたはフィルムのラミネートである場合、フィルムは孔が穿たれるかその他の方法で形成されてトップシートを通って吸収性コアに流体が流れることが可能とされる。
【００７１】
トップシート１２４のために適した素材の他の例は、ポリマー及び不織布素材からなる複合素材である。複合素材は、通常、スパンボンド素材等の不織布上へとポリマーを押出すことにより形成される一体シートの形態である。詳細な態様では、トップシート１２４を物品が吸収目的であるかまたは他の方法で対処する目的の液体に対して有効に液体透過性であるように構成することができる。有効な液体透過性を、ライナーまたは身体接触層に存在しまたは形成された複数の細孔、穿孔、孔または他の開口ならびにそれらの組合せで与えることができる。孔または他の開口により、身体流体がライナーまたは身体接触層の厚みを介して移動し、物品の他の構成要素内へと（例えば、吸収性コア１２２内へと）浸透していく速度を増加させるのを助けうる。物品の身体側面に位置させるために備えられたトップシート１２４の少なくとも有効部分に液体透過の配置が選択されることが望ましい。トップシート１２４は、快適さ及び適合性を与えることができ、身体浸出液を身体から遠ざけて吸収性コア１２２に向けるように機能しうる。トップシート１２４は、その構造中にほとんどまたは全く液体を保持できないように構成されることができ、着用者の体組織に隣り合った比較的快適で不快さのない面を提供するように構成されることができる。本発明では、吸収性コアの上方に位置するトップシート１２４は、エンボス加工され、プリントされ、または他の方法でパターンが付与された面を有していてよい。
【００７２】
例えば、サージ層または移送層とも称される液体の獲得及び分散層、及び選択的なティッシュ（tissue）層を含む追加的な層または基材も、トップシート１２４及び吸収性コア１２２の間のような吸収性製品１００の吸収構造体１２１内へと挿入される。分散層は、吸収性コアよりも短いか、または吸収性コア１２２と同じ長さを有していてよい。分散層は、特に超吸収素材がある場合には、吸収性コアが流体を吸収する十分な時間が持てるように身体から排泄された流体（insulting fluid）を一時的に保持する働きをする。
【００７３】
別の実施形態では、吸収性コア、移送層及びティッシュ層等の他の構成要素は、シェル１１４及びトップシート１２４の間で自由に動き回ってても（取付けされなくても）よく、それらの周辺端に沿ってのみ固定されている。代わりに、吸収性コア１２２、移送層（もしあれば）、及び任意の他の層もしくは構成要素（もしあれば）は、シェル１１４の第２の側１１７及びトップシート１２４の一方または両方及び／または互いに取付けされていてもよい。
【００７４】
吸収性コア１２２を含む吸収構造体１２１は、シェル１１４の第２の側１１７にほぼ取付けされているため、吸収性コアはシェルにおける開口１０５の下に位置する。吸収構造体１２１は、シェル１１４に永久的に取付けされていてもよい。永久的にとは、概して吸収構造体が、吸収性物品１００の着用者により取外し可能でないことを意味する。代わりに、吸収構造体１２１は、シェルに取外し可能に取付けられるように形成することができるため、吸収構造体１２１は、吸収性物品１００の着用者により取外され、同じ吸収構造体１２１と置き換えられることまたは他の新しい吸収構造体１２１と置き換えられることが可能である。吸収構造体が着用者により取外されないことを目的とすることを意図して、吸収構造体１２１がシェル１１４に永久的に取付けられる場合には、構造用接着剤を用いることができる。使用可能な構造用接着剤の例には、シェル１１４から分離しないように、吸収構造体１２１を所定位置に効果的に保持する任意の接着剤が含まれる。本発明で使用可能な商業的に入手可能な構造用接着剤は、テキサス州ヒューストンのハンツマン・ポリマーズ社（Huntsman Polymers）から入手可能なレクスタック（Rextac）接着剤ならびにウィスコンシン州ウォーワトサのボスティック・フィンドリー社（Bostik Findley, Inc）から入手可能な接着剤を含む。吸収構造体１２１をシェルに保持するために、熱結合、超音波結合または他の同様な機械的な取付けを含む他の手段を用いることができる。
【００７５】
吸収構造体１２１が取外し可能に取付けされた場合、吸収構造体１２１は、着用者が吸収構造体を取外すのが可能な手段によりシェル１１４の第２の側１１７の所定位置に保持される。吸収構造体を保持するそのような一手段は、感圧式接着剤を用いることによる。適当な感圧式接着剤には、任意の商業的に入手可能な感圧式接着剤が含まれる。吸収構造体１２１をシェル１１４の第２の側１１７の所定位置に取外し可能に保持するのに使用可能な適当な感圧式接着剤の例には、ナショナルスターチ社（National Starch；Bridgewater, N.J. 08807）から入手可能な感圧式接着剤が含まれる。取外し可能な吸収構造体１２１を設けることにより、吸収構造体を取り替える必要がある場合にシェル１１４を再び位置させる必要なくシェル１１４を複数回再使用することができる。吸収構造体１２１をシェル１１４に取外し可能に取付けるために、機械的取付け等の他の手段も用いることができる。また、取外し可能な吸収構造体１２１を持つことにより、着用者が使用に先立って吸収構造体を選択することができる。このことにより、着用者が日ごとに適したレベルの保護を選択することが可能となり、または着用者が自らがより快適に感じる吸収構造体のサイズまたは形状を選択することが可能となる。吸収構造体１２１が取外し可能であり、シェル１１４に接着的に取付けられる場合、接着剤がシェルに残存するように設計することができ、または吸収構造体のみに残存するように設計することができる。吸収構造体１２１が交換されるごとに新しい吸収構造体を所定位置に保持するように新しい接着剤を提供するため、概して、接着剤は吸収構造体１２１に塗布すべきである。もし、接着剤が吸収構造体１２１に塗布されているならば、剥離紙を接着剤の上に位置させることができ、シェル１１４に吸収構造体１２１を保持する際に悪影響を持ちうるほこりや塵で接着剤が汚れないようにする。
【００７６】
吸収構造体１２１を取替える際に着用者を補助するため、シェル１１４及び／または吸収構造体に位置決め補助手段があってもよい。適当な位置決め補助手段には、色彩、触覚による表示、または取外された吸収構造体を交換する際に着用者の助けになるであろう任意の他の手段が含まれる。
【００７７】
取外し可能である吸収構造体を有することの他の重要な利点は、着用者が排尿等の通常の身体機能を行うことができることである。取外し可能である吸収体を有することにより、着用者は、吸収体を取外し、排尿を行い、吸収体を取り替えることができる。このことにより、身体機能を行うために吸収性物品１００全体を交換しなければならない着用者の必要性が軽減されるであろう。他の代替例として、吸収構造体１２１は、図７に示すように吸収構造体がヒンジ手段でヒンジ結合されるようにシェルに取付けることができる。
【００７８】
吸収構造体１２１は、図６に示すように比較的平坦な構造体であってよく、または図５に示すように、シェル１１４の形状に整合するように湾曲していてもよい。吸収構造体１２１のサイズ、位置及び形状は、目的とする用途に応じて選択することもできる。例えば、夜間使用する際には、吸収体を着用者の会陰領域に向かって着用者に接してさらに後方に位置させることができる。夜間使用する際には、吸収構造体を昼間使用する目的の製品における吸収構造体よりも大きくしてもよい。昼間使用する際には、吸収構造体は、ほぼ外陰部領域で中央に位置するであろう。
【００７９】
本発明の別の実施形態では、シェル１１４の素材には、吸収構造体１２１に加えて幾分吸収性を付与することもできる。シェルにおいて吸収性を達成する１つの方法は、シェル１１４を２つ以上の素材からなるラミネートの素材から形成することである。シェル１１４の第１の側１１５は、ラミネートの身体側面内に吸収性素材を含む。例えば、超吸収性粒子または超吸収性素材をラミネートの身体に向かう層を形成する素材内に組込むことができる。他の方法は、シェルの素材の第１の側に非常に薄いコーティングを塗布し、コーティングが超吸収性粒子または超吸収性素材を含有することである。もちろん、超吸収性素材以外の他の吸収性素材を超吸収性素材の代わりにまたは超吸収性素材に加えて用いることができる。
【００８０】
吸収構造体１２１の吸収性コア１２２は、全体がシェル１１４における開口１０５内に位置してもよく、または図５及び図６に示すように、吸収構造体の吸収性コア１２２はシェルの開口１０５を越えて（吸収性コア１２２の一部がシェル１１４の第２の側１１７に接触するかまたは面することを意味する）延在していてもよい。代わりに、吸収構造体１２１はシェル１１４の縁部１０４、１０４’またはシェルの第２領域１０７を越えて延在していてもよい。
【００８１】
液体不透過性のバックシート１２３は、ポリマーフィルム、織布、不織布等ならびにそれらの組合せまたは複合材料であってよい。例えば、液体不透過性のバックシート１２３は、織布または不織布に積層されたポリマーフィルムを含んでいてよい。詳細な態様において、ポリマーフィルムは、ポリエチレン、ポリプロピレン、ポリエステル、シリコン等ならびにそれらの組合せであってよい。加えて、ポリマーフィルムは、マイクロエンボス加工されていてもよく、プリントデザインを有していてもよく、消費者へのプリントメッセージを有していてもよく、及び／または少なくとも部分的に着色されていてもよい。液体不透過性のバックシート１２３は、吸収性物品１００からの特に吸収構造体１２１からの空気及び水蒸気を十分に通過させることができる作用があって、身体流体及び多くは身体流体に伴う臭気が通過するのを阻止できるのが好ましい。液体不透過性のバックシート１２３に適した素材の例は、例えば、Haffnerらに付与された米国特許第６，０４５，９００号に記載されたもののような通気性の微小多孔質フィルムを含みうる。同特許の開示は、本明細書で参照することにより本明細書に組込まれ本明細書の一部となす。バックシート１２３を形成する際に用いることができる他の素材には、ポリウレタンのように本質的に通気性を有する素材が含まれる。
【００８２】
上述したように、シェル１１４の第１の側１１５は、直接にまたは間接的に着用者の身体に付着する。換言すれば、シェルは、身体取付け要素であり、第１領域１１５は、シェル１１４の、着用者の身体に取付けされる部分である。シェルのために選択される素材に応じて、シェルは、静電的手段を用いて着用者の身体に能動的に付着することができる。吸収性物品を着用者の身体に取付けするためにシェル１１４の第１の側１１５に吸引手段または生体用接着剤を位置させることができる。用いることができる静電的手段は、着用者の身体に対して親和性を有する素材であるようにシェルの素材を選択することによるため、シェルの素材は、着用者の身体に「はりつく」。そのような素材の例には、エチレンビニルアセテート、低密度ポリエチレン及び当業者に既知の他の同様の素材が含まれる。吸引手段をコンタクトレンズが眼にフィットするように着用者の身体に合うようにシェルの形状を取ることにより達成することができる。概して、吸引手段をシェル１１４を３次元形状に形成することにより達成することができる。身体取付けを達成する最も容易な方法は、シェル１１４の第１の側１１５に生体用接着剤を位置させることである。
【００８３】
生体用接着剤１４４は、シェル１１４の第１の側１１５に位置する。生体用接着剤１４４は、着用者の身体の外陰部領域、場合により恥骨部及び／または会陰部における皮膚及び陰毛（もしあれば）に接触することにより、使用中に吸収性物品１００を着用者の身体に接しさせて支持及び保持する。生体用接着剤１４４は、第１の側１１５の一部に位置し、またはシェル１１４の第１の側１１５に位置しうる。該して、生体用接着剤１４４は、吸収性物品１００の縁部１２０近くで少なくともシェルの第１の側の外側部にあるだろう。接着剤は、吸収性物品の第１の側１１５全体を覆いうる（図示せず）。代わりに、生体用接着剤１４４は、図１及び図２に示すように、第１の側の一部に位置してもよい。生体用接着剤１４４は、吸収性物品の第１の側１１５のパターンに位置していてもよい。生体用接着剤１４４をシェル１１４の第１の側１１５に、１または複数のノズルからの生体用接着剤１４４のインクジェットプリント、スクリーンプリントまたは押出し、スロットコーティング等を含む任意の既知のプロセスを用いて塗布することができる。
【００８４】
一般に、もし感圧式接着剤が人間の皮膚にとって既知の刺激物ではなく、または接着剤が非常に強力で吸収性物品を皮膚から取外す際に着用者に痛みを起こさせるのであれば、当業者に既知の任意の感圧式接着剤を用いることができる。吸収性物品１００が使用後に着用者により取外される際、接着剤が実質的な量の接着剤残余物を着用者の皮膚表面に残さないように接着剤を選択することも望ましい。特に適した感圧式接着剤材料は、同一出願人によるZachariasらに付与された米国特許第６，２１３，９９３号、Zachariasらに付与された米国特許第６，６２０，１４３号に開示されている。各々の開示全体は参照することにより本明細書に組込まれ、本明細書の一部をなす。他の適当な接着剤は、Bartabetらに付与された米国特許第５，６１８，２８１号に開示され、その開示全体は参照することにより本明細書に組込まれ本明細書の一部をなす。本明細書にその全体が組込まれるCorzaniらに付与された米国特許第６，３１６，５２４号に記載されているもの等の他の既知の生体用接着剤を用いることができる。感圧式接着剤の追加例には、ヒドロゲル、ヒドロコロイド、アクリルベース接着剤、及びクラトンベース接着剤等のゴムベース接着剤が含まれる。
【００８５】
生体用接着剤１４４は、開パターンまたは閉パターンでシェル１１４の第１の側１１５に位置してよい。「開パターン」とは、接着剤が、開口１０５全体を実質的に囲まない断続的なまたは不連続なパターンを有しうることを意味する。例えば、第１の側１１５の複数の箇所で生体用接着剤が途切れているところがあってよい。「閉パターン」は、接着剤１４４が、シェルにおける開口１０５全体を囲むであろうことを意味する。一実施形態では、生体用接着剤１４４のパターンは、第１の側１１５のカバーを実質的に囲み、開口１０５を実質的に囲むであろう。接着剤の「開」パターンの一例は、不連続に塗布された接着剤からなる個別のビードを有することであろう。本発明では、生体用接着剤１４４が着用者の身体との間に、吸収性物品１００からの漏れを防止する助けになるであろう封止を形成することができるため、閉パターンが好都合でありうる。生体用接着剤は、吸収性物品１００の周囲全体からの漏れを防止することができるダムを形成することができる。
【００８６】
本発明の一実施形態では、生体用接着剤１４４は、図１に示すように、シェル１１４の第１の側１１５全体に位置することができる。本発明の他の別実施形態では、図２に示すように、生体用接着剤１４４は、シェル１１４の外周近くで第１の側１１５の外側部分に沿って位置することができるため、開口１０５付近には接着剤は存在しない。生体用接着剤１４４は、シェル１１４の第２の側１１７に位置する吸収構造体１２１に位置することもでき、吸収性物品を着用者の所定位置に保持するのを助ける。しかしながら、生体用接着剤を、吸収性物品１００の大陰唇等の女性生殖器に接触する領域に生体用接着剤を位置させると吸収性物品１００の着用者に不快感が生じうるため、概して、生体用接着剤１４４はシェル１１４の第１の側１１５に位置するように閉じ込められる。
【００８７】
接着剤は、数多くの領域に接着剤がないようにするように小さな離散的なドットのパターンで塗布することができる。代わりに、接着剤を連続的なビードとして塗布することができ、または一連の半連続的なビードとして塗布することができる。吸収性物品１００の身体に接触する第１の側１１５に生体用接着剤１４４を塗布するために他の適当な接着剤のパターンを選択することができる。例えば、接着剤のパターンは、卵型、渦、縦方向に及び／または横方向に向き付けられた直線状のまたは非直線状の接着剤の配列、及び接着剤の糸の間に遮られない隙間を有する網目状のウェブまたはそれらの組合せでありうる。上述のように、接着剤のパターンは、開いているかまたは閉じていることができる。接着剤の坪量は、約８００ｇ／ｍ２未満に限定され、概して４００ｇ／ｍ２未満に限定される。一般に、接着剤の坪量は、少なくとも２０ｇ／ｍ２である。通常、接着剤は、約１００〜４００ｇ／ｍ２の量で塗布される。接着剤の坪量（basis weight）への制限は、着用者の外陰部領域及び場合に応じて着用者の身体の恥骨部及び会陰部領域に直接塗布するための適正な接着剤特性を提供する上で重要である。もし、坪量が大きすぎるならば、吸収性物品は、べたべたした感触またはそうでなければ不快な感触を有するであろう。もし、接着剤の坪量が小さすぎるならば、着用者の身体に十分に貼着しないかもしれない。
【００８８】
一般に、生体用接着剤１４４は、吸収性物品１００を実質的に二等分する縦方向軸線に関して対称に塗布される。この対称なパターンにより、吸収性物品１００を着用した際、着用者にバランスの取れた感触が与えられる。対称なパターンにより、吸収性物品１００が身体から取外される際のあらゆる関連した不快感も低減される。
【００８９】
図８Ａ及び図８Ｂに示すように、生体用接着剤１４４を保護するために、ピールシートすなわち剥離紙１４６を用いることができ、生体用接着剤１４４が汚染され、その結果、着用者の身体へ貼りつく能力を失い、及び／または目的としない面に早くから接着してしまうことを防止する。剥離ストリップ１４６として用いられる適当な素材は当該技術分野でよく知られており、商業的に入手可能である。適当なピールシートすなわち剥離紙の例には、シリコンでコートされたクラフト紙、シリコンでコートされたフィルムなどが含まれる。他の剥離コーティングには、ポリテトラフルオロエチレンを含有するコーティングが含まれる。ピールシートすなわち剥離紙１４６は、図８Ｂに示すように、シェルの縁部及び／または側面の一方または両方を越えて延在することができる。代わりに、剥離紙４６は、図８Ａに示すように、シェル１１４の第１の側１１５で生体用接着剤のみを覆うようにサイズを取ることができる。本発明のさらに他の実施形態では、剥離紙は、着用者が吸収性物品１００及び吸収性物品１００の生体用接着剤１４４から剥離紙１４６を取除くために把持するタブ１４７を剥離紙１４６に持たせることにより、図８Ｃに示すように、シェルの縁部の一方または側面の一方等の１或いは複数の位置で接着剤を越えて延在することができる。剥離紙１４６が接着剤を超えて延在すると、一般に着用者が吸収性物品１００を使用に供するために剥離紙１４６を取除くのがより容易である。
【００９０】
代わりに、吸収性物品に身体取付けのための接着剤がない場合には、剥離紙１４６を所定位置に保持するために、剥離紙１４６に感圧式接着剤を設けることができる。この構成では、剥離紙１４６は、使用前のほこり及び損傷から吸収構造体及びシェルの第１の側を保護する働きをする。
【００９１】
他の別実施例では、剥離紙は必要とされえない。例えば、吸収性物品は、それ自身で巻かれ、折られまたは互いに積重ねられうる。これらの構成では、剥離紙は必要とされない。巻かれるならば、生体用接着剤１４４は、概して、シェル１１４の第２の側１１７または吸収構造体の液体不透過性のバックシート１２３に接触するであろう。生体用接着剤１４４は、着用者または着用者により広げられた場合に直ちに剥離することにより、シェルの第２の側に剥離可能に貼り付きすべきである。加えて、生体用接着剤１４４は、バックシート１２３のシェル１１４の第２の側１１７に残余物を残すべきではない。このことは、ある物品の生体用接着剤１４４が第２の物品のシェルの第２の側１１７及び／またはバッキングシートに付着するように、吸収性物品１００が互いに積重ねられている場合に同様に生ずべきである。他の可能な構成では、吸収性物品１００は、横方向軸の縦方向軸線１に沿って折畳まれることができ、一領域における生体用接着剤１４４が他の領域における生体用接着剤と接触する。折畳まれる構成では、着用者により操作された場合に、生体用接着剤がそれ自体から剥離するように生体用接着剤を選択するべきである。
【００９２】
シェル１１４の寸法及び形状は、その目的とされる用途のために適当にサイズが取られているようにすべきである。同じことは、吸収構造体１２１のサイズ及び形状ならびに開口１０５のサイズにあてはまる。概して、吸収構造体１２１のサイズ及び形状は、シェル１１４のサイズを支配するであろう。シェル１１４の形状は、着用者が快適な感触を持つように選択され、それにより漏れに対する保護を行い、かつ使用中に着用者の身体から吸収性物品が外れることを防止する。概して、シェル１１４は、着用者の身体にフィットするように湾曲しているであろう。シェル１１４は、さらに、吸収性物品１００に、概して縦方向１及び横方向２におけるその全体のサイズ及び形状を与える。すなわち、シェルは、図に見ることができるように、吸収構造体よりも概して長く、幅広い。換言すれば、シェル１１４は、吸収構造体１２１より横方向２では幅広く、吸収構造体１２１よりも縦方向１では長いだろう。上述のように、吸収構造体１２１がシェル１１４よりも長いことは可能であるが、概して幅はより広くはない。
【００９３】
吸収性物品１００が、パンティライナー、生理用ナプキンまたは女性用失禁用品として用いられることを目的とする場合、シェル１１４は、シェル１１４の第２の側１１７に取付けられた吸収構造体１２１よりも幅が広くかつ長くあるべきである。シェル１１４における開口１０５は、概して、少なくとも着用者の大陰唇と同じくらいの幅及び長さを有しているべきである。このことにより、シェル１１４が着用者の身体の傷つきやすい部位に接触するのが防止されるであろう。吸収構造体１２１は、開口１０５と同じくらいの長さを持つかより長くあるべきである。結果として、大半の女性にフィットするように、吸収構造体１２１は、縦方向１での長さが吸収構造体の横方向２における幅よりも大きい。一般に、大半の女性では、大陰唇は、幅が約４０ｍｍと約７０ｍｍとの間であり、長さが約８０ｍｍと１５０ｍｍとの間である。理想的には、吸収構造体１２１及び開口１０５は、大陰唇より幅が広く、小陰唇よりわずかに長く、大陰唇よりわずかに長いかまたは等しい長さであるべきである。概して、吸収構造体１２１及び開口１０５は、横方向２に幅が約４０ｍｍと９０ｍｍとの間であり、縦方向１に長さが約９５ｍｍと約１５０ｍｍとの間であるべきである。吸収構造体１２１及び開口１０５の形状は、概して、楕円形の傾向があろうし、卵型、矩形、涙の形、砂時計の形、またはレーストラック形状であってもよい。図１及び図２にみることができるように、吸収構造体１２１は、形状がほぼ長円形または卵型であり大半の女性の膣領域のサイズ及び形状に整合する。
【００９４】
一般的に、シェル１１４の形状は、図２及び４に示すような概ね楕円形状から図１及び３に示す概ね砂時計のような形状である形状まで様々であり得る。概ね砂時計形状とは、シェル１１４の両側部１１９がシェル１１４の縦方向中心軸に沿って互いに向かって或る点で収斂し、吸収性物品１００の最もくびれた部分１３３を形成する形状を意味する。一般的に、砂時計のような形状は、着用者の両脚のための切欠部分を提供する。砂時計のような形状を有することによって、シェル１１４は、使用中に着用者の両脚にくっつかないことになる。これは、吸収性物品の着用者にとってより快適なものとなる。シェル１１４の形状は、吸収性物品１００が着用者に非常に効果的な漏れ防止手段を提供しつつ着用者にとって快適でもあるように、選択されるべきである。シェル１１４及び吸収性構造体１２１は、使用中に着用者の体の湾曲に適合することができるものとする。具体的に示されていないシェル１１４の他の可能な形状も、その形状が吸収性物品の着用者に快適さを提供することになるならば、用いられ得る。
【００９５】
着用者への吸収性物品の効果的な付着を得るために、吸収性物品が生理用ナプキンまたは失禁用品として用いられるとき、一般的にシェルの幅は大陰唇の両側で少なくとも１０ｍｍであるべきである。一般的に、吸収性物品１００のシェル１１４は、横方向２に、約５０ｍｍ〜２００ｍｍ以上の幅を有する。典型的には、シェルは、その最もくびれた箇所で約６０〜１２０ｍｍである。これにより、シェル１１４は、大陰唇の両側で着用者の皮膚に効果的に付着させられることができる第１の側１１５を有することになる。
【００９６】
さらに、吸収性物品１００は、図１に示すように、前側領域１６４、中央領域１６５及び後側領域１６６を有するようにも構成され得る。本明細書中において、「前側」なる語は、使用中に着用者の前方に向かう方向を指す。本明細書中において、「後側」なる語は、使用中に着用者の後方に向かう方向を指す。着用者の外陰領域の特定の領域にフィットするように設計された構成を有する吸収性物品の特定の実施形態を図１に示す。着用者の身体の特定の領域への付着のための特定の部分を提供することによって、吸収性物品は着用者の身体により良好にフィットするように構成され得る。吸収性物品の前側領域１６４は、吸収性物品１００の吸収性構造体１２１と第１の縁部１６１の間の吸収性物品の部分になる。吸収性物品１００の後側領域１６６は、吸収性物品１００の吸収性構造体１２１と第２の縁部１６２の間の吸収性物品の部分になる。一般的に、後側領域１６６は、着用者の膣部と肛門部の間に位置するように設計されることになる。前側領域１６４は、女性着用者の恥丘領域に配置されるように設計される。吸収性物品１００の中央領域１６５は、吸収性物品がパンティライナー、生理用ナプキンまたは失禁用品として用いられるとき、着用者の膣部及び大陰唇の外側を取り囲む皮膚部を覆うように設計される。代替用途では、本発明の吸収性物品は、肌着の代用品または水着用のガードとして用いられることもある。
【００９７】
着用者の身体への効果的な付着を得るために、シェル１１４は、着用者に対して解剖学的に正確であるように構成されることができる。図９Ａに示すように、吸収性物品１００の形状は、着用者の外陰領域に正確にかつ確実に適合することになる形状である。図９Ａに示す吸収性物品の一般的な形状は、吸収性物品の女性着用者の外陰領域に効果的に付着することが分かっている。解剖学的に正確な形状を保証するために追加的な機能が含まれ得る。例えば、吸収性物品１００の後側領域、より詳細には第１の側１１５のシェルの後側領域で、シェル１１４は、図９Ａ及び９Ｂに示すように３次元突出部（protrusion）１６７が与えられ得る。突出部１６７は、着用者の会陰領域に快適に適合するように機能する。突出部１６７は、シェル材料から形成され得るか、或いは生体用接着剤１４４から形成され得る。３次元突出部１６７を提供することによって、吸収性物品１００は女性着用者の典型的な体形に効果的にフィットし、それによって吸収性物品の後側領域からの漏れを防止することができる。突出部１６７は、着用者が使用前に着用者の身体上に吸収性物品１００を配置するためのガイドとしても働き得る。
【００９８】
本発明の吸収性物品１００は、着用者が吸収性物品を配置しかつ身体から取り外すのを助ける他の機能を有し得る。図１０Ａ及び１０Ｂに示すように、シェル１１４の第２の側１１７またはバックシート１２３には、図１０Ａに示す指ポケット１９９、またはシェル１１４内の指溝（図示せず）材料、または図１０Ａに示すような吸収性構造体１２１のバックシート１２３などの位置決め補助手段が設けられ得る。一般的に、指ポケット１９９は、着用者が吸収性物品１００の後側領域１６６または第２の縁部１６２に向かって指を挿入するように配置された開口１９８を有する。ポケット１９９は、着用者の身体上へ吸収性物品１００を配置する間に着用者の指を入れるための場所を与える。ポケット１９９は、着用者がポケット内に少なくとも２本の指を配置するのに十分な広さの開口であり得る。或いは、着用者が各開口に１本の指のみを配置できるような２つ以上の開口が存在し得る。着用者が吸収性物品を使用のために適切に配置するのを導くのに役立つように他の同様な位置決め補助手段を用いることもできる。例えば、シェル１１４の第２の側１１７または吸収性構造体のバックシート１２３に溝が配置され得る。これにより、着用者が、身体の外陰領域への吸収性物品１００の適用中に外陰領域に対する吸収性構造体の位置を感知することが可能になり得る。ポケット１９９はまた、着用者が身体から吸収性物品を取り外すか或いは吸収性構造体を交換する必要があるときに取り外すのを助け得る。
【００９９】
吸収性物品１００には、身体に適用された吸収性物品を掴んで取り外す手軽な方法を着用者に提供する取外し補助手段も提供され得る。１つの特定の取外し補助手段が、図１０Ｂに示されており、身体に貼着しないかまたは接着剤がないシェルの第１の縁部１６１上に位置するタブ１９２が含まれている。或いは、人体付着接着剤１４４がない第１の縁部１６１の領域を有することなど、他の取外し補助手段が用いられ得る。存在し得る別のタイプの取外し補助手段には、ループ及びプルストリング（引っ張り糸）が含まれる。取外し補助手段は、完全には付着していないかもしれないシェルの一部分を探さなければならない必要なしに、着用者が吸収性物品を着用者の身体からそっと取り外す一連の行為を効果的に始めることを可能にする。
【０１００】
他の機能または添加剤が、本発明の吸収性物品に組み込まれ得る。例えば、吸収性物品は、現在入手可能な吸収性物品に用いられる悪臭抑制剤または芳香剤、肌の健康状態を良くする薬剤及び他の同様な添加剤を含み得る。当業者に既知の任意の悪臭抑制剤または芳香剤が本発明の吸収性物品１００に用いられ得る。悪臭抑制剤または芳香剤は、シェル１１４、吸収性構造体１２１、または生体用接着剤１４４を含む吸収性物品の種々の構成材に加えられ得る。肌の健康状態を良くする添加剤は、吸収性構造体、着用者に付着させたシェル１１４の第１の表面１１５の任意の部分、または生体用接着剤１４４に添加され得る。
【０１０１】
一般的に、吸収性物品１００を着用者の身体に適用するために、吸収性構造体及び（存在するならば）接着剤を保護する剥離シート１４６が、シェルの第１の表面から剥がされる。次に、着用者は、吸収性が必要とされる身体の一部に吸収性構造体を配置する。吸収性構造体上にポジショニングポケットまたは他の位置決め補助手段があれば、着用者は任意選択でこれらの位置決め補助手段を用いて吸収性物品を使用のために適切に配置し得る。生理用ナプキン及び女性用失禁吸収性物品の場合、吸収体は、吸収性構造体が体液を吸収するように膣部を覆って配置される。着用者は、このとき、シェルの第１の領域１０１または（存在するならば）接着剤１４４が膣部の周りの皮膚と確実に接触していることを確認する。
【０１０２】
吸収性物品が前方及び後方部分を有するように意図されているならば、着用者は先ず吸収性物品の前側領域１６４及び／または後側領域１６６を識別する。前側領域と後側領域の識別を助けるために、吸収性物品の前側領域及び／または後側領域を示すための、シェル１１４の開口１０５から見えるような、剥離シート１４６、シェル１１４または吸収性構造体１２１上に位置するしるしが存在し得る。しるしは、吸収性物品の前方または後方を示すための単なるレタリングまたは絵柄でよい。前側領域及び後側領域が着用者によって識別されたら、着用者は上記したのと同じ方法で吸収性物品を配置する。用いられ得るしるしの例には、着用者に吸収性物品の前側領域及び後側領域を示すことになる色、言葉、図形及び同類のものが含まれる。
【０１０３】
いずれの場合にも、吸収性構造体は、着用者の大陰唇を覆うように設計されており、吸収性構造体１２１または開口１０５の助けを借りて配置され得る。さらに具体的に言うと、吸収性構造体及び／または開口は、大陰唇のおおよそのサイズにサイズ及び形状を決められるとき、大陰唇上での吸収性構造体１２１の配置を案内するように働くことができる。きちんと配置されると、着用者によってシェルの第２の側１１７及び／またはバックシート１２３に圧力が加えられ、それによってシェルの第１の表面が着用者の皮膚に接触することになるか、或いは第１の表面に塗布された任意の接着剤が着用者の皮膚に塗布されることになる。
【０１０４】
吸収性物品１００を着用者の身体に付着させることによって、吸収性物品１００は着用者の皮膚とともに動きやすくなるであろう。これは、吸収性物品の着け心地の良さをもたらし、従来の吸収性物品より漏れにくくすることになる。吸収性物品は、着用者により一層の行動の自由を提供し得る身体に非常に近接したフィット性を有する。
【０１０５】
本発明の吸収性物品１００の他の恩恵も提供され得る。例えば、シェルの第１の側１１５に接着剤が塗布されているとき、着用者は、使用後に吸収性物品を取り外すときに、シェルの第１の側を折り重ねて使用済みの吸収性物品を捨てることができる。シェルの外周をぐるりと囲むように有効なシールが形成され得、それによって吸収性構造体を吸収層のバックシート及び封じ込め部内に効果的に封入する。その結果、吸収された流体に付随する悪臭はシェル材料及び裏材層内に封じ込められることになる。本発明の吸収性物品の別の用途は、タンポン支援吸収性物品である。吸収性物品は、追加の漏れ防止を提供する一方でタンポンの引き抜き糸を隠すのに効果的であり得る。
【０１０６】
上記した吸収性物品は、個々の吸収性物品であることができ、或いは吸収システムの一部であり得、着用者のニーズを満たすように様々な選択肢を着用者に提供する。例えば、シェルは、着用者が自身の所与の体形に対して適切な形状またはサイズを選択できるように、様々な形状またはサイズで着用者に提供されることができる。同様に、生体用接着剤は、着用者が必要または希望する接着強度に合うように、様々な接着強度で提供され得る。様々な接着剤または他の付着手段を提供することによって、着用者は、一人一人の着用者によって異なり得る体型、身体状態、及び他の様々な因子に合うようにシェルを選択することができる。同様に、吸収性構造体は、着用者が着用者のニーズに合うように適切な吸収性を選択することができるように様々な吸収能力において提供されることができる。
【０１０７】
吸収システムは、様々なパッケージ化形態で着用者に提供され得る。１つのパッケージ化形態では、異なる特性を有する複数のシェルが、複数の個別のパッケージで提供され得るか、或いは１つのパッケージで提供されることができる。類似の特性、形状またはサイズを有するシェルが１つのパッケージで提供されるならば、その方が一般的に良いパッケージ化形態である。すなわち、或る所与のパッケージにおいて、着用者には、同じ形状、サイズ及び特性、例えば身体への付着特性などを有する複数のシェルが与えられる。吸収性構造体に関して、吸収性構造体は、吸収能力によって分類されるパッケージで着用者に提供されることができ、或いは、様々な吸収能力構造体が１つのパッケージで提供されることができる。単一吸収能力を備えた全ての吸収性構造体を１つのパッケージに入れることによって、着用者は、着用者自身の典型的なニーズに対する正しい吸収能力を選択することができる。しかし、異なる吸収能力を備えた複数の吸収性構造体を１つのパッケージで提供することによって、着用者には、吸収性構造体の複数個のパッケージを購入する必要なく、所与の状況に対する適切な吸収能力を備えた吸収性構造体を選択する能力が与えられることになる。
【０１０８】
別の実施形態では、図１１〜１８に示す生体用接着剤吸収性物品２００もまたシェル２１４及び吸収性構造体２２１を含み、縦方向中心軸Ｘ及び横方向中心軸Ｙを有する。シェル２１４は、第１の領域２０１と、第１の領域から延在する１対の横方向サイド領域２０２、２０２’と、両サイド領域間の少なくとも一部において縦方向に延在する開口２０５（図１２）とを有する。シェル２１４はまた、身体対向面（図１１）を画定する第１の側２１５と、衣服対向面（図１４）を画定する第２の側２１７とを有する。図で示した実施形態では、シェル２１４の第１の側２１５は、吸収性物品２００を着用者の皮膚に、特に図で示した吸収性物品の場合は女性着用者の外陰領域の周りの皮膚に直接貼着するための生体用接着剤２４４を、その少なくとも一部に有する。生体用接着剤２４４は、外陰領域及び場合によっては着用者の恥骨領域及び／または会陰領域において皮膚及び（存在するならば）陰毛と接触し、それによって使用中に着用者の身体に対してシェル２１４及び吸収性構造体２２１を支持及び保持する。生体用接着剤２４４が汚染され、それゆえに着用者の身体に粘着する能力を失いかつ／または意図しない表面に早まって貼着するのを防止するために、剥離シートまたは離型シート（図示せず）が用いられ得る。
【０１０９】
一般的に、吸収性構造体２２１のサイズ及び形状は、その使用目的に応じて、シェル２１４のサイズを決定することになる。シェル２１４の形状は、吸収性物品２００が着用者に対しての快適な感覚を有することになりかつ吸収性物品が着用者の身体から使用中に外れないように選択され、それによって漏れを防止する。１つの適切な実施形態では、シェル２１４及び吸収性構造体２２１を含む吸収性物品２００は、成人女性の約７５パーセントに合うような寸法及び形状とされている。しかし、吸収性物品２００は、それ以上またはそれ以下の女性に合うような寸法及び形状とされることができることを理解されたい。より多くの割合の女性に適合するために、異なるサイズの吸収性物品２００を提供し得ることも考えられる。
【０１１０】
図１３を参照すると、吸収性物品２００（従ってシェル２１４）を３つの一般的な縦方向領域、すなわち、前側領域２６４と、後側領域２６６と、前側領域及び後側領域の間に縦方向に延在しかつこれらを相互接続する中央領域２６５とに、適切に分けることができる。これらの領域２６４、２６５、２６６の各々は、吸収性物品の着用者の異なる身体領域と整合するようにサイズ及び形状を決められる。さらに具体的に言うと、物品２００の前側領域２６４は、着用者の下腹部領域に隣接して配置されるように適合されている。中央領域２６５は、着用者の会陰領域及び膣領域を覆うように着用者の大腿上方領域間に配置されるように適合されている。物品２００の後側領域２６６は、着用者の臀部に配置されるように適合されている。
【０１１１】
図で示した実施形態では、吸収性物品２００の前側領域２６４、中央領域２６５及び後側領域２６６は、ほぼ等しい長さであり、各領域は概ね吸収性物品２００の全長Ｌ１の約１／３に相当する。長さＬ１は、本明細書では、前側領域２６４内の物品２００（図で示した実施形態ではシェル２１４）の縦方向最外延在範囲から後側領域２６６内の物品（図で示した実施形態ではシェル）の縦方向最外延在範囲までの縦方向距離として定義される。例として、シェル２１４（従って図で示した実施形態では吸収性物品２００）の長さＬ１は、適切には、約１７０ｍｍ〜約２２０ｍｍ、より適切には約１９０ｍｍ〜約２００ｍｍであり得る。追加の例として、吸収性物品２００、より詳細にはシェル２１４は、約１９４ｍｍの長さＬ１を有する。吸収性物品２００は、本発明のいくつかの態様から逸脱することなしに、上記と異なる長さＬ１を有し得ることを理解されたい。物品領域２６４、２６５、２６６のうち２つまたは３つ全部は、代わりに、本発明の範囲から逸脱することなしに、物品の所望のフィット性及び意図した身体配置に応じて不ぞろいな長さであり得ることも考えられる。
【０１１２】
図１１〜１８の吸収性構造体２２１は、適切にはシェル２１４の第１の側（すなわち身体対向面）２１５に貼着されるのが適切であり、吸収性構造体２２１は、シェルが、少なくとも前側領域２６４及び中央領域２６５において、より適切には後側領域２６６の少なくとも一部においても、吸収性構造体の外周を越えて縦横両方向に外向きに延在するように、シェルに対してサイズを決められかつ配置される。吸収性構造体２２１は、シェル２１４が、後側領域よりも物品２００の前側領域２６４において或る距離長く、吸収性構造体を越えて外向きに縦方向に延在するように、縦方向にずれ、すなわち吸収性物品の横方向中心軸または左右軸上で縦方向に中心が揃えられていない。しかしながら、吸収性構造体２２１は、本発明の範囲から逸脱することなしに、シェル２１４が吸収性構造体を越えて外向きに等しく縦方向に延在するように縦方向に中心が揃えられ得るか、或いは、吸収性構造体を越えるシェルの縦外寸が前側領域よりも後側領域２６５において大きいように前側領域２６４に向かって縦方向にずれている状態であり得ることを理解されたい。
【０１１３】
図１３に示すように、吸収性物品２００の前側領域２６４は、シェル２１４の第１の領域２０１を含み、吸収性構造体２２１の一部を含む。吸収性物品２００の前側領域２６４においてシェル２１４の第１の側（すなわち身体対向面）２１５の大部分が露出されている（すなわち吸収性構造体２２１によって覆われていない）ので、シェルの第１の側の比較的大きな表面積には、シェルを、従って吸収性物品を、着用者に貼着するための生体用接着剤２４４が塗布されている。
【０１１４】
吸収性物品２００の第１の縁部２６１、より詳細には吸収性物品２００のこの第１の縁部を画定する前側領域２６４の縦方向縁部は、着用者の下腹部領域に適合するようにこの第１の縁部でシェルの幅に沿って輪郭を形成するのが適切である。図で示した実施形態では、例えば、物品の横方向中心軸に対するシェル２１４の縦方向の延在範囲（例えば長さ）は、物品の第１の縁部２６１においてシェルの全幅にわたって一定でなく、より適切には、シェルが、物品の縦方向中心軸から物品の横方向または横に対向する両側部２１９から、より詳細にはシェルの横に対向する側縁部から、横方向に外向きに延出するにつれて、増加する。それゆえ、シェル２１４の最大縦方向延在範囲は、一般的に、物品（すなわち図１３の実施形態ではシェル）のそれぞれの側部２１９と縦方向縁部２６１の交点に隣接している。より適切には、シェル２１４の縦方向縁部（すなわち図で示した実施形態では物品２００の第１の縁部２６１において）は、その縦方向縁部で一般的に弓形でシェルの全幅にわたって延在する。しかし、物品の前側領域２６４におけるシェル２１４の縦方向縁部の輪郭は、Ｖ字型、Ｕ字型、または本発明の範囲から逸脱しない他の適切な形状であり得ることを理解されたい。
【０１１５】
シェル２１４の、輪郭が形成された縦方向縁部（すなわち図で示した実施形態では物品２００の第１の縁部２６１）は、それゆえ、物品（この例ではシェル）の前側領域２６４内に奥まった部分（recess）を大まかに画定する。この奥まった部分は、前側領域２６４におけるシェル２１４の縦方向縁部の縦方向最外延在範囲と前側領域における物品２００の縦方向中心軸でのシェルの縦方向縁部の縦方向延在範囲の間の縦方向距離Ｄ１を画定する。１つの適切な実施形態では、奥まった部分の距離Ｄ１は、約５ｍｍ〜約３５ｍｍ、より適切には約１２ｍｍ〜約１８ｍｍである。一例として、図１３の実施形態における前側領域２６４の奥まった部分の距離Ｄ１は、約１５ｍｍである。
【０１１６】
図で示した物品２００の両側部２１９は、シェル２１４の横方向に対向する側縁部によって適切に画定される。シェル２１４のこれらの側縁部は、着用者の大腿上方を収容するための脚部切り欠きを画定するために、物品２００の全幅（すなわち物品２００の横方向に対向する両側部２１９間の距離）が、より詳細には図で示した実施形態ではシェルの幅が、物品の長さＬ１に沿って一定でないように、輪郭が形成される。１つの適切な実施形態では、物品２００の幅は、従ってシェル２１４は、物品の中央領域２６５における最小幅Ｗ２から物品の各縦方向に対向する縁部（２６１及び２０４、２０４’）に向かって増大する。物品２００、より適切にはシェル２１４の幅も、物品の前側領域２６４の方が後側領域２６６より大きいのがさらに適切である。図で示した実施形態では、例えば、物品２００の最大幅Ｗ１は、物品の前側領域２６４においてシェルの縦方向縁部（例えば物品２００の第１の縁部２６１）に隣接するシェル２１４の横方向側縁部によって画定される。追加の例として、物品２００の、より詳細にはシェル２１４の最大幅Ｗ１は、約５２ｍｍ〜約１８０ｍｍ、より適切には約１４０ｍｍ〜約１７０ｍｍである。図１３の図で示した実施形態では、物品２００の最大幅Ｗ１は約１５０ｍｍである。物品２００の、より詳細にはシェル２１４の最小幅Ｗ２は、約４５ｍｍ〜約８５ｍｍ、より適切には約６０ｍｍ〜約８０ｍｍである。図で示した実施形態では、例えば、シェル２１４の最小幅Ｗ２は約７８ｍｍである。他の実施形態では、シェル２１４（従って図で示した実施形態では物品２００）の長さＬ１のシェル２１４（従って物品２００）の最小幅Ｗ２に対する比は、約３〜約１、より適切には約２〜約１である。
【０１１７】
図１３に示す物品２００では、物品２００の側部２１９、より詳細にはシェル２１４の横方向側縁部は、物品の実質的に全長Ｌ１に沿って一般的に弓形である。或いは、側部２１９は、物品の長さＬ１の一部のみに沿って弓形であり得る。脚部切り欠きを画定する側部２１９は、Ｖ字型、Ｕ字型、または他の適切な形状であり得るか、または実質的に物品２００の全長Ｌ１に沿って一定（例えば一直線または縦長）であり得ることも理解されたい。物品の側部２１９は、本発明の範囲から逸脱することなしに上記した以外の物品２００の幅を画定するように輪郭が形成され得ることも理解されたい。物品２００の最大幅は前側領域２６４内以外にあり得、かつ／または最小幅は物品の中央領域２６５内以外にあり得、依然として本発明の範囲内にあることもさらに理解されたい。
【０１１８】
尚も図１３を参照すると、前側領域２６４におけるシェル２１４の、輪郭が形成された縦方向縁部（例えば物品２００の第１の縁部２６１）は、シェルの縦方向縁部と概ね交差するシェルの、輪郭が形成された横方向側縁部（例えば物品の側部２１９）とともに、前側領域において１対の互いに横方向に離間したタブ２２０を画定する。各タブ２２０は、部分的にシェル２１４の横方向に外向きにかつ部分的にシェルの縦方向に外向きに延在する中心軸ＣＡを有する。各タブ２２０は、タブを着用者に、より適切には着用者の腹部領域に直接貼着するための生体用接着剤２４４を身体対向面（例えば第１の側２１５）上に有するのが適切である。１つの特に適切な実施形態では、着用者の皮膚へのより良好な貼着を容易にするために、タブ２２０は、着用者の陰毛が殆どまたは全くない領域まで延在するサイズに決められる。例えば、一実施形態では、各タブ２２０は、吸収性構造体２２１の外周縁から、約２０ｍｍ〜約９０ｍｍ、より適切には約４５ｍｍ〜約７０ｍｍの距離Ｄ５だけ離れて、その中心軸ＣＡに沿って外向きに延在する。各タブ２２０は、物品の縦方向中心軸からそれぞれのタブの横方向最外延在範囲までの距離Ｄ６（これはシェルの幅Ｗ１のおよそ半分）を画定する横方向最外延在範囲（これは、図で示した実施形態ではシェル２１４の、従って物品２００の、最大幅Ｗ１を画定する）も有する。特に適切な実施形態では、距離Ｄ６（タブ２２０が横方向に外向きに延在する距離）の距離Ｄ５（その中心軸ＣＡに沿ったタブの長さ）に対する比は、約１〜約２である。別の適切な実施形態では、距離Ｄ６の、シェル２１４の縦方向中心軸と吸収性構造体２２１の側縁部間の距離（すなわち図１８に示す幅Ｗ５の約半分）に対する比は、約２〜約５である。
【０１１９】
各タブ２２０は、シェル２１４の横方向中心軸からタブ２２０の縦方向最外延在範囲までの長さＬ２を画定する前側領域２６４内の縦方向最外延在範囲（これは、図で示した実施形態では、シェル２１４の縦方向縁部の最外延在範囲を画定する）をさらに有する。この長さＬ２は、適切には、約５０ｍｍ〜約１２０ｍｍ、より適切には約７０ｍｍ〜約１００ｍｍである。図３に示すように、吸収性構造体２２１は、物品の前側領域２６４内へ縦方向に延在し、横方向中心軸から前側領域内の吸収性構造体の縦方向最外延在範囲までの長さＬ３を画定する縦方向最外延在範囲を有する。例えば、この長さＬ３は、適切には、約３０ｍｍ〜約９０ｍｍ、より適切には約５０ｍｍ〜約７０ｍｍであり得る。別の実施形態では、長さＬ２（タブ２２０の縦方向最外延在範囲）の長さＬ３（前側領域２６４内の吸収性構造体２２１の縦方向最外延在範囲）に対する比は、約３〜約１、より適切には約２〜約１である。
【０１２０】
ここで図１７を参照すると、吸収性物品２００の後側領域２６６は、シェル２１４において開口２０５を含み、横方向サイド領域２０２、２０２’の部分が、開口の両側に配置されている１対の互いに横方向に離間したタブを大まかに画定する。後側領域２６６のこれらのタブの配置は、これらのタブが着用者の会陰領域の後方の臀部と概ね整合するようになされる。図で示した実施形態では、着用者の大腿部及び臀部の通常の動きに適応するために、開口２０５は、タブが物品の中央領域２６５に対して自由に屈曲しかつ概ね互いに独立しているように、物品２００の縦方向中心軸上に縦方向に延在する概ねＶ字型の切込部の形をとっている。１つの特に適切な実施形態では、切込部２０５は、吸収性物品２００の遠位端２０４、２０４’（より詳細には後側領域２６６におけるシェルの最大縦方向延在範囲）から約５ｍｍ〜約１００ｍｍ、より適切には約５０ｍｍ〜約８０ｍｍの距離Ｄ２だけ縦方向に内向きに延在する。図で示した実施形態では、例えば、切込部２０５は、約７５ｍｍの距離Ｄ２を有する。別の実施形態では、切込部２０５の距離Ｄ２は、シェル２１４の長さＬ１の約５パーセント〜約６０パーセント、より適切には長さＬ１の約２５パーセント〜約４０パーセントである。他の実施形態では、シェル２１４の前側領域２６４内の奥まった部分の距離Ｄ１の後側領域２６６内の切込部２０５の距離Ｄ２に対する比は、約４〜約１、より適切には約３〜約１である。さらに別の実施形態では、シェル２１４の前側領域２６４内の奥まった部分の距離Ｄ１のシェルの全長Ｌ１に対する比は、適切には約０．０３〜約０．２、より適切には約０．０６〜約０．０９である。しかし、切込部２０５は、本発明のいくつかの態様から逸脱することなしに、より大きいかまたは小さい場合があることを理解されたい。
【０１２１】
次に図１５及び１６を見てみると、吸収性構造体２２１は、単層構造を含み得るか、或いは複数の層で構成され得る。図で示した吸収性構造体２２１は、例えば、吸収性コア２２２、吸入層２２５、トップシート２２４及び液不透過性バックシート２２３を含む。吸収性物品２００の全厚Ｔ１は、適切には、約１ｍｍ〜約１２ｍｍ、より適切には約２．５ｍｍ〜約５ｍｍである。一例として、図で示した吸収性物品の厚さＴ１は約３．５ｍｍである。しかし、厚さＴ１は、少なくとも部分的には吸収性物品２００の使用目的にもよるが、上記した以外のものであり得ることを理解されたい。例えば、吸収性構造体２２１が生理用品の形で用いられることを目的とする吸収性物品２００は、吸収性構造体がパンティライナーの形で用いられることになる吸収性物品よりも大きな厚さＴ１を有し得る。別の適切な実施形態では、吸収性構造体２２１は、約１ｍｍ〜約１２ｍｍの、より適切には約１．５ｍｍ〜約５ｍｍの厚さＴ２を有する。図で示した実施形態では、例えば、吸収性構造体の厚さＴ２は約３ｍｍである。シェル２１４自体は、約０．０３ｍｍ〜約５．０ｍｍの、より適切には約０．１ｍｍ〜約３．０ｍｍの厚さＴ３を有し得る。１つの特に適切な実施形態では、シェル２１４の厚さＴ３は、０．２５ｍｍ〜約３．０ｍｍである。図で示した実施形態では、例えば、シェル２１４は、約０．５ｍｍの厚さＴ３を有する。
【０１２２】
ここで図１８を参照すると、図で示した吸収性構造体２２１は、上方部分２３５、中間部分２３７、及び下方部分２３９を有する。吸収性構造体は、概ね砂時計形状にされ、上方部分２３５は、約１０ｍｍ〜約８０ｍｍ、より適切には約３０ｍｍ〜約６０ｍｍの幅Ｗ４を有するのが適切である。図で示した実施形態では、例えば、上方部分２３５の幅Ｗ４は約４７ｍｍである。中間部分２３７は、吸収性構造体２２１の最もくびれた部分であり、約１０ｍｍ〜約８０ｍｍ、より適切には約３０ｍｍ〜約６０ｍｍの幅Ｗ５を有し得る。図で示した実施形態では、中間部分２３７の幅Ｗ５は約４０ｍｍである。下方部分２３９は、約１０ｍｍ〜約１２０ｍｍ、より適切には約４０ｍｍ〜約８０ｍｍの幅Ｗ６を有する。図で示した実施形態ではでは、例えば、下方部分２３９の幅Ｗ６は約６３ｍｍである。別の適切な実施形態では、吸収性構造体２２１は、約８０ｍｍ〜約１８０ｍｍ、より適切には約１１０ｍｍ〜約１５０ｍｍの縦方向延在範囲Ｌ４を有する。一例として、図で示した吸収性構造体２２１の縦方向延在範囲Ｌ４は約１４５ｍｍである。しかし、吸収性構造体は、本発明の範囲から逸脱することなしに、上記以外の幅及び／または長さになるようなサイズにされ得ることを理解されたい。吸収性構造体２２１は、本発明の範囲内で概ね砂時計形状以外の任意の適切な形状であり得ることも理解されたい。
【０１２３】
図１３に戻ると、吸収性構造体２２１は、吸収性構造体の少なくとも一部がシェルの開口または切込部２０５を覆うようにシェル２１４の第１の側（すなわち身体対向面）２１５に固定される。吸収性構造体２２１は、一般的に吸収性構造体が吸収性物品２００の着用者によって取外し可能ではないことを意図する意味で、シェル２１４に永久的に取付けられ得る。或いは、吸収性構造体２２１は、吸収性構造体２２１が着用者によって取り外され（一部の実施形態では再び取付けられ）得るようにシェル２１４に取外し可能に（一部の実施形態では再締着可能に）取付けられ得る。
【０１２４】
シェル２１４及び吸収性構造体２２１は、シェルの一部が吸収性構造体の外周縁の少なくとも一部に沿って吸収性構造体の外周縁を越えて外向きに延在するように、互いに対してサイズを決められる。このように、吸収性構造体２２１の外周の周囲のシェル２１４の一部は、シェルの第１の側（すなわち身体対向面）２１５で覆われずに露出しており、着用者への貼着のために利用可能である。例えば、シェル２１４は、１つの適切な実施形態では、少なくとも前側領域２６４及び中央領域２６５において、より適切には後側領域２６６の一部においても、吸収性構造体２００の外周縁を越えて外向きに延在する。例えば、一実施形態に従って、シェル２１４は、少なくとも約３ｍｍ、より適切には約５ｍｍ〜約１５ｍｍ、さらに適切には約８ｍｍ〜約１３ｍｍの距離Ｄ３だけ吸収性構造体２２１の外周縁の外側に延在する。一実施形態では、シェル２１４の覆われていない部分の第１の側２１５全体は、シェル及び従って吸収性物品を着用者に貼着するための生体用接着剤２４４をその表面上に有する。
【０１２５】
図１３に示すように、シェル２１４が吸収性構造体２２１の外周縁を越えて外向きに延在する距離は、吸収性構造体の外周の周囲で一定でないのが適切である。より詳細には、シェル２１４は、中央領域２６５よりも前側領域２６４において或る距離長く、吸収性構造体２２１の各側縁部を越えて横方向に外向きに延在する。しかし、シェル２１４は、同一距離だけ吸収性構造体２２１の外向きに延在し得るか、或いは図１３に示されているのとは異なるが本発明の範囲内にあるパターンに従って外向きに延在し得ることを理解されたい。別の適切な実施形態では、シェル２１４の第１の側（すなわち身体対向面）２１５は、約５０，０００ｍｍ２〜約２０，０００ｍｍ２、より適切には約３０，０００ｍｍ２〜約４０，０００ｍｍ２の全表面積を有する。吸収性構造体２２１は、人体に対向する全表面積が、約４，５００ｍｍ２〜４５，０００ｍｍ２、より適切には約１５，０００ｍｍ２〜約２０，０００ｍｍ２である。従って、シェル２１４の第１の側２１５の表面積の約１０，０００ｍｍ２〜約４５，０００ｍｍ２、より適切には約１８，０００ｍｍ２〜約２２，０００ｍｍ２が、吸収性構造体２２１によって覆われていないままである。別の言い方をすれば、シェル２１４の約４０パーセント〜約９５パーセント、より適切には約４０パーセント〜約６５パーセントが、吸収性構造体２２１によって覆われていない。
【０１２６】
一例として、図で示した実施形態では、シェル２１４は約３４，０００ｍｍ２の全表面積を有し、そのうち約２０，０００ｍｍ２は覆われておらず、そこに生体用接着剤２４４を塗布するために利用できる。図で示した吸収性構造体２２１は、人体に対向する全表面積が約１８，０００ｍｍ２であり、そのうち約１４，５００ｍｍ２がシェル２１４を覆いかつシェル２１４上にある。従って、図で示したシェル２１４の約６０パーセントは、生体用接着剤２４４を有し、吸収性物品２００を着用者の皮膚に貼着するために用いられることができる。しかし、シェル２１４の全露出面積に満たない部分の上に生体用接着剤２４４を塗布することができることを理解されたい。吸収性構造体を着用者の皮膚に貼着または部分的に貼着するために、吸収性構造体２２１に生体用接着剤を塗布することができることも理解されたい。
【０１２７】
本明細書の吸収性物品１０の追加実施形態が図１９Ａ〜２９Ｂに示されている。前の実施形態と同様に、吸収性物品１０の１つの構成材は、第１の側１５及び第２の側１７を有するシェル１４である。シェル１４は、本発明の吸収性物品の全体的な輪郭またはシルエットを提供するように働く。さらに、シェル１４は、使用者の身体に吸収性物品１０を付着または貼着するための表面も提供する。
【０１２８】
シェル１４の第１の側１５は吸収性物品１０の人体対向側であり、シェル１４の第２の側１７は吸収性物品の衣服対向側である。シェル１４の第１の側１５は、第１の領域１１及び第２の領域１２を有する。第１の領域１１は、図１９Ａにはっきりと示すように、第２の領域１２の大部分を取り囲むかまたは境界をつける。「大部分を取り囲むかまたは境界をつける」とは、第２の領域１２の外周１２Ｃの少なくとも５１％が第１の領域１１に接触していることを意味する。一般的に、第２の領域１２の外周１２Ｃの少なくとも６０％が第１の領域１１に接触している。或る特定の実施形態では、第２の領域１２の外周１２Ｃの少なくとも７５％が第１の領域１１に接触している。別の特定の実施形態では、第２の領域１２の外周１２Ｃの少なくとも９０％が第１の領域１１に接触している。本発明のさらなる実施形態では、第２の領域１２の外周１２Ｃの少なくとも９５％が第１の領域１１に接触している。本発明のさらなる実施形態では、図１９Ｂに示すように、第１の領域１１は、シェル１４の第２の領域１２を完全に取り囲んでいる。
【０１２９】
一実施形態では、シェル１４の第１の側の第１の領域１１は、着用者の皮膚に接触、付着または貼着するように設計または適合される。１つの特定の実施形態では、シェル１４の第１の領域１１は、吸収性物品１０が着用者に適用されるとき、女性の胴体の外陰領域を囲繞する女性着用者の皮膚に触れるように設計または適合される。一般的に、シェル１４は、シェルの第１の領域の寸法のみが着用者の外陰部並びに場合により恥骨及び会陰領域を囲繞しかつそれらに最も近い皮膚に接触し、かつ付着または貼着するようにサイズ及び形状を決められる。着用者の外陰、恥骨及び会陰領域において皮膚に接するのに加えて、シェル１４の第１の領域の第１の領域１１は、存在し得る使用者の外陰部の陰毛にも接触しかつ付着または貼着し得る。第１の領域１１は、吸収性物品を使用者上の適所に保持するシェル１４の第１の側１５の部分である。
【０１３０】
一般的に、シェル１４の第２の領域１２は、吸収性製品に吸収性を提供するシェル１４の部分である。すなわち、シェルの第１の側の第２の領域１２は、吸収性構造体が取付けられているか或いは吸収特性を有するようなシェルの第１の側の任意の領域である。本発明の１つの特定の実施形態では、シェル１４の第２の領域１２は、シェル１４内に包含されているか或いは第２の領域でシェル１４に取付けられた吸収性構造体２１を有する。第２の領域１２は、１つの連続した領域であり得るか、または２つ以上の別個の領域であり得ることに留意されたい。一般的に、製造の容易さの観点から、第２の領域１２は１つの連続した領域である。代替実施形態では、シェルの第２の領域１２は、追加吸収性構造体の存在なしにシェルの第２の領域１２が吸収体であるように、シェル１４に組み込まれた吸収性材料を包含し得る。シェルの第２の領域１２は、コーティングされているかまたはシェル材料に含ませた吸収性材料を有し得る。
【０１３１】
吸収性物品１０のシェル１４は、様々な材料から作製され得る。シェルは、機能的に液不透過性であるように機能することになる任意の材料で作られた層を含み得る。シェル１４は、例えば、高分子フィルム、織布、不織布または同類のもの、並びにそれらの組合せまたは複合体を含み得る。例えば、シェル１４は、織布または不織布に積層されたポリマーフィルムを含み得る。積層体シェル１４の構造は、図２０Ａに示されており、上層１４１及び下層１４２を有し、上層はシェル１４の人体対向側であり、下層１４２はシェル１４の衣服対向側である。特定の実施形態では、ポリマーフィルムは、ポリエチレン、ポリプロピレン、ポリエステル、シリコンまたは同類のもの、並びにそれらの組合せから構成されることができる。さらに、ポリマーフィルムは、マイクロエンボス加工され、印刷されたデザインを有し、印刷された消費者に対するメッセージを有し得、かつ／または少なくとも部分的に着色され得る。シェル１４は、体液及びしばしば体液に付随する悪臭の通過を妨げつつ、吸収性物品１０からの、特に吸収性構造体２１からの空気及び水蒸気の十分な排出を機能的に許容することができるのが適切である。適切なシェル材料の例には、通気性微小孔フィルム、例えば米国特許第６，０４５，９００号明細書に記載されているものなどを含むことができ、当該文献の開示全体は引用を以て本明細書の一部となす。伸張可能である他のシェル材料が本発明において用いられ得る。伸張性バックシート材料の例は米国特許第５，６１１，７９０号明細書に記載されており、全文を引用することを以て本明細書の一部となす。
【０１３２】
本発明の１つの特定の実施形態では、シェル１４は、織布または不織布と、粘着特性を有するシリコンポリマーとの積層体であり得る。シェルの第２の側１７は織布または不織布であり、シェルの第１の側１５はシリコンポリマーである。１つの市販の積層体は、バイオ・メッド・サイエンシーズ社（7584 Morris Court, Suite 218 Allentown, PA 18106）から入手可能なオリーバ・ファブリック（登録商標）１である。オリーバ・ファブリック（登録商標）は、織布の裏地に粘着特性を有するシリコンシートがラミネートされている。このシリコンシートは、シェル材料の身体に面した第１の側１５を形成することになる。この特徴的な構造を図面に関連付けると、図２０Ａにおいて、シリコンポリマーはシェル１４の上層１４１であり、不織布または織布の層はシェルの下層１４２である。
【０１３３】
二成分フィルムまたは他の他成分フィルムをシェル１４の材料として用いることもできる。さらに、機能的に液不透過性になるように処理された織布及び／または不織布を効果的なシェル１４の材料として用いることもできる。別の適切なシェル材料は、独立気泡ポリオレフィンフォーム、ポリウレタンポリマー材料、シリコンポリマーまたは他の同様な材料を含むことができる。自然発生的な粘着特性を有するシリコンポリマー、またはシリコン接着剤層が塗布されたシリコンポリマーは、シェル材料に特に向いている。そのようなシリコンポリマーは、追加の接着剤を必要とすることなくシェル１４の第１の領域１１が使用者の身体に貼着することを許容することになる。これらの材料は、シリコンポリマーの接着性によって使用者の下着が衣服とくっつかないように、吸収性物品１０の衣服対向側であるシェル１４の第２の側１７などの別の材料に積層され得る。本発明の別の実施形態では、シェル材料は、相互侵入高分子網目または２つ以上のポリマーから作製され得る。一般的に、相互侵入高分子網目のポリマーの１つは、シリコン材料であり得る。相互侵入高分子網目の例は米国特許第５，７５９，５６０号明細書に記載されており、当該文献は全文を引用することを以て本明細書の一部となす。
【０１３４】
シェル材料は、シェルの全体の特性によって、通常の使用中及び通常の使用における着用者による通常の動きの間に、シェル材料が着用者の皮膚とともに動くことを可能にするように選択されるべきである。シェル１４は、シェルが使用中に使用者の皮膚から外れるほど硬すぎてはならず、シェルは、シェルが使用中によれて一カ所に集中しやすい程度に柔らかいものであってはならない。シェル１４は、使用者の皮膚に適合しかつ使用者の第２の皮膚のようになるように、十分な柔軟性を有するべきである。
【０１３５】
一般的に、シェル材料は、シェル１４が使用者の身体に合わせて形作られるように十分な厚さを有するべきであるが、シェル１４が使用者にとって着心地が悪くなるほど厚すぎない。さらに、シェル１４は、使用者に適用されるときに使用者の皮膚とのシール形成が効果的でないか、或いは使用中または使用中の使用者の通常の動きの間に使用者の皮膚から外れるほど、或いは、使用者に付着させた時点で使用者の体形及び皮膚に適切に適合しないほど、薄すぎてはならない。シェルに用いられる材料にもよるが、シェルの典型的な厚さは、０．０３ｍｍ〜約５．０ｍｍ、より詳細には０．１ｍｍ〜３．０ｍｍである。１つの特定の実施形態では、シェルの厚さは、０．２５ｍｍ〜約３．０ｍｍである。この場合もやはり、用いられる実際の厚さは、材料の硬さ、材料の柔らかさ、及び使用位置（典型的には使用者の外陰領域である）での使用者の皮膚の形状を仮定する材料の能力を含むいくつかの因子によって決まる。
【０１３６】
シェル１４の第２の側１７は、使用者が着用したときに吸収性物品の衣服対向側を形成する。シェル１４の材料は、シェルの第２の側が使用者の下着または衣服に対して自由に動くことになるように選択されるべきである。この結果を得るための１つの方法は、シェル１４の第２の側１７がかなり低い摩擦係数を有するようにすることである。これによって、シェル１４の第２の側１７は、使用者によって着用されている下着または他の衣服に対して自由に動くことができることになる。シェル１４の第２の側１７が、使用者によって着用されている下着または他の衣服に対して自由に動かなければ、吸収性物品は下着または衣服に引っ掛かることがあり、それによって、吸収性物品が早過ぎたり望ましくないのに使用者から取り外されることになったり、或いは吸収性物品が使用者の身体に対して所望の装着部位からずれたりし得る。
【０１３７】
シェル１４の第２の側１７で所望の摩擦係数を達成するために、シェルを作製するために用いられる材料は、シェル材料の第２の側１７が本質的に所望の摩擦係数を有することになるように選択されることができる。或いは、シェル１４の第２の側１７は、ポリテトラフルオロエチレン含有コーティング、シリコン含有コーティング、または低摩擦係数特性を有する他の同様のコーティングなどのコーティング組成物で処理され得る。或いは、シェル１４の第１の側１５が第１の側１５の必要な特性に合う材料から作製される一方で、第２の側１７が、使用者によって着用されている下着または衣服に対して自由に動くことになるように、シェル１４の第２の側１７のために選択された材料が所望の摩擦係数に合うように、シェル１４は２つ以上の材料の積層体から作られることができる。
【０１３８】
吸収性物品１０のシェル１４は、平坦であり得るか、または３次元形状を有し得る。吸収性物品の側面斜視図である図２１に示すように、シェル１４は３次元凹形状を有する。或いは、図２０、２０Ａ及び２２の断面側面図に示すように、シェル１４は概ね平坦な形状を有し得る。図２１に示すような３次元凹形状を吸収性物品１０に与えることによって、物品の配置は使用者にとってより容易であり得る。一般的に、３次元形状は、吸収性物品がパンティライナー、生理用ナプキンまたは女性用失禁用品として用いられるとき、大部分の女性の外陰領域及び任意選択で恥骨及び会陰領域の全体的な一般曲率に近いようなものであることができる。３次元形状を持つシェル１４を形成するため、シェルは、当業者に既知の任意の方法、例えば熱成形で成形され得る。シェル１４に３次元形状を与える方法は、本発明にとって重要ではない。
【０１３９】
シェル１４が平坦な形状であるとき、これはシェルが厚さ以外の３次元目を持たないことを意味するが、シェル１４は、シェル１４が付着時点で使用者の身体に適合することができるように十分に柔らかく作られるべきである。平坦であることに加えて、シェル１４の全体形状は、図２３、２３Ａ及び２３Ｂに示すような外形を有し得る。一実施形態では、輪郭形状は、図２３Ａに示すように輪郭の最もくびれた箇所が外陰領域に最も近いシェル１４の股部にあるようなものにされ得る。図２３に示す輪郭形状は、シェル１４及び吸収性物品が作製され得る多くの可能な形状の１つである。本発明の範囲から逸脱することなしに、他の形状も用いられ得る。一般的に、選択される形状は、シェル１４及び吸収性物品１０が使用者に漏れ防止手段を提供する一方で使用者にとって着心地がよいようなものであるべきである。輪郭形状は、３次元シェルと併用されることもあることに留意されたい。吸収性物品の全体的な形状のさらなる考察については後述する。
【０１４０】
シェルは、任意の所望の色であり得るか、または半透明であり得る。さらに、シェルは、マット仕上げ（艶消仕上げ）、サテン仕上げ、または平滑仕上げを有し得る。特定の仕上げ色または半透明性は、本発明の吸収性物品の製造業者が適宜選択し得る。しかし、半透明であるシェルを提供すると、使用者の性器と比べてどこに物品が配置されるかを使用者は見ることができ得るので、使用者が使用前に吸収性物品１０を配置するのに役立ち得る。
【０１４１】
吸収性構造体２１は、月経液、血液、尿及び他の体液、例えば汗や膣分泌物などを含む身体からの滲出液を吸収するように設計されている。吸収性構造体２１は、縦方向１及び横方向２を有する。この吸収性構造体２１は、単層であり得るか、または複数の層であり得る。典型的には、吸収性構造体２１は吸収性コア２２を有する。この吸収性コア２２は、吸収性材料の１若しくは複数の層を包含し得る。すなわち、吸収性コア２２は、単一の吸収性材料層であり得るか、または多層構造体であり得る。各層は、同じような材料または異なる材料を包含することができる。本発明の吸収性物品１０では、吸収性コア２２を形成するために用いられ得る材料には、吸収性物品に通常用いられる材料が含まれ、例えば、セルロース、木材パルプフラッフ、レーヨン、綿、メルトブローンポリマー、例えば、ポリエステル、ポリプロピレンまたはコフォームなどの材料が含まれる。コフォームは、ポリプロピレンなどのメルトブローンポリマーと、セルロースなどの吸収性ステープルファイバーとを、メルトブローエアフォームで組み合わせたものである。望ましい材料は、コストが低く、比較的容易に形成でき、かつ良好な吸収性を有することから木材パルプフラフである。
【０１４２】
吸収性コア２２は、様々な天然または合成繊維、木材パルプ繊維、再生セルロースまたは綿繊維、或いはパルプと他の繊維との混紡から形成され得る親水性材料からなる複合材料から形成されることもできる。吸収性コアとして用いられ得る材料の１つの特定の例は、エアレイド材料である。吸収性コア２２は、伸展性を含む他の特性を有し得るので、吸収性コアを伸ばすかまたは特定の使用者にフィットさせることができることになる。伸張性吸収性コアの一例は米国特許第５，６１１，７９０号明細書に記載されており、全文を引用することを以て本明細書の一部となす。
【０１４３】
一実施形態では、吸収性コア２２は、親水性材料に加えて、またはその代わりに、高吸収性材料を含むこともあり、高吸収性材料は、自重に対して大量の流体を吸収する吸収性コアの能力を増大させる。概説すれば、高吸収性材料は、自重の少なくとも約１５倍、適切には約３０倍、可能ならば約６０倍以上の生理食塩水（例えば０．９ｗｔ％のＮａＣｌを含む生理食塩水）を吸収することができるような、水膨潤性で一般的には不水溶性のヒドロゲル形成ポリマー吸収性材料であることができる。高吸収性材料は、粒子として、またはシート形状で挿入されることができる。高吸収性材料は、生分解性または両極性であり得る。ヒドロゲル形成ポリマー吸収性材料は、有機ヒドロゲル形成ポリマー材料及び合成ヒドロゲル形成ポリマーから形成され得、有機ヒドロゲル形成ポリマー材料には、寒天、ペクチンなどの天然材料と、カルボキシメチルセルロース、カルボキシエチルセルロースなどのグアガムで修飾された天然材料と、ヒドロキシプロピルセルロースとが含まれ得る。合成ヒドロゲル形成ポリマーには、例えば、ポリアクリル酸、ポリアクリルアミド、ポリビニルアルコール、エチレン無水マレイン酸コポリマー、ポリビニルエーテル、ポリビニルモルフォリノンのアルカリ金属塩や、ビニルスルホン酸、ポリアクリル酸塩、ポリアクリルアミド、ポリビニルピリジンのポリマー及びコポリマー、及び同類のものが含まれる。他の適切なヒドロゲル形成ポリマーには、加水分解アクリロニトリルグラフト澱粉、アクリル酸グラフト澱粉、イソブチレン無水マレイン酸コポリマー及びそれらの混合物が含まれる。ヒドロゲル形成ポリマーは、材料を実質的に不水溶性にするために軽く架橋され得る。架橋は、例えば、照射、或いは共有結合、イオン結合、ファンデルワールス結合、または水素結合によるものであり得る。ヒドロキシ官能性高分子は、生理用ナプキンのための良好な高吸収性樹脂であることが分かっている。そのような高吸収性材料は、数ある中でも、ダウケミカル社、ヘキスト・セラニーズ社及びストックハウゼン社から市販されており、２５ｇ／ｇ（吸収性材料１グラム当たりの吸収された液体のグラム数）以上の加圧下吸収量値を有するポリビニルアルコールとポリアクリル酸の架橋コポリマーの部分的に中和された塩である。当業者に既知の他のタイプの高吸収性材料が用いられる場合もある。
【０１４４】
一般的に、吸収性コア２２は、図２０、２０Ａ及び２２に示すように、シェル１４に隣接して配置されることになる。さらに、吸収性コア２２は、図２２に示すようにシェル１４の奥まった部分内に置かれ得る。
【０１４５】
吸収性コア２２に加えて、吸収性構造体２１は、吸収性コア２２が体液を吸収性コア２２内に捕獲して保持するのを助ける他の付加層を有し得る。これらの他の層は、存在するとき吸収性コア２２と組み合わせて、吸収性物品１０の吸収性構造体２１を形成する。吸収性構造体２１には、吸収性コアに加えて単層または複数の層が存在し得る。或いは、吸収性構造体２１は単層を有し得るが、この単層は一般的には吸収性コア２２である。
【０１４６】
吸収性構造体２１において吸収性コアに加えて用いられ得る付加層の１つの特定の例は、身体側ライナーまたはトップシート２４であり、これは一般的には液透過性材料であり、これによって体液はトップシートを通って吸収性コア内へ入れられる。「身体側ライナー」及び「トップシート」なる語は互換可能に用いられ得ることに留意されたい。身体側ライナー２４はまた、使用者の身体から吸収性コア２２を分離することによって、使用者にドライナー感覚を提供し得る。すなわち、吸収性コア２２が身体側ライナー２４とシェル１４の間にあるように、身体側ライナー２４は吸収性コア２２と使用者の身体の間に配置される。
【０１４７】
本発明では、一般的に身体側ライナー２４は、図２０に示すように吸収性コアの縁部２５までしか延在しない。しかし、身体側ライナー２４は、吸収性コア２２の縁部２５を越えて延在し得、シェルの第１の側に取付けられ得る。一般的に、身体側ライナー２４が吸収性コア２２を越えて延在するならば、身体側ライナーは、シェル１４の第１の側１５に取付けられることになる。また、身体側ライナー２４が吸収性コア２２を越えて延在するならば、身体側ライナー２４は一般的に、シェル１４の第１の側１５の第１の領域１１全体を覆うものではない。
【０１４８】
任意選択で、身体側ライナー２４は１若しくは複数の材料から形成され得る。身体側ライナーまたはトップシート２４は、製品の種類によって異なる身体排泄物に対処することができなければならない。女性用ケア製品においては、しばしば身体側ライナーまたはトップシート２４は月経及び尿を処理することができなければならない。本発明では、身体側ライナーまたはトップシート２４は、任意の機能性材料で作られた層を含み得るか、或いは複合材料であり得る。例えば、身体側ライナーまたは身体に接する層は、織布、不織布、ポリマーフィルム、フィルム不織布積層体または同類のもの、並びにそれらの組合せを含む場合がある。身体側ライナーまたはトップシート２４において使用可能な不織布の例には、例えば、エアレイド不織布ウェブ、スパンボンド不織布ウェブ、メルトブローン不織布ウェブ、ボンデッドカーデッドウェブ、水流交絡不織布ウェブ、スパンレースウェブまたは同類のもの、並びにそれらの組合せが含まれる。身体側ライナーまたはトップシート２４を作るのに適切な材料の他の例は、レーヨンや、ポリエステル、ポリプロピレン、ポリエチレン、ナイロンまたは他の熱ボンディング可能な繊維のボンデッドカーデッドウェブ、細かく穿孔されたフィルムェブ、網状材料、及び同類のもの、並びにそれらの組合せを含む場合がある。これらのウェブは、ポリマー材料から作製されることができ、例えば、ポリプロピレン、ポリエチレン及びそれらのコポリマーなどのポリオレフィン、ポリ乳酸、ナイロンまたは任意の他の熱ボンディング可能な材料などの脂肪族エステルを一般的に含むポリエステルなどから作製されることができる。身体側ライナーがフィルムまたはフィルム積層体であるとき、フィルムは、流体が身体側ライナーを通って吸収性コアまで流れるように開孔されるかまたは別な方法で作られるべきである。
【０１４９】
身体側ライナーまたはトップシート２４用の適切な材料の他の例は、ポリマーと不織布材料の複合材料である。複合材料は、典型的には、スパンボンド材料などの不織布ウェブ上へのポリマーの押し出しによって一般的に形成される一体シートの形をとる。特定の形態では、身体側ライナーまたはトップシート層２４は、物品が吸収するかまたは別な方法で処理することを目的とした液体に関して機能的に液透過性であるように構成されることができる。機能的な液体透過性は、例えば、ライナーまたは身体に接する層に存在するかまたは形成されるような複数の孔、穿孔、開孔部または他の開口、並びにそれらの組合せによって提供され得る。開孔部または他の開口は、体液がライナーまたは身体に接する層の肉厚を通り抜けて物品の他の構成材（例えば吸収性コア２２）に浸透することができる速度を増加させるのに役立ち得る。選択された液体透過性を与える要素は、物品の身体側に配置されるように指定されている身体側ライナーまたはトップシート２４の機能的部分上に少なくとも存在するのが望ましい。身体側ライナーまたはトップシート２４は、快適さ及びなじみやすさを提供することができ、身体からの滲出液を身体から離れて吸収性コア２２に向けるように機能することができる。身体側ライナーまたはトップシート２４は、その構造内に液体をほとんどまたは全く保持しないように構成されることができ、着用者の生体組織の隣に比較的快適でかつ刺激しない表面を提供するように構成されることができる。本発明では、各吸収性物品のトップシートまたは身体対向面は、エンボス加工され得るか、印刷され得るか、または別な方法で或るパターンが与えられ得る。
【０１５０】
例えば液体獲得及び分配層を含む追加の層または物質はサージ層または移送層とも呼ばれ、吸収性製品１０の吸収性構造体２１に、例えば身体側ライナーまたはトップシート２４と吸収性コア２２の間に任意選択のティッシュ層も組み込まれる。分配層は、吸収性コアより短いかまたは吸収性コア２２と同じ長さを有し得る。分配層は、特に高吸収性材料があるときには、吸収性コアが流体を吸収するのに十分な時間を持てるように身体から排泄された流体を一時的に保持する働きをする。
【０１５１】
別の実施形態では、吸収性コア、移送層及び他の構成材、例えばティッシュ層などは、シェル１４とトップシート２４の間で自由に動く（取付けられていない）ことができ、その外周縁に沿ってのみ固定される。或いは、吸収性コア２２、（存在するならば）移送層、及び（存在するならば）任意の他の層または構成材が、シェル１４及びトップシート２４のうちの一方または両方にかつ／または互いに取付けられ得る。
【０１５２】
吸収性コアを含む吸収性構造体２１は、一般的に、シェルの第２の領域１２においてシェル１４の第１の側１５に取付けられる。この取付けは、吸収性構造体が吸収性物品１０の使用者によって取外し可能ではないことを意図する意味で、永久的なものであり得る。或いは、吸収性構造体２１は、吸収性構造体２１が吸収性物品１０の使用者によって取り外されかつ別の吸収性構造体２１と交換され得る意味で、使用者によって取外し可能にされ得る。吸収性構造体が使用者によって取り外されないことを意図する意味で吸収性構造体２１がシェル１４に永久的に取付けられるとき、構造用接着剤が用いられ得る。使用可能な構造用接着剤の例には、シェル１４から離れないように吸収性構造体２１を適所に効果的に保持することになる任意の接着剤が含まれる。本発明で使用可能な市販の構造用接着剤には、例えば、テキサス州ヒューストンのハンツマン・ポリマーズ社から入手可能なレクスタック接着剤及びウィスコンシン州ウォーワトサのボスティック・フィンドリー社から入手可能な接着剤が含まれる。吸収性構造体２１をシェルに保持するために、熱ボンディング及び超音波結合を含む他の結合（ボンディング）手段を含めた他の手段が用いられ得る。吸収性構造体２１が取外し可能に取付けられているとき、吸収性構造体２１は、使用者による吸収性構造体の取外しを可能にすることになる或る手段によって、シェル１４上の適所に保持される。吸収性構造体を保持するそのような手段の１つは、粘着剤の使用によるものである。適切な粘着剤には、任意の市販の粘着剤が含まれる。吸収性構造体２１をシェル１４上の適所に取外し可能に保持するために使用可能な適切な粘着剤の例には、ナショナルスターチ社（Bridgewater, N.J. 08807）から入手可能な粘着剤が含まれる。取外し可能である吸収性構造体を提供することによって、吸収体を交換する必要があるときにシェルを再び配置することなくシェルが数回再使用され得る。また、取外し可能な吸収性構造体を有することによって、吸収性構造体は、使用前に使用者によって選択されることができる。これにより、使用者は所与の日に対して適切なレベルの漏れ防止を選択することができ、或いは使用者は使用者がより快適であることに気付いた吸収体のサイズまたは形状を選択することができることになる。
【０１５３】
上記したように、吸収性構造体２１は、シェル１４の第２の領域１２内かつシェル部材の第１の側１５上に位置する。吸収性構造体のこのサイズ及び形状は、吸収性物品の使用目的に応じて異なり得るが、詳細については以下で述べる。
【０１５４】
吸収性構造体２１は、図２０、２０Ａ、２１及び２２に示すように、比較的平坦な構造を有し得る。或いは、吸収性構造体は、比較的平坦な形状以外の３次元形状を有し得る。吸収性構造体は、吸収性構造体が使用者の陰唇内にフィットするように解剖学的に正確な形状を有し得る。吸収体の解剖学的に正確な形状は、一般的には当業者に既知であり、一般的には陰唇間分野で見られる。吸収性構造体は、部分的に、または完全に陰唇間にあるように設計され得る。或いは、３次元形状の吸収性構造体は、使用者の大陰唇内にフィットしないように設計されている吸収性物品１０においても用いられ得る。すなわち、吸収性構造体２１は、使用中に完全に陰唇の外側に位置する。吸収性構造体２１のサイズ、位置及び形状はまた、使用目的に合わせて選択され得る。例えば、夜間の使用では、吸収体は、使用者の会陰領域に向かって使用者のさらに背部側に位置し得る。夜間の使用では、吸収性構造体は、日中の使用を意図した製品より大きくてもよい。日中の使用では、吸収性構造体は、一般的に外陰領域の中心に位置することになる。
【０１５５】
本発明の代替実施形態では、吸収性構造体２１はシェル材料内に包含される。すなわち、吸収性構造体２１はシェル１４の一体部分であり、別体をなす吸収性構造体が存在しない。一体をなす吸収性構造体を達成する１つの方法は、２つ以上の材料の積層体である材料から作製されたシェルを有することである。シェル１４の第１の側１５は、積層体の人体対向側内に吸収性材料を含む。例えば、高吸収性の粒子または材料が、積層体の人体対向層を作り上げる材料に組み込まれ得る。別の方法は、高吸収性粒子または材料を含む非常に薄いコーティングをシェル材料の第１の側１２上へ配置することである。当然のことながら、高吸収性材料の代わりに、またはそれに加えて、高吸収性材料以外の他の吸収性材料が用いられ得る。
【０１５６】
吸収性構造体２１は、図１９Ａ、１９Ｂ、２０、２０Ａ、２１、２２及び２３に示すように、完全にシェル１４の上に位置し得るが、これはシェル１４の材料が吸収性構造体１４の真下に位置することを意味する。或いは、吸収性構造体２１は、吸収性構造体２１の一部のみがシェル１４上にあるようにシェル１４上に配置され得る。この構成は、図２４Ａ、２４Ｂ及び図２４Ｃに示されている。図２４Ａは、本発明の吸収性物品１０の底面図であり、図２４Ｂは上面図である。図に示すように、吸収性構造体２１の一部のみがシェル１４上に配置されている。図２４Ｃは、吸収性物品１０の図２４Ｂの６Ｃ−６Ｃ線断面図を示す。本発明の他の実施形態と同様に、吸収性構造体が取付けられているシェル１４の第１の側１５の部分は、シェル１４の第２の領域１２である。第２の領域１２を取り囲んでいるのはシェル１４の第１の領域１１である。シェル１４の第２の側１７は、使用中に使用者に面する吸収性物品の側である。図２４Ｃに示す構造を持つ吸収性物品を有することによって、付加層２３を有することも吸収性構造体に有益である。この付加層は、吸収性コアに入る流体がコアを通り抜けて使用者の衣服まで流れ出ることのないように、吸収性構造体に液不透過性を提供するように働くことになる。
【０１５７】
この付加層２３は、様々な材料から作製され得、一般的に、この付加層は、機能的に液不透過性であるように機能することになる任意の材料で構成される。付加層は、高分子フィルム、織布、不織布または同類のもの、並びにそれらの組合せまたは複合体であり得る。例えば、シェル１４は、織布または不織布に積層されたポリマーフィルムを含み得る。特定の実施形態では、ポリマーフィルムは、ポリエチレン、ポリプロピレン、ポリエステル、シリコンまたは同類のもの、並びにそれらの組合せから構成されることができる。さらに、ポリマーフィルムは、マイクロエンボス加工され、印刷されたデザインを有し、印刷された消費者に対するメッセージを有し得、かつ／または少なくとも部分的に着色され得る。付加層は、体液及びしばしば体液に付随する悪臭の通過を妨げつつ、吸収性物品１０からの、特に吸収性構造体２１からの空気及び水蒸気の十分な排出を機能的に許容することができるのが適切である。付加層２３のための適切な材料の例には、通気性微小孔フィルム、例えば米国特許第６，０４５，９００号明細書に記載されているものなどが含まれ、当該文献の開示全体は引用を以て本明細書の一部となす。
【０１５８】
上記したように、シェル１４の第１の領域１１は、使用者の身体に直接または間接的に付着するように働く。別の言い方をすれば、シェルは身体付着部材であり、第１の領域１１は使用者の身体に付着させられるシェル１４の部分である。シェルのために選択された材料に応じて、シェルは静電手段を用いて使用者の身体に能動的に付着し得る；吸引手段または生体用接着剤は、吸収性物品を使用者の身体に付着させるためにシェル１４の第１の領域１１に配置され得る。用いられることができる静電手段は、使用者の身体に対する親和性を有する材料であるようなシェル材料を選択することによるものであるので、シェル材料は使用者の身体に「くっつく」。そのような材料の例には、エチレン酢酸ビニル、低密度ポリエチレン及び当業者に既知の他の同様な材料が含まれる。吸引手段は、コンタクトレンズが目にフィットするのとほとんど同じように、シェルを使用者の身体に適合するように形作ることによって達成され得る。一般的に、吸引手段は、シェル１４を３次元形状になるように形成することによって達成されることができる。身体への付着を達成する最も簡単な方法は、生体用接着剤をシェル１４の第１の領域１１に配置することである。
【０１５９】
生体用接着剤４４は、シェル１４の第１の側１５の第１の領域１１上に配置される。生体用接着剤４４は、着用者の身体の外陰領域及び場合によっては恥骨領域及び／または会陰領域において皮膚及び（存在するならば）陰毛に接触し、それによって吸収性物品１０を使用中に着用者の身体に寄せて支持及び保持する。生体用接着剤４４は、第１の領域１１の一部を覆うかまたはシェル１４の第１の領域１１全体を覆うことができる。一般的に、生体用接着剤４４は、少なくとも外側部分、すなわち吸収性物品の縁部２０付近の第１の領域の外周ＨＣの近くに存在することになる。図１９Ａ、１９Ｂ、２０、２０Ａ、２２、２３Ｂ、２４Ｂ及び２４Ｃに示すように、接着剤は吸収性物品の第１の領域１１全体を覆い得る。或いは、生体用接着剤４４は、図２３及び２３Ａに示すように、第１の領域１１の一部上に配置され得る。生体用接着剤４４はまた、第１の領域１１に或るパターンで配置され得る。生体用接着剤４４は、インクジェット印刷、スクリーン印刷を含む任意の既知のプロセスを用いることで、或いは１若しくは複数のノズル、スロットコーティング及び同類のものから生体用接着剤４４を押し出すことで、シェル１４の第１の領域１１に塗布されることができる。
【０１６０】
一般的に、粘着剤が人間の皮膚に対して刺激となることが知られているものでないか、或いは接着剤が吸収性物品が皮膚から取り外されるとき使用者に痛みを生じさせるほど攻撃的でないならば、当業者に既知の任意の粘着剤が用いられ得る。吸収性物品１０が使用後に使用者によって取り外されるときに接着剤が使用者の皮膚の表面上にかなりの量の接着剤かすを残さないように接着剤が選択されることも望ましい。特に適切な粘着剤材料は、同一出願人による米国特許第６，２１３，９９３号明細書、米国特許第６，６２０，１４３号明細書に開示されており、これらの各開示全体は引用を以て本明細書の一部となす。他の適切な接着剤が米国特許第５，６１８，２８１号明細書に開示されており、当該文献の開示全体は引用を以て本明細書の一部となす。米国特許第６，３１６，５２４号明細書に開示されているものなど、他の既知の生体用接着剤を用いてもよく、当該文献は全文を引用することを以て本明細書の一部となす。粘着剤の他の例には、ヒドロゲル、ハイドロコロイド、アクリル系接着剤、ゴム系接着剤、例えばクレイトン（Kraton）系接着剤などが含まれる。
【０１６１】
生体用接着剤４４は、開パターンまたは閉パターンでシェル１４の第１の領域１１に配置され得る。「開パターン」は、接着剤が第１の領域１１全体を実質的に取り囲むものではない断続的または不連続パターンを有することができることを意味する。例えば、第１の領域１１の特定部分で生体用接着剤が途切れる。接着剤の開パターンが図２３に示されている。「閉パターン」は、接着剤４４がシェルの第２の領域１２全体を取り囲むことになることを意味する。生体用接着剤４４のパターンは、シェル１４の第２の領域１２の内部または表面上に位置する吸収性構造体を実質的に取り囲むことになるのが好ましい。図１９Ａ、１９Ｂ、２０、２０Ａ、２２、２３Ｂ、２４Ｂ及び２４Ｃに示すように、生体用接着剤４４は閉パターンで塗布されるが、それというのも、全部の生体用接着剤が第１の領域の周りに連続的に塗布されるからである。接着剤の「開」パターンが図２５に示されており、図２５は、不連続的に塗布された接着剤を示している。さらに、接着剤は、図２３及び２３Ａに示すように第１の領域１１の一部に塗布され得る。本発明では、生体用接着剤４４が吸収性物品１０からの漏れ防止を助けることになるような使用者の身体とのシールを形成し得るので、閉パターンが有利であり得る。生体用接着剤はダムを形成し得、それが吸収性物品の全周囲からの漏れを防止し得る。
【０１６２】
本発明の一実施形態では、図１９Ａ、１９Ｂ、２０、２０Ａ、２２、２３Ｂ、２４Ｂ及び２４Ｃに示すように、生体用接着剤４４は、吸収性構造体２１のすぐ外側で第１の領域１１全体上に配置され得る。本発明の別の実施形態では、図２３に示すように、生体用接着剤４４は、シェル１４の外周付近で第１の領域１１の外側部分に沿って配置され得る。生体用接着剤４４は、吸収性構造体２１上にも配置され得る。しかし、一般的には、大陰唇などの女性性器に接する吸収性製品１０の部分に生体用接着剤を配置すると吸収性製品の着用者への不快感を生じさせ得るので、生体用接着剤４４は、シェル１４の第１の領域１１上に配置されるように制限されている。
【０１６３】
接着剤は、接着剤のない領域を多く残すように、散点状に塗布しても良い。代替的には、接着剤は、連続するビーズ状にまたは一連の半連続ビーズ状に塗布しても良い。吸収性物品１０の身体に接する第１の領域１１への生体用接着剤４４の塗布のため、他の適切な接着剤の配置構成を選択することもできる。例えば、接着剤の配置構成は、接着剤繊維間に目立たない間隙を有する縦方向及び／または横方向に配列された接着剤の網状ウェブの、卵形、渦形、各種直線形、または非直線配列、または、これらの組み合わせとすることができる。上述したように、接着剤の配置構成は、開放形または閉鎖形のいずれかである。接着剤の坪量は、約８００ｇ／ｍ２未満に限定され、おおよそ、約４００ｇ／ｍ２未満である。一般的には、接着剤の坪量は、少なくとも、２０ｇ／ｍ２である。典型的には、約１００〜約４００ｇ／ｍ２の量の接着剤が塗布される。接着剤の坪量の限定は、着用者の陰門部に直接適用する際または選択的に公知の会陰部に適用する際において、適正な接着性能を達成するのに重要である。坪量が大きすぎる場合には、吸収性物品が、粘着性の感触を有することとなり、または他の不快感を有することとなる。接着剤の坪量が小さすぎる場合には、使用者への接着が不十分となる。
【０１６４】
通常、生体用接着剤４４は、吸収性物品１０を実質的に二等分する縦方向軸線１に関して対称に塗布される。この接着剤の対称的な配置は、吸収性物品を装着したときに、着用者に安定したバランス感を提供する。この接着剤の対称的な配置は、また、身体から吸収性物品１０を除去する際に生ずる不快な感覚を削減する。
【０１６５】
図２６Ａ及び図２６Ｂに示されるように、生体用接着剤４４が汚れることにより身体に対する接着力を喪失したり、及び／または、使用時期前に意図しない面に接着したりする事態を防ぐため、剥離シート４６が使用される。剥離シート４６としての使用に適切な材料は、当業界において公知であり、市販されている。適切な剥離シートの例には、シリコン被覆クラフト紙、シリコン被覆フィルム、等が含まれる。他の剥離用被覆には、ポリテトラフルオロエチレンを含有する被覆が含まれる。剥離シート４６は、図２６Ｂに示されるように、シェルの一側及び／または他側の片方または双方を越えて延出する。代替的には、剥離シート４６は、図２６Ａに示されるように、シェル１４の第１の領域１１上の生体用接着剤を覆うだけの寸法で形成される。本願発明のさらに別の実施例では、剥離シートは、図２６Ｃに示されるようなシェルの側面または端の１つである１以上の位置にある接着剤を越えて延出し、剥離シート４６に、吸収性物品１０から剥離シート４６を除去するのに使用者がつかむためのタブ４７と吸収性物品上の生体用接着剤４４を設ける。剥離シート４６が、接着剤を越えて延出している場合には、吸収性物品１０を使用するために使用者が剥離シートを除去することは、ほとんどの場合、容易である。
【０１６６】
代替的には、吸収性物品に身体への装着のための接着剤を欠く場合には、剥離シート４６を所定位置に保持するために、感圧接着剤を剥離シート４６に設けても良い。この構成では、剥離シートは、使用前に、シェルの吸収性構造体及び第１の側が汚れたり破損しないように保護する。
【０１６７】
他の代替例では、剥離シートは不要である。例えば、吸収性物品は、巻かれたり、折り畳まれたり、または、順次積み重ねられる。これらの構成では、剥離シートを必要としない。巻かれた態様では、生体用接着剤４４は、通常、シェル１４の第２の側１７に接する。生体用接着剤４４は、着用者または使用者が、吸収性物品を巻かれた状態から延ばしたときに、容易に剥離して、シェルの第２の側の一箇所に剥離可能に付着しなければならない。また、生体用接着剤４４は、シェルの第２の側１７に残留分を残してはならない。このことは、吸収性物品１０が順次積み重ねられて、一の物品の生体用接着剤が次の物品のシェルの第２の側に接する場合にも、同様に必要とされる。別の可能な構成では、吸収性物品は、１つの面域の生体用接着剤４４が別の面域の生体用接着剤に接触するように、横方向軸線の縦方向軸線に沿って折り畳まれる。折り畳まれた構成の場合、使用者の手操作によって生体用接着剤の剥離がなされるように生体用接着剤を選択しなければならない。
【０１６８】
シェル１４の寸法及び形状は、目的とした使用に適合して設計しなければならない。吸収性構造体の寸法及び形状に関しても、同じことが言える。一般的には、吸収性構造体２１の寸法と形状が、シェル１４の寸法を決定する。シェル１４の形状の選択は、使用の際、吸収性物品が、使用者に快適な触感を与え、使用者の身体からの吸収性物品のたるみ発生を防ぎ、漏れに対する防護を提供するように行われる。通常、シェルは、使用者の身体にぴったりと合うように曲げられている。シェル１４は、また、吸収性物品の縦方向１及び横方向２での全体的な寸法及び形状を概ね定める。
【０１６９】
吸収性物品を、おりものシート、生理用ナプキン、または、婦人用失禁用品として使用する場合には、シェル１４は、シェル１４の第２の領域１２に付着される吸収性構造体２１よりも広くそして長くする必要がある。吸収性構造体は、少なくとも、使用者の大陰唇同様の広さ及び長さが必要である。結果として、ほとんどの女性に適合させるべく、吸収性構造体は、吸収性構造体の横方向での広さ寸法よりも長さ寸法の方が長くなる。一般的に、ほとんどの女性で、大陰唇は、概ね、幅が約４０ｍｍ〜約７０ｍｍで、長さが約８０ｍｍ〜１５０ｍｍである。理想としては、吸収性構造体は、大陰唇よりも広く、そして、小陰唇よりもわずかに長く、そして、大陰唇よりもわずかに長いかまたは等しい長さであることが要求される。一般的には、吸収性構造体は、横方向の幅が約４０ｍｍ〜約９０ｍｍで、縦方向の長さが約９５ｍｍ〜約１５０ｍｍとすることが必要である。吸収性構造体２１の形状は、概ね、長円形となる傾向があり、卵形、矩形、涙滴形、砂時計形、または、レーストラック形とすることも可能である。図１９Ａ、２３、２３Ｂ、２４Ｂ、２５及び２７に見られるように、吸収性構造体２１は、一般的に、ほとんどの女性の膣部分の寸法及び形状に適合する楕円形または卵形の形状を有する。涙滴形の吸収性構造体の一例が、図１９Ａに示されている。
【０１７０】
一般的に、シェル１４の形状は、図１９Ａと１９Ｂに示すような全体的卵形から図２３Ａに示されるような全体的砂時計類似形へと変更することができる。全体的砂時計形とは、シェル１４の側縁１９が、シェル１４の縦方向軸線１に沿って離間した或る点において収斂して吸収性物品にくびれ部分３３を形成する形状を意味する。一般的には、砂時計のような形状は、使用者の脚のための切欠部分を提供する。砂時計のような形状を有することにより、シェル１４は、使用者の脚に付着しない。このことが、吸収性物品１０の使用の快適さを改善する。シェル１４の形状は、快適な装着が可能であるとともに、使用者に確実な漏れ防止を提供するように選択しなければならない。シェル１４と吸収性構造体２１は、使用中に使用者の身体の湾曲形状に適合可能でなければならない。シェル１４の他の可能な形状を、同様に、図２３、２３Ａ、２３Ｂ及び２４Ａに示す。吸収性物品の使用者に快適さを提供する限り、特に例示されていない別の形状も使用可能である。
【０１７１】
吸収性物品を生理用ナプキンまたは失禁用品として使用する場合、使用者に吸収性物品を効率的に取付けるには、シェルの幅は、概ね、大陰唇の両側に少なくとも１０ｍｍとしなければならない。一般的に、吸収性物品１０のシェル１４は、横方向２において、約５０ｍｍから２００ｍｍまでのまたはそれ以上の幅を有する。典型的には、シェルは、一番細い個所で約６０ｍｍ〜１２０ｍｍの間である。これにより、シェルは、大陰唇の両側で使用者の皮膚に効率的に取付け可能な第１の領域を備えることができる。
【０１７２】
さらに、吸収性物品１０は、図２７に示すように、前側領域６４、中央領域６５、及び後側領域６６を有するように構成することもできる。使用者の外陰部領域の特定部位に適合するよう設計された構成を有する吸収性物品の特定実施例が図２６に示されている。使用者の身体の特定領域への取付け用の特定の部分を備えることによって、吸収性物品は、使用者の身体に具合良く適合するように構成可能である。吸収性物品の前側領域６４は、吸収性物品１０の第１の端６１と吸収性構造体２１の間の吸収性物品の一部である。吸収性物品１０の後側領域６６は、吸収性物品１０の第２の端６２と吸収性構造体２１の間の吸収性物品の一部である。一般的には、後側領域６６は、膣部分と肛門部分の間に位置するように構成される。前側領域６４は、女性である使用者の恥丘部分上に位置するように構成される。吸収性物品１０の中央領域６５は、おりものシート、生理用ナプン、または失禁用品として使用された場合には、大陰唇の側部を囲む皮膚領域及び使用者の膣部分を覆うように構成される。代替的な使用では、本願発明の吸収性物品は、下着代用品または水着用のガードとして使用可能である。
【０１７３】
使用者の身体への効率的な取付けを達成するため、シェル１４は、使用者用に解剖学的に正しく構成することができる。図２７及び２８に示されるように、吸収性物品１０の形状は、使用者の膣部分に正確に且つ確実に適合するものである。図２８に示される吸収性物品の全体形状は、吸収性物品の女性使用者の膣部分に効率的に取付けられることが分かった。解剖学的に正しい形状の確保を目的として、追加的な構造を含むことができる。例えば、吸収性物品１０の後側領域において、より詳細には、第１の側１５上のシェルの後側領域では、図２７及び２８に示すように、シェル１４に３次元の突出部（protrusion）６７を設けることができる。突出部６７は、使用者の会陰部に具合良く適合するよう作用する。突出部６７は、生体用接着剤４４から形成されたシェル材質で作成することができる。３次元突出部６７を設けることにより、吸収性物品の女性使用者の典型的な体型への適正な接触が可能となる。突出部６７は、また、使用前に使用者が吸収性物品を身体に取付けるためのガイドとして機能する。
【０１７４】
本願発明の吸収性物品は、使用者が吸収性物品を身体に脱着するのを助ける別の特徴を備えている。図２９Ａ及び２９Ｂに示されるように、シェル１４の第２の側１２には、シェル材質内の指ポケット９９または指溝のような位置決め補助手段が設けられる。指ポケット９９は、前側領域６４または吸収性物品１０の第１の端６１に向かう開口９８を有する。ポケット９９は、身体に吸収性物品１０を取付ける際に指をつける位置を使用者に教える。ポケット９９は、使用者が少なくとも２本の指をポケット内に入れるのに十分な幅だけ開いている。代替的には、各開口に１本の指のみを入れることが可能な２以上の開口でも良い。使用者が吸収性物品を適正に取付けるのを助ける別の同様の位置決め補助手段も使用可能である。例えば、吸収構造体の反対側でシェル１４の第２の側１２に溝を配置することができる。身体の外陰部領域に吸収性物品１０を貼り付ける際に、外陰部領域に対する吸収性物品の位置を使用者が感知することを可能とする。ポケット９９は、また、使用者が、吸収性物品を身体から取り外すのを助ける。
【０１７５】
吸収性物品１０には、身体に付けられる吸収性物品の把握と取外しを容易にする方法を使用者に提供する取外し補助手段が設けられる。１つの具体的な取外し補助手段が、図２９Ｂに示されており、これは、身体に接着されないまたは接着を避けたシェルの第１の端６１に配置されたタブ９２を含む。代替的には、身体取付け用接着剤４４のない第１の端６１領域のような他の取外し補助手段とする。存在する別の形式の取外し補助手段には、ループ及び引っ張りストリングが含まれる。取外し補助手段は、使用者が、シェルの完全に接着した部分の発見なしに吸収性物品を滑らかに除去する工程を開始することを可能とする。
【０１７６】
本願発明の吸収性物品に、他の特徴または付属物を組み込むことができる。例えば、吸収性物品は、悪臭抑制剤、または、芳香剤、肌の健康状態を良くする薬剤及び現在市販の吸収性物品に現在使用されている同様の添加物を含有する。当業者に公知の悪臭抑制剤または芳香剤のいずれも、本願発明の吸収性物品に使用可能である。悪臭抑制剤または芳香剤は、シェル１４、生体用接着剤４４の吸収性構造体２１を含む、吸収性物品のいくつかの部分に付加することができる。肌の健康状態を良くする添加剤は、使用者または生体用接着剤４４に取付けられるシェルの第１の領域のいずれかの部分で吸収性物品に付加される。
【０１７７】
通常、使用者の身体に吸収性物品を取付けるには、吸収性構造体と接着剤を保護する剥離シート４６があるならば、該剥離シート４６が、シェルの第１の側から除去される。次に、使用者は、身体の部分の吸収性構造体を、吸収性が要求される箇所に配置する。配置ポケットまたは他の位置決め補助手段が吸収性構造体上に存在する場合には、使用者は、使用に係わる吸収性物品の適正な配置のためにこれらの位置決め補助手段を選択的に使用する。生理用ナプキン及び女性用失禁吸収性用品の場合には、吸収性構造体が身体流体を吸収するように、膣部分上に配置する。そして、シェルの第１の領域または接着剤４４が存在する場合には、これらの膣部分周囲の皮膚への接触を確保するべく、使用者が検査する。
【０１７８】
吸収性物品が前部と後部を有するよう設計されている場合には、使用者は、まず、吸収性物品の前側領域６４及び／または後側領域６６を特定する。前側領域と後側領域の特定を助けるため、吸収性物品の前側領域及び／または後側領域を示すための印が、剥離シート、シェル、または吸収体の上に配置されて存在する。印は、吸収性物品の前または後を表す単純な文字または絵とすることができる。前側領域と後側領域とが使用者によって特定されたならば、使用者は、吸収性物品を上述した様式で取付ける。
【０１７９】
各場合において、使用者の大陰唇を覆うように設計された吸収性構造体は、吸収性構造体の機能に助けられて配置される。より詳細には、大陰唇の寸法に近似する寸法及び形状とされた場合、吸収性構造体は、吸収性構造体の大陰唇上への取付けを案内するように機能することができる。適正に配置された後に、使用者によって圧力が、シェルの第２の面に加えられ、これが、シェルの第１の面の使用者の皮膚への接触を可能とし、または、第１の面に塗布された任意の接着剤が使用者の皮膚に付着するのを可能とする。
【０１８０】
吸収性物品１０の使用者の身体への装着により、吸収性物品１０は、使用者の皮膚とともに移動し易くなる。これは、従来の吸収性物品よりも漏れの可能性の少ない吸収性物品の装着の快適さをもたらす。吸収性物品は、身体に非常に接近した適合を有し、使用者に改善された感触を与える。
【０１８１】
本願発明の吸収性物品１０の他の有用性も提供される。例えば、シェルの第１の側に接着剤が塗布されているならば、使用後の吸収性物品の取外しの際に、シェルの第１の側で折り畳んで吸収性物品を廃棄することができる。シェルの外周に有効なシールを設けるならば、吸収性構造体を閉じた状態で確実に封入することができる。その結果、吸収された身体流体に伴う匂いはすべてシェル材料内に封じ込められる。
【０１８２】
別の実施例の図３０を参照するに、全体的に符号３００で示す女性介護用吸収性物品は、図１３の実施例と概ね同一であるが、吸収性構造体を着用者の膣部分へと整合させるべく吸収性物品の適正な配置取付けを助ける概略符号３８０で示される位置決め補助手段が付加されている。特定の適切な実施例では、位置決め補助手段３８０は、着用者が吸収性物品３００を身体に装着するときに、着用者が触れて分かる印を提供して、これにより、適正な位置を確認し、または、着用者に吸収性物品の位置の修正の必要を指示する、感覚による認識を目的として構成されている。
【０１８３】
さらに適切な態様として、或る実施例では、位置決め補助手段３８０は、着用者の身体上の標的配置領域に符合する吸収性物品３００上の位置に配置される。着用者の身体上での吸収性物品の適正な整合の際に、位置決め補助手段を有する吸収性物品の部分が、前記の位置で着用者の身体に接触しまたはそうでない場合には着用者の身体を覆う。一例として、吸収性構造体３２１がシェル３１４の身体側（すなわち、第１の側）３１５に固着されている図３０の図解実施例では、位置決め補助手段３８０は、全体的に吸収性物品の後側領域３６６内の吸収性構造体上に配設される。さらに適切な態様として、位置決め補助手段３８０は、着用者の会陰部（概略的には標的配置領域）に符合した吸収性構造体３２１（従って吸収性物品３００）上の位置に配設される。すなわち、位置決め補助手段３８０が配設される吸収性物品３００の部分は、着用者上での吸収性物品の適正な配置取付けの際に着用者の会陰部に重なることを企図して配設される。
【０１８４】
しかし、本願発明の範囲の逸脱なしに、位置決め補助手段３８０を、吸収性物品３００の後側領域３６６外に配置して会陰部以外の標的配置領域に対応できることが理解できる。代替的にまたは付加的に、位置決め補助手段３８０のシェル３１４への配設が可能であることも理解される。例えば、図３１に図解の代替的実施例では、吸収性物品４００のシェル４１４は、開口４０５と、該開口の上で、図９Ａ，９Ｂに図解し詳細な説明に記述したと同様の様式で着用者の膣部分と整合するようにシェルの身体側（図示せず）に接着された吸収性構造体４２１を有する。この特定実施例では、位置決め補助手段４８０は、全体的に吸収性物品４００の後側領域４６６の範囲であるシェル４１４上に配設され、より適切な構成としては、位置決め補助手段は、シェルの身体対向面４１５上に配設される。より適切な構成としては、位置決め補助手段４８０は、着用者の会陰部（すなわち、標的配置領域）に符合した、吸収性物品４００の後側領域４６６内の１つの位置に配設される。
【０１８５】
図３０及び３１の各実施例の位置決め補助手段３８０、４８０は、特に着用者の標的配置領域において、吸収性物品３００、４００が着用者に触れた際に着用者によって知覚可能な触覚部材を有する。例えば、１つの適切な実施例では、位置決め補助手段３８０、４８０は、着用者の皮膚の標的配置領域に温度変化の知覚を提供する温度変化剤を有する。例えば、一実施例では、温度変化剤は、感覚神経剤（すなわち、実際の温度変化を伴わずに温度変化の知覚を誘発する薬剤、例えば、ペパーミント油、オイカリプトール、ユーカリ油、メチル・サリチル酸、樟脳、ティーツリー油、ケタール、カルボキシアミド、シクロヘキサノール誘導体、シクロヘキシル誘導体、及び、これらの組み合わせ）のような活性薬剤を含む。
【０１８６】
別の適切な実施例では、温度変化剤は、冷却剤を含む。適切な冷却剤は、その融解熱が負の化合物であり、すなわち、適切な冷却剤は、水に融解したときに、吸熱化学反応によって冷たく感じる化合物である。いくつかの適切な冷却剤は、例えば、硝酸アンモニウム、塩化ナトリウム、塩化カリウム、キシリトール、水酸化バリウム（Ｂａ（ＯＨ）２・８Ｈ２０）、酸化バリウム（ＢａＯ・９Ｈ２Ｏ）、硫酸カリウム・マグネシウム（ＭｇＳＯ４・Ｋ２ＳＯ４・６Ｈ２Ｏ）、硫酸アルミニウム・カリウム（ＫＡｌ（ＳＯ４）２・１２Ｈ２Ｏ）、ホウ酸ナトリウム（テトラ）（Ｎａ２Ｂ４Ｏ７・１０Ｈ２Ｏ）、リン酸ナトリウム（Ｎａ２ＨＰＯ４・１２Ｈ２Ｏ）及びこれらの組み合わせを含む。
【０１８７】
別の適切な実施例では、温度変化剤は、水和熱の発熱化合物と融解熱の発熱化合物を含む加熱剤を含む。加熱剤としての使用に適切な化合物は、例えば、塩化カルシウム、塩化マグネシウム、ゼオライト、塩化アルミニウム、硫酸カルシウム、硫酸マグネシウム、炭酸ナトリウム、硫酸ナトリウム、酢酸ナトリウム、金属、消石灰、生石灰、グリコール、及びこれらの組み合わせを含む。加熱剤は、無水の態様のものが、一般的には好ましいが、含水または無水のいずれの態様でも可能である。特に好ましい化合物は、塩化マグネシウムと塩化カルシウムを含む。
【０１８８】
一実施例で温度変化剤は、着用者への吸収性物品の取付けが行われるときまで、温度変化現象の活性化を抑えるべく、適合してカプセル内に封入され、そして、いくつかの実施例では、マイクロカプセル化される。例えば、温度変化剤は、或る場合には水のような活性化剤とともにカプセル内に封入され、そして、位置決め補助手段３８０、４８０の個所での吸収性物品３００、４００のはさみ込みまたは絞り込みによるようなカプセル（またはマイクロカプセル）の破断によって、活性化剤が温度変化剤と結合して温度変化現象を誘発する。別の実施例では、温度変化剤は、空気にさらされることで活性化が可能であり、したがって、温度変化剤とともに活性化剤をカプセル内に封入する必要はない。より正確には、カプセル（またはマイクロカプセル）の破断により、温度変化剤は空気にさらされて温度変化現象を誘発する。
【０１８９】
図３０及び３１の図解実施例の各々において、位置決め補助手段３８０、４８０、及び、特に、温度変化剤は、吸収性構造体３００，４００及びシェル３１４、４１４の少なくとも１つの上に配設される。位置決め補助手段３８０、４８０に関してこの明細書で使用するように、「上に配設する」との用語は、吸収製構造体及び／またはシェル内において、特に、吸収性構造体及び／またはシェルの表面（例えば、身体対向面）に部分的に露出した及び部分的に内部の、吸収性構造体３２１、４２１及び／またはシェル３１４、４１４の表面（例えば、身体対向面３１５、４１５）上への位置決め補助手段３８０の配設を指示することを企図している。例えば、温度変化剤の活性化の際に、この活性化が、少なくとも着用者の標的配置領域での皮膚への吸収性物品の接触によって、着用者に知覚されることが可能である限り、温度変化剤を封入したカプセル（またはマイクロカプセル）は、吸収性構造体３２１、４２１及び／またはシェル３１４、４１４の身体対向面３１５、４１５上に、または、吸収性構造体の内部に、または、シェルの層の間に（例えば、接着して）配置することができる。
【０１９０】
女性着用者に吸収性物品を接着する１つの方法に従う操作では、位置決め補助手段３８０、４８０を（位置決め補助手段が温度変化剤を含む個所で必要とされる程度に）活性化することによって、吸収性物品３００、４００の着用者への取付けの準備をする。例えば、上述した実施例では、カプセル（及び／またはマイクロカプセル）は、温度変化剤を活性化するべく着用者によって破断される。
【０１９１】
次に、吸収性物品３００、４００は、吸収性物品の身体対向面３１５、４１５が着用者側となり且つ吸収性構造体３２１、４２１が少なくとも部分的に着用者の膣部分に概ね整合する状態で着用者の膣部分に対して配置する。吸収性物品３００、４００の一部は、また、適切な特定の一実施例では、位置決め補助手段３８０、４８０が配設される吸収性物品の一部は、所定の標的領域（または、着用者への初期の接触において適正な位置決めがされる場合には、所定の標的領域）に概ね隣接する着用者に対して（例えば、着用者への押し付けによって）接触状態にされる。例えば、図３０及び３１の図解実施例では、所定の標的領域は、着用者の会陰部である。
【０１９２】
温度変化剤の場合、位置決め補助手段３８０、４８０が、実際のまたは感知された温度変化のような触覚キュー（触覚的手かがリ）を着用者に提供する。次に、着用者は、触覚キューに基づいて吸収性物品３００、４００が、着用者に対して適正に配置されているかどうかを判断することができる。必要ならば、吸収性物品が適正な位置にあることを、位置決め補助手段によって提供される触覚キューが示すまで、吸収性物品３００、４００の着用者に対する向き及び／または位置を調節する。次に、吸収性物品の残りの部分は、着用者に対して押し付けられてシェル３１４、４１４の身体対向面３１５、４１５上の接着剤は、着用者の膣部分に整合した吸収性構造体３２１によって着用者に接着し、吸収性物品を着用者上の適正位置に保持する。
【０１９３】
図３２Ａ及び３２Ｂは、図３０のものと同様の吸収性物品５００の別の実施例を図解する。しかし、着用者への吸収性物品の取付けの際に、吸収性物品の身体対向面５１５で着用者に感知可能なように、突起（bump）５８２またはその上に配設された突出部（protrusion）（例えば、温度変化剤の代わりに）の形態の位置決め補助手段５８０を備えている。詳細には、突起５８２は、所定の（着用者の）標的領域に符合する位置で吸収性物品５００上に配設される。吸収性物品の着用者への適正な整合の際に、突起を有する吸収性物品の一部が、前記位置で、着用者に接触しまたは着用者を覆う。吸収性構造体５２１が、シェル５１４の身体対向面（すなわち第１の側）５１５に固着される図３２Ａ及び３２Ｂの図解実施例での一例のように、突起５８２は、吸収性物品５００の後側領域５６６内の吸収性構造体上に概ね配設される。より適切な構成としては、突起５８２は、着用者の会陰部（概略的には、所定の標的領域）に符合する吸収性構造体５２１（したがって、吸収性用品５００）上の或る位置に配設される。すなわち、突起５８２がその上に配設される吸収性物品５００は、着用者への吸収性物品の適正な配置取付けの際に、着用者の会陰部を覆うことを企図している。
【０１９４】
図解実施例において、突起５８２は、厚くされた吸収性芯材５２２（図３２Ｂ）材料または他の吸収性構造層の領域の形成によるような、吸収性構造体５２１と一体的に適合して形成される。適切な特定実施例において、突起５８２は、吸収芯材の残りの部分よりも高密度の吸収性芯材５２２材料で形成され、突起の感知される（すなわち触覚される）硬さを増し、着用者に向けて、少なくとも着用者の所定の標的領域に吸収性物品を押し付けた際の、着用者の皮膚に対する触知を容易にする。しかし、突起５８２は、それに代えて、吸収性構造体５２１の上面シート４２４と一体的に形成しても良いことが理解される。別の代替実施例では、突起５８２は、吸収性構造体５２１の吸収性芯材５２２の中に配設されるとともにこれから離間して形成され、及び／または上面シート５２４と吸収性芯材の間に形成され、または、本願発明の範囲内において着用者と直接に接触するべく上面シートの身体対向面上に形成される。突起５８２は、吸収性物品の後側領域５６６以外の個所に配置して会陰部以外の着用者の所定の標的領域に対応することが可能であることも、また、理解される。
【０１９５】
それに代えて、または、追加的に、吸収性物品のシェル上に突起（すなわち、位置決め補助手段）が配設可能であることが更に考えられる。例えば、図９Ａ及び９Ｂに図解の実施例において、突出部１６７は、吸収性物品の後側領域内のシェル１１４上に配設される。より適切な構成として、突出部１６７は、着用者の会陰部（すなわち、所定の標的領域）に符合する吸収性物品の後側領域内の１つの位置でシェル１１４上に配設される。適切な一実施例では、突出部１６７は、シェル１１４と一体的に形成され、その身体対向面１１５から外に突出する。別の実施例では、突出部１６７は、シェル１１４から離れて、且つ、シェルの材料層の間及び／またはシェルの身体対向面上に形成される。
【０１９６】
女性着用者に吸収性物品を接着する方法の別の実施例に従いこのような吸収性物品を着用者に取付けるべく、吸収性物品５００（または図９Ａ及び９９Ｂの実施例では１００）は、吸収性物品の身体対向面５１５は着用者に面しており且つ吸収性構造体５２１は全体的に目標着用者の膣部分に少なくとも部分的に整合する状態で、目標着用者の膣部分に対して配置される。吸収性物品５００の一部、また、その上に突起５８２が配設される適切な特定の一実施例では、吸収性物品の一部は、所定の標的領域（または、着用者への初期の接触において適正な位置決めが達成された場合には、所定の標的領域）に概ね隣接して着用者に（例えば、着用者に向けて押し付けることによって）接触させられる。例えば、図３２Ａ及び３２Ｂ、並びに図９Ａ及び９Ｂの図解実施例では、所定の標的領域は、着用者の会陰部である。このような実施例では、突起５８２（または、突起がシェル５１４の材料層の間に配設される突起での吸収性物品の身体対向面５１５）は、突起を着用者に付着せしめるべく塗布された接着剤を適合して有しており、これは、着用者の会陰部での吸収性物品の漏れに対する密封を補強する。
【０１９７】
位置決め補助手段５８０は、この例では突起５８２であるが、着用者の皮膚に対する圧力感覚のような着用者への触覚キューを提供する。そこで、着用者は、触覚キューに基づいて吸収性物品５００が着用者に対して適正に配置されているか否かを決定することができる。必要ならば、着用者は、突起５８２によって提供される触覚キューが吸収性物品が適正な位置にあることを示すまで、吸収性物品５００の着用者に対する向き及び位置を調節する。そして、吸収性物品５００の残りの部分は、着用者に対して押し付けられ、シェル５１４の身体対向面上の接着剤は、吸収性構造体５２１が着用者の膣部分と整合した状態で、着用者に付着し、着用者の適正な位置に吸収性物品を固着する。
【０１９８】
図３３に図解する別の実施例では、少なくとも１つのまたはそれ以上の適切な１対の位置決め補助手段６８０が、吸収性物品６００の上に配設され、他の点では、図１４の吸収性物品２００と同様である。詳細には、位置決め補助手段６８０は、１対のリッジ部（ridge）６８２及びより適切な構成としては、吸収性物品の後側領域６６６内で少なくとも吸収性物品の縦方向に部分的に延在する１対の伸長リッジ部６８２を有する。図解したリッジ部６８２は、詳細には、後側領域６６６から隣接部分まで、いくつかの実施例では、吸収性物品６００の中央領域６６５まで延在する。より適切な構成として、リッジ部６８０は、着用者への吸収性物品の取付けの際に吸収性物品の衣服対向面上を着用者の指で（例えば、吸収性物品６００の衣服対向面６１７から）なでることにより着用者の指で触覚可能である程度に、例えば、十分に隆起するように構成される。例えば、図３３の図解実施例では、リッジ部６８２は、シェル６１４の衣服対向面６１７上に配設される。
【０１９９】
適切な特定の一実施例では、リッジ部６８２は、吸収性構造体６２１の横方向側部縁に概ね一致する方向に延在しており、より適切な構成では、そのような横方向側部縁は、吸収性物品の後側領域６６６内に位置する。そして、着用者がリッジ部６８２に沿って指を動かしたときに、吸収性物品６２１の横方向側部縁の位置の着用者の皮膚に対する関連付けが行われる。吸収性構造体６２１の横方向側部縁に符合する２つの横方向に離間するリッジ部６８２を設けることによって、着用者は、これらのリッジ部を着用者の所定の標的領域へと概ね集中することができ、したがって、吸収性構造体は概略標的領域に集中される。例えば、図解実施例において、リッジ部６８２は、吸収性構造体６２１が着用者の膣部分を覆う状態のリッジ部の間に、着用者の会陰部を概ね集中すべく吸収性物品６００上に配置される。しかし、本願発明の範囲の逸脱なしに、リッジ部６８２は、吸収性物品６００の別の個所に配置可能であると理解される。リッジ部６８２の各々は、適切な構成としては、少なくとも、成人女性の平均寸法の指一本分の幅に近い幅を有する。しかし、各リッジ部６８２の幅は、本願発明の範囲よりの逸脱のない限り、少なくとも一本の指の幅よりも大きくてもまたは小さくても良い。
【０２００】
適切な一実施例では、リッジ部６８２は、シェル６１４と一体的に形成し、且つ、その衣服対向面６１７から外に向かって突出する。別の実施例では、リッジ部６８２は、吸収性物品の着用者への押し付けを目的として吸収性物品６００に圧力を加えた際に着用者の指で触覚可能である限り、シェル６１４とは別に形成可能であり、また、シェルの材料層の間に配設することも可能であり、そして／または、シェルの衣服対向面６１７上に配設することも可能である。そのようなリッジ部６８２の代わりにまたはこれに加えて、１以上の溝の形態の位置決め補助手段６８０を、吸収性物品６００の衣服対向面６１７に形成可能であり、また、より適合した構成としては、シェル６１４に形成可能であることが、また、考えられる。さらに、図３３の図解実施例内での連続状構成に代えて、位置決め補助手段６８０は、各々、着用者の指に触覚または案内を提供するように順次配列された一連の突起、または、一連の溝または凹部を含むことも可能である。
【０２０１】
図３４Ａ及び３４Ｂを参照するに、図１４のものと同様の女性ケア用吸収性物品７００の別の実施例において、概略符号７８０で示す位置決め補助手段は、吸収性物品に固着されたポケット７８２の形態であり、少なくとも、着用者の１以上の（成人女性の平均寸法の）指の指先が入るように構成される。ポケット７８２は、それだけで、または、既述のいずれかの位置決め補助手段のような別の位置決め補助手段と組み合わせて使用される。図解したポケット７８２は、その後側領域７６６内の吸収性物品７００上に配設され、吸収性物品の縦方向内向きの開口７８４を有する。しかし、ポケット７８２は、本願発明の範囲を逸脱せずに、吸収性物品７００の縦方向外向きの縁部のような、内向きでない方向にも開くことができるものと理解される。ポケット７８２は、その縦方向両縁部で開いても良いし、または、その横方向の片側または両側（例えば、２つの入り口）で開いてよいと考えられる。
【０２０２】
図解されたポケット７８２は、内側パネル７８６と外側パネル７８８とより適合して組み立てられ、これらは、ポケット及び入り口７８４を形成するように、図解実施例では３つの辺に沿って相互に固着され、少なくとも２つの辺に沿って相互に固着される。図解実施例では、内側及び外側パネル７８６、７８８は、実質的に同一寸法であるが、本願発明の範囲内において、内側パネルを外側パネルよりも小さくすることができ、または、その逆も可能であることが理解される。内側パネル７８６（従ってポケット７８２）は、吸収性物品７００の後側領域７６６内のシェル７１４に固着され、より適切な構成としては、シェルの衣服対向面７１７に固着される。ポケット７８２は、それに代えて、内側パネルとして機能するポケットで覆われるシェル７１４及び／または吸収性構造体７２１の一部を備えた単一層（例えば、外側パネル７８８）、及び、外側パネルの様式で機能するポケットの単一層に構成することができる。
【０２０３】
少なくとも、ポケット７８２の内側パネル７８６と外側パネル７８８の１つは、より適合した構成としては、少なくとも内側パネル７８６は、横方向では、シェル７１４の開口７０５または入り口を越えて延在し、縦方向では、概ね後側領域７６６内のシェルの縦方向程度まで吸収性構造体７２１の縦方向縁部を越えて延在する。図解実施例において、両パネル７８６、７８８は、吸収性構造体７２１の縦方向縁部を越えて延在する。
【０２０４】
ポケット７８２のパネル７８６、７８８の一方または双方は、シェル７１４の柔軟性を損なわないよう、十分な曲げ性を備え且つ伸長可能なように適切な寸法にされ且つ構成され、より適切な構成として、吸収性物品７００の後側領域７６６にはシェルによってタブが形成される。例えば、一実施例では、ポケットのパネル７８６、７８８は、開口７０５のタブの間を全体的にゆるく覆うような寸法にされ且つ構成される。別の実施例では、ポケットのパネル７８６、７８８は、吸収性物品７００の後側領域７６６でのタブの間の横方向及び／または縦方向での伸縮を可能とするに十分な弾力性を備えるように構成される。別の実施例では、少なくともポケット７８２の内側パネル７８６及び、より適切な構成としては、外側パネル７８８も、着用者の指による吸収性物品７００の取付けを容易にし、且つ、吸収性物品の装着中の快適さを提供するべく、着用者に、比較的滑らかな、例えば、絹のような接触感をもたらすように構成される。
【０２０５】
女性着用者に女性ケア用吸収性物品を接着する方法の別の実施例に従う作業では、吸収性物品の身体対向面７１５は着用者に面しており、且つ、吸収性構造体７２１は概ね目標着用者の膣部分に少なくとも部分的に整合した状態で、吸収性物品７００を目標着用者の膣部分に対して配置する。着用者は、１本または数本の指（これは、少なくとも指先部分を意味しており、指の大部分を含んでもよい）をポケット７８２の中に入れる。（内側パネルが存在する）ポケット７８２の内側パネル７８６を介して、着用者は、吸収性構造体７２１の縦方向エッジ（これは、ポケットの内側パネルを介して着用者の指によって容易に触覚可能である）の位置を知り、さらに、吸収性構造体の縦方向エッジを着用者上の所望位置（例えば、所定の目標）に整合させ、さらに、吸収性構造体のエッジ上を指でなでることによって適正な位置にあることを確認する。吸収性構造体７２１が所望の位置にあれば、着用者は、後側領域７６６から始めて前側領域７６４に向かって移動してシェル７１４を着用者の皮膚に対して押し付けて、吸収性物品７００を着用者に接着する。
【０２０６】
ポケット７８２は、また、着用者から吸収性物品７００を取り外して、吸収性物品を廃棄に適した形にするべく、着用者によって使用される。例えば、吸収性物品７００の取外しが必要な場合、着用者は、１本または数本の指をポケット７８２の中に入れてポケットを外へと引いて（すなわち、着用者の皮膚から離れる方向にまたは横方向に）吸収性構造体への接触なしに吸収性物品を着用者から引き剥がす。吸収性物品７００を廃棄に適した形とするには、着用者は、指がポケット７８２の中に入ったままの状態で、吸収性物品を半分折りにして、シェル７１４の身体対向面７１５上の接着剤によって吸収性物品の後側領域７６６を前側領域７６４に接着し吸収性物品を廃棄用の形態に固める。
【０２０７】
図３５Ａ及び３５Ｂに図解された代替的実施例では、単一ポケット８８２の形態である位置決め補助手段８８０が、概ね吸収性物品８００の中央領域８６５内に配設される。ポケット８８２は、その縦方向縁部で適合して開いており（縦方向で対向する開口８８４を形成しており）、ポケットの１つの縁部、または、両方の縁部から、着用者の指をポケット内に入れることが可能である。
【０２０８】
図３６Ａ及び図３６Ｂに図解された代替的実施例では、１対の位置決め補助手段９８０が、縦方向において相互に離間する１対のポケット９８２、９９２の形態で設けられる。詳細には、一方のポケット９８２は、吸収性物品の後側領域９６６に配置され、図３４Ａ及び図３４Ｂのポケット７８２と実質的に同一である。縦方向で対向するポケット９９２は、吸収性物品９００の前側領域９６４に配設され、吸収性物品の縦方向内側向きの開口９９４を有する。この様式では、着用者は、吸収性物品９００の後側領域９６６でポケット９８２内に一方の側から１乃至数本の指を入れることができ、前側領域９６４でポケット９９２内に一方の側からまたは他方の側のいずれか側から１乃至数本の指を入れることができる。
【０２０９】
図３７〜３９は、上述した吸収性物品のいずれか、例えば、図１１の吸収性物品２００のパッケージ化のための適切な一実施例を図解する。図解されたように、吸収性物品２００は、パッケージ化、積み込み、または、運搬に適切なパッケージ化形態に配置することができる。本実施例のパッケージ化形態では、吸収性物品２００は、クルクルと巻かれている。より詳細には、図解された形態では、吸収性物品２００は、その第１の縁部２６１から始まってその遠位端２０４’、２０４で終わるように巻回される。結果、第１の縁部２６１はパッケージ化形態の中心に配置され、遠位端２０４’、２０４はパッケージ化形態の外側に配置され、遠位端への着用者の接触を可能とする。この形態において、シェル２１４の第１の側２１５に塗布された身体側接着剤は、吸収性物品２００の形状をパッケージ化形態に維持するのに使用される。吸収性物品２００を反対方向に巻回することができることも理解される。すなわち、吸収性物品２００は、遠位端２０４、２０４’から始まって第１の縁部２６１で終わるように巻回されることも可能である。
【０２１０】
吸収性物品２００をパッケージ化形態に維持することを目的として、粘着性タブ１００１の形態の止め具も使用可能である。さらに、タブ１００１は、下記に詳細に説明する吸収性物品の巻回からの引き伸ばしの際に着用者がつかむための摘みを提供する。しかし、任意の適切な止め具（例えば、フックアンドループ、粘着性テープ、ゴムバンド）の使用が可能であり、止め具の使用は省略することも可能なことが理解される。
【０２１１】
別の適切な実施例では、吸収性物品２００は、剥離シート（図８Ａに図解の剥離シート１４６のような）を含み、図３７に図解の実施例と同様なパッケージ化形態に巻回される。この実施例では、吸収性物品２００は、図３７に図解のタブ１００１または他の適切な装置のような任意の適切な止め具によって前記パッケージ化形態に維持される。
【０２１２】
パッケージ化形態において、吸収性物品２００は、複数の吸収性物品２００とともに、または、図４０に図解されるように個別にパッケージ化される。図４０に図解されたように、吸収性物品２００は、全体的に符号１００３で示された破れ易い個包装内に個別に入れることができる。図解されている個包装１００３は、前パネル１００５と、この前パネルに密封状に接合してパッケージ化形態の吸収性物品２００を収納するに適した寸法及び形状の内部空間１００９を画定する後パネル１００７を有する。すなわち、包装済み吸収性物品２００は、密封された衛生的な状態で、使用者によって（例えば、財布、リュックサック、またはポケットに入れて）一単位で持ち運ばれる。
【０２１３】
個包装１００３は、着用者による個包装からの吸収性物品２００の取出しを可能とするべく、選択的に開くことができる。一例では、着用者は、個包装を破って開ける。着用者が個包装を破るのを容易にするため刻み目または切れ目を設けることも可能である。別の例では、個包装１００３は、それに沿って比較的容易に個包装を裂いて開く経路を形成する弱強度線（図示せず）を設ける。弱強度線は、複数個の整合している小孔、複数個の分離点、折り目線、分離線または分離領域、チェーンステッチ、個包装材質の薄厚化、または、他の適切な弱強度線とすることができる。弱強度線は、部分圧力切削、部分超音波切削、部分熱変形、機械的薄厚化、または、他の適切な技法によって適正に形成することができる。
【０２１４】
個包装１００３は、適切には、織物材料、不織材料、フィルム、積層膜、または、これらの組み合わせから形成可能である。例えば、適切な一実施例では、個包装１００３は、紙、ポリエチレン、ポリプロピレン、配向ポリプロピレン材料、または同等物で作製される。適切な例には、限定はしないが、低密度ポリプロピレン（ＬＤＰＥ）フィルム、ＬＤＰＥ／ＬＬＤＰＥ（直鎖状低密度ポリエチレン）積層フィルム、ＬＤＰＥ／ＭＤＰＥ（中密度ポリエチレン）積層フィルム、ＬＤＰＥ／ＨＤＰＥ（高密度ポリエチレン）積層フィルム、等を含む。個包装１００３を作製するのに適した１つの具体的材料は、プライアント・コーポレーション（Pliant Corporation）から商品名ＸＰ３−９９９−１４５９．０で市販されている。
【０２１５】
図４１及び４２に図解された別の適切な実施例では、吸収性物品２００は、概略符号１０１１で示される筒状部材、より具体的には、チューブの周りに巻回されてパッケージ化形態とされる。図解された形態では、チューブ１０１１は、球根状の両縁部１０１３、及びこの両縁部の間に配設された凹状の中央部分１０１５を含む。吸収性物品２００は、凹状の中央部分の周りで巻回される。チューブ１０１１は、例えば、厚紙、プラスチックである任意の適切な材料から製作することができる。チューブ１０１１は、図解され説明されたものとは異なる形態（すなわち、筒状）を有することが理解される。
【０２１６】
適切な一実施例では、チューブ１０１１は、例えば、タンポン及び図４３Ａと４３Ｂに図解のタンポン挿入具センブリ１０１９である１つのまたはそれより多い別の物品を詰め込むことが可能な内部チャンバ１０１７を画定する。ワイプ、手袋、洗浄用ローション、廃棄用袋、及び、洗浄用クッションを含む付加的な用品を、タンポン及びタンポン挿入具センブリとともにまたはこれに代えて詰め込むことができる。チューブ１０１１の縁部１０１３の一方または両方は、チューブの内部チャンバ１０１７とチューブ内に収納された用品を包み込むためのフォイルまたはプラスチックカバー（図示せず）のような適切な覆いを含むことができる。チューブは浸透性または不浸透性であることが可能であると理解される。チューブは、また、着脱可能または着脱不可能な裏打ち材（図示せず）を含むことも可能であると理解される。
【０２１７】
さらに別の実施例では、吸収性物品２００は、１以上の用品の周りをパッケージ化形態に巻回することができる。例えば、図４４に図解されるように、吸収性物品２００は、タンポン及びタンポン挿入具センブリ１０１９の周りに直接巻回可能である。限定はしないが、ワイプ、手袋、洗浄用ローション、廃棄袋、及びクレンジング・クッションを含む１以上の他の用品に直接巻回できることが理解される。また、吸収性物品２００が巻回される用品を包装することもまたは包装しないことも可能であることが理解される。
【０２１８】
巻回に加えるに、吸収性物品２００は、図４５〜４８に図解されるようにパッケージ化形態に畳むこともできる。適切な一実施例では、吸収性物品２００は、概ね吸収性物品の横軸を中心として半分に畳まれる。図４９に図解される適切な別の実施例では、吸収性物品２００は、概ねＺ字形折に畳まれる。吸収性物品２００は、例えばＷ字形折である、任意の適切な様式で畳むことができることが理解される。
【０２１９】
既述のように、限定はしないが、ワイプ、手袋、洗浄用ローション、廃棄袋、及びクレンジング・クッションを含む他の用品を、吸収性物品２００と組み合わせて設けることができる。適切な一実施例では、この用品は、折り畳んだ形態の吸収性物品２００の間に配置可能である。例えば、タンポン及びタンポンアセンブリ１０１９（または他の任意の適切な用品）は、図５０に図解された吸収性物品の折り畳みによって形成されるポケット１０２５内に配設することができる。吸収性物品２００及び他の用品は、別の相互関係を有することも可能であると考えられる（例えば、用品を吸収性物品の上、下、傍に配置可能である）。用品は、個別に包装することも、包装しないことも可能であり、または、適切な遮蔽材を使用して吸収性物品２００から分離されることも可能である。
【０２２０】
吸収性物品２００は、吸収性物品の生体用接着剤２４４または粘着性タブ１０２１のような適切な止め具を使用して折り畳まれたパッケージ化形態に保持可能と考えられる。吸収性物品は、また、図５０に図解されるように、剥離シート２４６を含むと理解される。図４８に見られるように、吸収性物品２００は、パッケージ化形態のまま個包装１０２３内に配置可能である。図４８の個包装１０２３は、寸法と形状のみ異なるだけで、図４０の個包装１００３と実質的に同一である。
【０２２１】
図５１に図解される別のパッケージ化形態では、吸収性物品２００は、概ね平坦であり、概略符合１０３３で示される個包装内に密封される。適切な一実施例では、個包装１０３３は、吸収性物品の上を覆うための上側層１０３５と吸収性物品の下を覆うための底部層１０３７を含む。図解された形態では、個包装１０３３の縦方向側縁は開いており、したがって、吸収性物品２００を完全には包み込んでいない。しかし、吸収性物品２００を完全に包み込むべく縦方向側縁に沿って個包装１０３３の密封が可能であることが理解される。
【０２２２】
適切な一実施例では、着用者は、個包装を裂くことによりまたは他の方法で個包装を開くことにより、密封されたまたは部分的に密封された個包装から吸収性物品２００を取出す。吸収性物品２００は、包装されていない形態で着用者に提供可能であることが理解される。包装が除去されたならば、着用者は、吸収性物品２００を、図１１に図解されるように、パッケージ化形態から使用形態へと変更する。吸収性物品２００は、吸収性物品の具体的なパッケージ化形態に適応した吸収性物品の巻回の引き伸ばしまたは折り畳みの引き伸ばしによって変更することができる。上述したように、吸収性物品２００は、それ自体の周りで、または、チューブの周りで、または、他の用品（例えば、タンポン、ワイプ、手袋、洗浄用ローション、廃棄袋、及びクレンジング・クッション）の周りで巻回して、パッケージ化形態にすることができる。すなわち、これらの実施例において、吸収性物品２００は、吸収性物品の巻回を引き伸ばすことによって、パッケージ化形態から使用形態へと変更される。また、上述したように、吸収性物品２００は、半分折、Ｚ字形折、またはＷ字形折に折り畳まれてパッケージ化形態とすることができる。これらの実施例では、吸収性物品２００は、吸収性物品の折り畳みを引き伸ばすことによってパッケージ化形態から使用形態へと変更される。
【０２２３】
着用者は、シェル２１４上に配置された生体用接着剤２４４を使用して吸収性物品の後側領域２６６を着用者の臀部、着用者の膣部分に隣接した吸収性物品の中央領域２６５、及び、着用者の下腹部に隣接した吸収性物品２００の前側領域２６４に接着することによって、吸収性物品２００を適用することができる。吸収性物品２００が、剥離シート（例えば、図５０の剥離シート２４６）を有する場合には、着用者は、吸収性物品を所定位置に貼り付ける前に剥離シートを除去する。適切な一実施例では、剥離ストリップ２４６は、シェル２１４の剛性よりも高い剛性を備えており、吸収性物品２００に比較的高い硬度を提供する。硬度の増加は、吸収性物品２００の取り扱い性能を向上する。
【０２２４】
吸収性物品２００は、パッケージ化形態と使用形態の間の変更を、その適用段階の前、または、その適用段階と同時に可能であると考えられる。例えば、図５２−５４に図解されるように、吸収性物品２００の遠位端２０４、２０４’は、粘着性タブ１００１（図５２）を使用して着用者によりチューブ１０１１から離すことができる。次に、着用者は、遠位端２０４、２０４’を自分の臀部に貼り付ける。着用者に固着した遠位端２０４、２０４’を利用して、着用者は、チューブ１００１から吸収性物品２００の巻回を引き伸ばし、それとともに、生体用接着剤２４４を利用して自分の身体に吸収性物品を貼り付ける。次に、吸収性物品２００の中央領域２６５の巻回が引き伸ばされ、臀部に隣接した着用者の身体に接着する。すなわち、中央領域は、着用者の上方のももの間に貼り付けられる。次に、吸収性物品２００の前側領域の巻回が引き伸ばされ、着用者の下腹部に隣接して接着される。
【０２２５】
図解された実施例では、吸収性物品２００の前側領域は、吸収性物品の中央領域と後側領域の後で着用者の身体に接着される。しかし、吸収性物品２００は着用者の身体に対して逆方向で適用可能であることが理解される。換言すれば、吸収性物品２００の前側領域を始めに付着し、後側領域を最後に付着することが可能である。
【０２２６】
吸収性物品２００は、吸収性物品を身体から引き離して生体用接着剤２４４をはがすことによって取り外すことができる。吸収性物品２００は、使用後に、再度折り畳みまたは再度巻回してパッケージ化形態とし、これにより、廃棄に適した吸収性物品の形態とすることができる。
【０２２７】
ここで、図５５を参照するに、別の実施例において、全体的に符号２０００で示される女性ケア用用品は、図１３のものと実質的に同一であるが、吸収性物品の着用者からの取外しの容易化のための、全体的に符号２０７０で示される少なくとも１つの着脱自在なタブが付加される。この実施例でのシェル２０１４は、吸収性構造体２０２１が開口２００５を覆う後側領域２０６６を除き、吸収性物品２０００の周縁部２０６７を広範囲に画定する。それで、吸収性構造体は、吸収性物品の周縁部の一部を画定する。この実施例での着脱自在なタブ２０７０は、吸収性物品２０００の前側領域２０６４内のシェル２０１４に取付けられ、吸収性物品の前側領域２０６４でシェルの縦方向端２０６１を越えて（概略的には、吸収性物品の周縁部２０６７を越えて）縦方向外方へと延在する。
【０２２８】
より詳細には、着脱自在なタブ２０７０は、吸収性構造体２０００及びシェル２０１４から適合して分離して形成され、限定はしないが、粘着接合、熱接合、圧力接合、及び超音波接合のような適切な接合技法によりシェルの衣服対向面２０１７（したがって、概略的には、吸収性物品の衣服対向面）に取付けられる。しかし、それに代えて、または付加的に、シェルの身体対向面（図１３の実施例の身体対向面２１５、すなわち第１の側２１５と同様であるが図示しない）に、タブ２０７０を取付けても良い。別の実施例では、本願発明の範囲の逸脱なしに、着脱自在なタブ２０７０を、それに代えて、または付加的に、吸収性構造体２０２１に取付けることができる。着脱自在なタブ２０７０は、装着中、快適な柔らかな感触と適当な弾力性のあるものであれば、プラスチック製フィルム、不織材料または織物材料、または他の適切な材料のような任意の適切な材料で製作することができる。このタブ２０７０は、シェル２０１４と一体的に形成可能であり、本願発明の範囲内にあることが、また、理解される。
【０２２９】
着脱自在なタブ２０７０は、衣服対向面２０７２と、この衣服対向面とは反対の側の吸収性物品の着用者に面する身体対向面（図示せず）とを適合して有している。適切な一実施例では、部位２０７４においてシェル２０１４から（すなわち、吸収性物品２０００の周縁部２０６７から）外方向へと延在するタブ２０７０の身体対向面（図示せず）は、少なくとも、部分的に接着からはずされており、したがって、この部分は、着用者の皮膚に接着しない。それで、着用者から吸収性物品２０００を取り外す際には、着脱自在なタブ２０７０は、着用者によって容易につかまえられる。しかし、タブ２０７０の外方向へ延在した部分２０７４の身体対向面の全体には、比較的に接着力の弱い接着剤が塗布されており、したがって、装着中はタブは着用者に接着するものの、取外しが必要なときには着用者から容易にはがすことができる。
【０２３０】
図５５をさらに参照するに、着脱自在なタブ２０７０は、その衣服対向面２０７２の全部または一部に（図解されたように）粘着剤２０７６を有することができる。例えば、着用者が排尿する際に、吸収性物品を着用者から部分的に取り外すには、粘着剤２０７６は、タブ２０７０を着用者または吸収性物品２０００の別の部位に一時的に粘着できるので有用である。剥離シート２０７８は、着脱自在なタブ２０７０の衣服対向面２０７２上の粘着剤２０６を適合して覆っており、吸収性物品２０００の通常の装着の際に、タブが着用者の下着に粘着するのを防止する。
【０２３１】
利用の際、吸収性物品２０００は、既述したように、図５５の図解実施例のタブ２０７０が前側領域２０６４で吸収性物品の周縁部２０６７の縦方向外方向へと延在する状態で（例えば、着用者の腹部領域に向かうような、着用者に対しては前の方に延在する状態で）着用者に対して配置され貼り付けられる。着用者から吸収性物品２０００を部分的にまたは全体的に取り外すには、着用者は、吸収性物品の外方向へ延在する着脱自在なタブ２０７０の部分２０７４をつかみ、タブ（したがって、吸収性物品の前側領域２０６４）を概ね下の方向へ（例えば、吸収性物品の中央領域に向かって、すなわち、着用者の膣部分へ向かって）引っ張る。この操作により、シェル２０１４が、はがれ、したがって、吸収性物品２０００が着用者からはずれる。
【０２３２】
着脱自在なタブは、それに代えてまたは付加的に、後側領域２０６６で吸収性物品２０００に取付けられ、後側領域で吸収性物品の周縁部２０６７を越えて縦方向に延在することも考えられる。使用する場合、このタブは、着用者からの吸収性物品の取外しを容易にするべく、着用者がタブを上方向へ（例えば、吸収性物品２０００の後側領域２０６６から中央領域２０６５へ、または、着用者の会陰部から膣部分に向かって）引っ張ることを可能とする。別の実施例では、１以上の着脱自在なタブが、それに代えてまたは付加的に、その横方向サイドに隣接して吸収性物品２０００に取付けられ、吸収性物品の周縁部２０６７を越えて横方向外側へ延出することもできる。この構成は、縦方向でのタブの引っ張りではなく、並列状態のタブ（したがって、吸収性物品）の引っ張りによって、着用者が、吸収性物品２０００を取り外すのを可能とする。また、本願発明の範囲からの逸脱なくして、吸収性物品２０００は、その共通縁部またはその横方向縁部に１以上の着脱自在なタブを有しても良いと考えられる。例えば、着脱自在なタブ２０７０に類似の着脱自在なタブを、吸収性物品の前側領域２０６４でのシェル２０１４によって画定される各々のタブ２０２０、及び／または、後側領域２０６６でのタブに取付けることができる。さらに、本願発明の範囲の逸脱なしに、着脱自在なタブ２０７０を、図５５に図解された以外の形状に形成可能であることが理解される。
【０２３３】
図５６Ａ及び５６Ｂに図解された別の実施例において、女性ケア用吸収性物品２１００は、シェル２１１４に形成された開口２１０５上でシェル２１１４の衣服対向面２１１７に取付けられた吸収性構造体２１２１を備えているが、構造的には、図９Ａの吸収性物品１００と類似している。この実施例では、着脱自在なタブ２１７０は、吸収性構造体２１２１及びシェル２１１４からは適合して分離して形成されており、限定はしないが、接着接合、熱接合、圧力接合、及び超音波接合のような、適切な接合技法によって吸収性構造体の衣服対向面（したがって、概略的には、吸収性物品２１００の衣服対向面）に取付けられる。しかし、タブ２１７０は、それに代えてまたは付加的に、吸収性構造体２１２１の衣服対向面２１８２（図５６Ｂ）に取付けるか、または、吸収性構造体の内部に部分的に配設しても良いことが理解される。この実施例での着脱自在なタブ２１７０は、概ね吸収性物品２１００の後側領域２１６６で吸収性構造体２１２１に取付けられ、後側領域で吸収性物品の周縁部２１６７を越えて縦方向外方向へと延在する。
【０２３４】
着脱自在なタブ２１７０は、装着中、快適な軟らかい感触で適当な弾力性であれば、プラスチック製フィルム、不織材料または織物材料、または他の適切な材料のような任意の適切な材料で製作することができる。また、着脱自在なタブ２１７０は、吸収性構造体の吸収性心材、上面シート、及び背面シートの１以上の延長部分のように、吸収性構造体２１２１と一体的に形成可能であり、本願発明の範囲内であることが理解される。適切な別の実施例では、着脱自在なタブ２１７０は、少なくともその一部分を、身体流体（例えば、月経、等）を吸収性構造体２１２１からタブの自由端へと吸収して移動するに適合した芯材料で製作する。この様式では、タブ２１７０は、着脱自在なタブの自由端に吸収されて移動した身体流体の存在が、吸収性物品２１００の廃棄及び交換の必要性を示す変化表示器を形成する。一例として、それから吸収性構造体の吸収性心材または上面シートが形成される材料には、限定はしないが、適切な芯材料が含まれる。
【０２３５】
着脱自在なタブ２１７０は、衣服対向面２１７２と該衣服対向面の反対側で吸収性物品の着用者に面している身体対向面２１８４（図５６Ｂ）を有する。適切な一実施例では、吸収性物品２１００の周縁部２１６７を越えて外方向へと延在するタブ２１７０の一部２１７４の身体対向面２１８４は、少なくとも部分的に粘着剤がはずされており、この部分は着用者の皮膚に対する粘着はしない。そして、吸収性物品２１００を着用者から取り外す際には、着脱自在なタブ２１７０は、着用者によって比較的容易につかまれる。しかし、タブ２１７０の外方向へ延在する部分２１７４の身体対向面２１８４の全部または一部は、比較的弱い粘着力を有しており、それで、タブは装着中は粘着するものの、取外しが必要なときには着用者から容易にはがすことができると理解される。
【０２３６】
さらに図５６Ａを参照するに、着脱自在なタブ２１７０は、その衣服対向面２１７２の全部または一部に（図解されたように）粘着剤２１７６を有することができる。この粘着剤２１７２は、タブ２１７０を着用者または吸収性物品２１００の他の部位に一時的に粘着させ得るので、例えば、着用者が排尿の必要の際に、シェル２１１４から吸収性構造体２１２１を部分的に取り外すのに有用である。剥離シート２１７８は、タブ２１７０の衣服対向面２１７２上の粘着剤を適合して覆い、吸収性物品２１００の通常の装着においてタブが着用者の下着に粘着するのを防止する。
【０２３７】
適切な特定の一実施例において、吸収性構造体２１２１は、シェル２１１４に取外し可能に取付けられ、図解実施例では、吸収性構造体２１２１の身体対向面２１８２は、シェル２１１４の衣服対向面２１１７に取外し可能に取付けられており、使用時形態（図５６Ａ）と不使用時形態（図５６Ｂ）の間での吸収性構造体の構成変更を可能とする。前記使用時形態では、吸収性構造体は、着用者の膣部分との整合のための通常の態様でシェルに対して関係しており、前記不使用時形態では、吸収性構造体の少なくとも一部は、シェルから離れており、着用者の膣部分を覆わないよう構成されている。この様式での、シェル２１１４からの吸収性構造体２１２１の取外しが、着用者の排尿及びその後のシェルへの吸収性構造体の再取付け（例えば、使用時形態への復帰）を可能とする。
【０２３８】
図５６Ｂに図解されたように、吸収性構造体２１２１の使用時形態のシェルに吸収性構造体２１２１を取外し可能に取付けるために、開口２１０５の周りで、シェル２１１４の衣服対向面２１１７上に、適切な粘着剤２１８６が配設される。代替的には、そのような粘着剤２１８６を吸収性構造体２１２１の身体対向面２１８２に塗布しても良い。粘着剤２１８６は、使用時形態での使用の際には、吸収性構造体２１２１をシェル２１１４に適合して付着し、不使用時形態で吸収性構造体をシェルから取り外す際には、シェルの構造的一体性を損なうことなく吸収性構造体のシェルからの取出しを可能とする、適合した粘着力である。粘着剤による以外でも、吸収性構造体の使用時形態において、吸収性構造体２１２１をシェル２１１４に取外し可能に取付けられ得ると考えられる。例えば、シェル２１１４に対する吸収性構造体２１２１の適切な取外し可能な接合は、フックアンドループ締結装置、スナップ型締結装置、溝とリブが係合する密封型装置、ジッパー型締結装置、等のような機械的締結装置によって達成可能である。
【０２３９】
より適合した一実施例では、吸収性構造体２１２１は、シェル２１１４にヒンジで（例えば、図７の実施例に図解されたものと同様な様式で）結合されており、吸収性構造体の不使用時形態では、吸収性構造体はシェルに取付けられたままの状態である。ヒンジによる結合は、一実施例（例えば、図７に図解のような）において、吸収性構造体２１２１の背面シートの一部を吸収性構造体の縦方向縁部を越えて延在し、この背面シートの延在部分をシェル２１１４に接続することによって適合して形成される。しかし、吸収性構造体２１２１をシェル２１１４にヒンジで結合するため、他の適切なヒンジ結合を使用することができ、これは、本願発明の範囲内である。また、図解された吸収性構造体２１２１は、その使用時形態からその不使用時形態への縦方向作動を目的として概ね前側領域２１６４でヒンジ結合されているが、吸収性構造体は、それに代えて、反対方向での縦方向作動を目的として後側領域でヒンジ結合することも可能なことが理解される。別の実施例では、吸収性構造体２１２１は、本願発明の範囲よりの逸脱なしに、それに代えて、横方向の動きのためにヒンジ結合される。
【０２４０】
使用の際には、図５６Ａ及び５６Ｂの実施例の吸収性物品２１００は、既述した様式で、着用者の身体上に配置されて貼り付けられる。着用者に排尿の必要が生じた場合には、着用者は、吸収性物品２１００の後側領域２１６６で縦方向外方向に延在する（例えば、着用者に対して後方へ延在する）着脱自在なタブ２１７０をつかみ、そのタブを（すなわち、吸収性構造体を概ね上方向へ、例えば、吸収性構造体の中央領域に向かって、すなわち、着用者の会陰部から膣部分に向かって）引っ張る。この操作が、シェル２１１４から吸収性構造体２１２１を引き剥がし、吸収性構造体を不使用時形態（図５６Ｂ）にする。着脱自在なタブ２１７０の衣服対向面２１７２から剥離シート２１７８を除去することにより、着用者の皮膚へのタブの接着が可能となり、これにより、吸収性構造体が、不使用時形態に維持される。不使用時形態にある吸収性構造体２１２１を備えることにより、着用者は、シェルの除去なしに、シェル２１１４の開口２１０５によって排尿することができる。排尿が終了したならば、着用者は、タブ２１７０を再度つかんで吸収性構造体２１２１を引っ張って使用時形態にもどし、開口２１０５の回りのシェル２１１４に対して吸収性構造体を押し付け、粘着剤２１８６によるシェルへの吸収性構造体の再取付けを助ける。
【０２４１】
図５７に図解された代替的実施例では、吸収性物品２２００は、吸収性構造体２２２１の一部分（図示せず）がシェル２２１４に実質的に固定されているまたはより恒久的に取付けられている点を除いて、図５６Ａ及び５６Ｂの吸収性物品２１００と実質的に類似する。そして、吸収性構造体２２２１の不使用時形態への変動は、着脱自在なタブ２２７０での引っ張りによる吸収性構造体の取外し可能に付着する部分２２９０のシェル２２１４からの引き離しと吸収性構造体の固定部分の一部または全部（図解されるような）の上への前記取外し可能に付着する部分の折り畳みとを伴う。着脱自在なタブ（すなわち、図示しない剥離シートを除去した後の）の衣服対向面（図示しないが、図５６Ａの着脱自在なタブ２１７０の衣服対向面２１７２と実質的に同じである）上の粘着剤２２７６は、吸収性構造体２２２１を不使用時形態に保持するべくシェル２２１４に接着する。代替的には、または、付加的には、取外し可能に付着する部分を吸収性構造体の不使用時形態にある固定部分及び／またはシェル２２１４に接着することを目的として、粘着剤（図示せず）は、固定部分及び取外し可能に付着する部分の一方または両方の上のような、吸収性構造体２２２１の衣服対向面上に配設することができる。一方、図示しないが、吸収性構造体自体での折り畳みを容易にするべく、横方向に延在する折り目、弱強度線、エンボス線、または他の適切な要素を吸収性構造体２２２１に形成しても良いと考えられる。図解された実施例において吸収性構造体２２２１の取外し可能に付着する部分２２９０は、吸収性構造体の長さの約２分の１をしめるが、この取外し可能に付着する部分は、本願発明の範囲の逸脱なしに、吸収性構造体の２分の１よりも大きくもまたは小さくもできることが理解される。
【０２４２】
ここで図５８を参照するに、別の実施例においては、女性ケア用用品２３００は、シェル２３１４に取付けられ且つその前側領域２３６４で吸収性物品の周縁部２３６７を越えて縦方向外方向へと延在する着脱自在なタブ２３７０を含む図５５の吸収性物品２０００と類似に構成される。この実施例では、粘着剤２３９２は、図５８に図解されたシェル２３１４の衣服対向面２３１７上のような吸収性物品２３００の衣服対向面上に配設して、吸収性物品の着用者の下着への接着を容易にする。付加的に、または、代替的に、１対の横方向で対向し且つ離間するウイング２３９４が吸収性物品２３００に、さらに、適合してシェル２３１４に取付けられ、これは、吸収性物品の周縁部２３６７を越えて横方向で外方向へと延在する。適切な特定の一実施例では、ウイング２３９４は、中央領域２３６５内で吸収性物品２３００に取付けられ且つ横方向で外方向へと延在する。
【０２４３】
図解されたウイング２３９４は、各々、身体対向面（図示せず）と衣服対向面２３９６（概略的には、吸収性物品２３００の衣服対向面を部分的に画定する）。各ウイング２３９４は、着用者の下着へのウイングの接着を容易にするべく衣服対向面２３９６上に粘着剤２３９８を有している。特に、ウイング２３９４は、吸収性物品２３００の下着への接着を目的として、着用者の下着の外側のまわりで折り畳みまたは包み込んでそれに接着されるように構成されている。各符合するウイング２３９４上には、それぞれ粘着剤２３９８を覆うように適切な剥離シート２３９９を設けても良い。また、シェル２３１４の衣服対向面２３１７上の粘着剤２３８９を覆うために、別の剥離シート２４９９を設けることもできる。ウイングは、着用者にとって快適であり、弾力性である限り、プラスチック製フィルム、不織材料または織物材料のような任意の適切な材料で製作可能である。また、ウイング２３９４は、それに代えて、シェル２３１４と一体的に形成することができ、これは、本願発明の範囲内である。
【０２４４】
使用の際、図５８に図解のような身体接着式女性ケア用吸収性物品を着用する別の方法に従い、（衣服対向面上の粘着剤２３９２、２３９８を露出するように）剥離シート２３９９、２４９９をシェル粘着剤２３９２から及びウイング２３９４から除去し、吸収性物品２３００を、着用者の下着の中に、より適切には、着用者の膣部分に符合するように股部分に配置する。吸収性物品２３００の衣服対向面上（例えば、シェル２３１４の衣服対向面２３１７上）の粘着剤２３９２は、吸収性物品を下着に接着する。ウイング２３９４は、下着の股部分のまわりで折り畳まれまたは包み込まれ、その外側面に接着して、吸収性物品２３００を、さらに、下着に接着する。
【０２４５】
次に、下着は、着用者の腰の上の通常の装着位置まで引き上げられ、吸収性物品の身体対向面（図示せず）は、吸収性構造体２３２１が着用者の膣部分に概ね整合する状態で、着用者の皮膚に接触する。下着の外側には着用者の手によって圧力が加えられ、これが、吸収性物品２３００への圧力の付加となり、吸収性物品のシェル２３１４の着用者の皮膚への接着を促進し、これにより、着用者の所定の位置への吸収性物品の接着を行う。選択的には、吸収性物品２３００は、その後、下着からウイング２３９４を引き離すことによって、そして、下着を吸収性物品上の粘着剤から引き離すことによって、下着から離される。さらに一層適切な態様としては、下着への吸収性物品２３００のそれ以上の接着を防止するべく、粘着剤２３９２及びウイング２３９４の上に剥離シート２３８９、２３９９を戻しても良い。代替的には、シェル２３１４の衣服対向面２３１７上及びウイング２３９４上の粘着剤２３９８、２３９２を、それに代えて、１回のみの使用に適したものにして、剥離シート２３８９、２３９９の再付着の必要をなくすことも可能である。
【０２４６】
吸収性物品を下着に接着するべくある程度の粘着剤が吸収性物品の衣服対向面上にあるならば、吸収性物品（例えば、シェル２３１４の）の衣服対向面２３１７上の粘着剤２３９２を省略することも可能であり、または、ウイング２３９４を省略することも可能であることが理解される。また、本願発明の範囲の逸脱なしに、この実施例から着脱自在なタブ２３７０を省略することができることも理解される。さらに、この実施例の粘着剤２３９２及び／またはウイング２３９４は、本願発明の範囲の逸脱なしに、この明細書で説明し且つ図面で図解した任意の他の実施例に設けることが可能であることも理解される。
【０２４７】
各種の実施例に関連して本願発明の説明を行ったが、当業者は、本願発明の精神及び範囲からの逸脱なしに、形態及び詳細について、変更が可能であることを理解されよう。したがって、既述の詳細な説明は限定ではなく、例示的なものと認められることを企図しており、本願発明の範囲を画定するのは、添付請求項とその全ての均等物とである。
【図１】
2010535540.tif 000003
【図２】
2010535540.tif 000004
【図３】
2010535540.tif 000005
【図４】
2010535540.tif 000006
【図５】
2010535540.tif 000007
【図６】
2010535540.tif 000008
【図７】
2010535540.tif 000009
【図８Ａ】
2010535540.tif 000010
【図８Ｂ】
2010535540.tif 000011
【図９Ａ】
2010535540.tif 000012
【図９Ｂ】
2010535540.tif 000013
【図１０Ａ】
2010535540.tif 000014
【図１０Ｂ】
2010535540.tif 000015
【図１１】
2010535540.tif 000016
【図１２】
2010535540.tif 000017
【図１３】
2010535540.tif 000018
【図１４】
2010535540.tif 000019
【図１５】
2010535540.tif 000020
【図１６】
2010535540.tif 000021
【図１７】
2010535540.tif 000022
【図１８】
2010535540.tif 000023
【図１９Ａ】
2010535540.tif 000024
【図１９Ｂ】
2010535540.tif 000025
【図２０】
2010535540.tif 000026
【図２０Ａ】
2010535540.tif 000027
【図２１】
2010535540.tif 000028
【図２２】
2010535540.tif 000029
【図２３】
2010535540.tif 000030
【図２３Ａ】
2010535540.tif 000031
【図２３Ｂ】
2010535540.tif 000032
【図２４Ａ】
2010535540.tif 000033
【図２４Ｂ】
2010535540.tif 000034
【図２４Ｃ】
2010535540.tif 000035
【図２５】
2010535540.tif 000036
【図２６Ａ】
2010535540.tif 000037
【図２６Ｂ】
2010535540.tif 000038
【図２６Ｃ】
2010535540.tif 000039
【図２７】
2010535540.tif 000040
【図２８】
2010535540.tif 000041
【図２９Ａ】
2010535540.tif 000042
【図２９Ｂ】
2010535540.tif 000043
【図３０】
2010535540.tif 000044
【図３１】
2010535540.tif 000045
【図３２Ａ】
2010535540.tif 000046
【図３２Ｂ】
2010535540.tif 000047
【図３３】
2010535540.tif 000048
【図３４Ａ】
2010535540.tif 000049
【図３４Ｂ】
2010535540.tif 000050
【図３５Ａ】
2010535540.tif 000051
【図３５Ｂ】
2010535540.tif 000052
【図３６Ａ】
2010535540.tif 000053
【図３６Ｂ】
2010535540.tif 000054
【図３７】
2010535540.tif 000055
【図３８】
2010535540.tif 000056
【図３９】
2010535540.tif 000057
【図４０】
2010535540.tif 000058
【図４１】
2010535540.tif 000059
【図４２】
2010535540.tif 000060
【図４３Ａ】
2010535540.tif 000061
【図４３Ｂ】
2010535540.tif 000062
【図４４】
2010535540.tif 000063
【図４５】
2010535540.tif 000064
【図４６】
2010535540.tif 000065
【図４７】
2010535540.tif 000066
【図４８】
2010535540.tif 000067
【図４９】
2010535540.tif 000068
【図５０】
2010535540.tif 000069
【図５１】
2010535540.tif 000070
【図５２】
2010535540.tif 000071
【図５３】
2010535540.tif 000072
【図５４】
2010535540.tif 000073
【図５５】
2010535540.tif 000074
【図５６Ａ】
2010535540.tif 000075
【図５６Ｂ】
2010535540.tif 000076
【図５７】
2010535540.tif 000077
【図５８】
2010535540.tif 000078
【国際調査報告】
2010535540.tif 000079
2010535540.tif 000080
2010535540.tif 000081
2010535540.tif 000082